(57)【要約】      （修正有）【課題】メジャー部を巻き付けることなく、容易に足囲と甲回りを測定できる足サイズ測定具を提供する。【解決手段】足サイズ測定具１は、第１装着体と第２装着体７０からなり、第１装着体は、ソックス形状の覆い部１２と、目盛り表示部４０、５０とを有し、第２装着体７０は、覆い部７２と、足囲測定部１００と、甲回り測定部１２０とを有している。覆い部１２、７２は、伸縮性及び柔軟性のある素材により形成され、目盛り表示部４０、５０と足囲測定部１００と甲回り測定部１２０は、非伸縮性の素材により形成されている。足サイズ測定具１を足に装着し、目盛り表示部４０、５０により帯状部１０２の端部間の長さと帯状部１２２の端部間の長さを測定し、帯状部１０２の長さと帯状部１２２の長さに測定した値を加算した値に従い足囲と甲回りの長さを測定する。【選択図】図２５
2020168323.tif 000002
【特許請求の範囲】
【請求項１】
足のサイズを測定する足サイズ測定具であって、
第１装着体（５、５’）と第２装着体（７０）を有し、
第１装着体は、第１覆い部（１２）と、略足型形状で板状の底板部（６０）とを有し、
第１覆い部は、伸縮性及び柔軟性のある素材により形成され、少なくとも足の甲を覆う形状で、足を入れるための履き口を有し、
第１装着体を足に装着した状態で底板部が足の裏側に位置するように底板部が第１覆い部に固定され、
第２装着体は、第２覆い部（７２）と、第２覆い部に設けられた足囲用周設部（１０２）と、第２覆い部に設けられた甲回り用周設部（１２２）とを有し、
第２覆い部は、伸縮性及び柔軟性のある素材により形成され、足が入る袋状を呈するとともに、足を入れるための履き口を有し、第２装着体を足に装着した場合に足の甲側に位置する領域である第２覆い部用足甲部（７６）に開口部（７６ａ）が設けられ、
足囲用周設部は、第２覆い部の外側の面又は内側の面において、第２覆い部における第２装着体を足に装着した場合の足の足囲に対応する位置に、足甲部における左右いずれか一方の側の領域から第１装着体を装着した足に第２装着体を装着した場合に底板部の下側に位置する領域である第２覆い部用足底部（７４）を経て足甲部における左右いずれか他方まで細長状に形成され、足囲用周設部の長手方向の両側の端部である一対の第１端辺部（１０６ｃ、１０８ｃ）が、互いに間隔を介して設けられ、
甲回り用周設部は、第２覆い部の外側の面又は内側の面において、第２覆い部における第２装着体を足に装着した場合の足の甲回りに対応する位置に、足甲部における左右いずれか一方の側の領域から第２覆い部用足底部（７４）を経て足甲部における左右いずれか他方まで細長状に形成され、甲回り用周設部の長手方向の両側の端部である一対の第２端辺部（１２６ｃ、１２８ｃ）が、互いに間隔を介して設けられ、
足囲用周設部と甲回り用周設部は、非伸縮性又は難伸縮性の素材により形成され、
足サイズ測定具は、足に装着された第１装着体の外側に第２装着体が装着された状態で使用されることを特徴とする足サイズ測定具。
【請求項２】
第１覆い部は、第１装着体を足に装着した場合に足の裏側に位置する領域である第１覆い部用足底部を有していて、第１覆い部が全体に足が入る袋状を呈し、
底板部は、第１覆い部用足底部の外側の面又は内側の面に固定して設けられていることを特徴とする請求項１に記載の足サイズ測定具。
【請求項３】
第１覆い部は、足の甲とつま先とかかとを覆い、下方が開口された形状を有し、第１覆い部の下端が底板部の縁部に沿って固定して設けられていることを特徴とする請求項１に記載の足サイズ測定具。
【請求項４】
第１覆い部には、第１目盛り表示部（４０）と第２目盛り表示部（５０）が設けられ、
第１目盛り表示部は、第１覆い部の外側の面において、第１覆い部における第１装着体を足に装着した場合に足の甲側で足囲に対応する位置に設けられ、第１目盛り表示部には、寸法を測定するための目盛りが足囲に沿った方向に配列され、
第２目盛り表示部は、第１覆い部の外側の面において、第１覆い部における第１装着体を足に装着した場合に足の甲側で甲回りに対応する位置に設けられ、第２目盛り表示部には、寸法を測定するための目盛りが甲回りに沿った方向に配列され、
第１目盛り表示部と第２目盛り表示部は、非伸縮性又は難伸縮性の素材により形成され、
足囲用周設部における一対の第１端辺部は、開口部の縁部から開口部側に突出して設けられるか、あるいは、開口部の縁部に沿って設けられ、
甲回り用周設部における一対の第２端辺部は、開口部の縁部から開口部側に突出して設けられるか、あるいは、開口部の縁部に沿って設けられ、
足に装着された第１装着体の外側に第２装着体が装着された状態で、平面視において、一対の第１端辺部間に第１目盛り表示部が視認され、一対の第２端辺部間に第２目盛り表示部が視認されることを特徴とする請求項１又は２又は３に記載の足サイズ測定具。
【請求項５】
足サイズ測定具が、さらに、第１装着体を足に装着し、装着した第１装着体の外側に第２装着体を装着した状態で、足サイズ測定具とともに撮影するための測定用補助具で、測定用の３つの撮影対象としての第１撮影ポイント（１５０Ａ）と第２撮影ポイント（１５０Ｂ）と第３撮影ポイント（１５０Ｃ）が互いに間隔を介して設けられた測定用補助具（１５０）を有することを特徴とする請求項１又は２又は３に記載の足サイズ測定具。
【請求項６】
足のサイズを測定する足サイズ測定具であって、
第１装着体（５、５’）と第２装着体（７０）を有し、
第１装着体は、装着体本体（１０）と、略足型形状で板状の底板部（６０）とを有し、
装着体本体は、伸縮性及び柔軟性のある素材により形成され、足が入る袋状を呈し足を入れるための履き口を有する第１覆い部（１２）と、第１覆い部の外側の面で、第１覆い部における第１装着体を足に装着した場合に足の甲側で足囲に対応する位置に設けられた第１目盛り表示部（４０）と、第１覆い部の外側の面で、第１覆い部における第１装着体を足に装着した場合に足の甲側で甲回りに対応する位置に設けられた第２目盛り表示部（５０）とを有し、第１目盛り表示部には、寸法を測定するための目盛りが足囲に沿った方向に配列され、第２目盛り表示部には、寸法を測定するための目盛りが甲回りに沿った方向に配列され、第１目盛り表示部と第２目盛り表示部は、非伸縮性又は難伸縮性の素材により形成され、
底板部は、第１覆い部における第１装着体を足に装着した場合に足の裏側に位置する領域である第１覆い部用足底部（１４）の外側の面又は内側に面に固定して設けられ、
第２装着体は、第２覆い部（７２）と、第２覆い部に設けられた足囲用周設部（１０２）と、第２覆い部に設けられた甲回り用周設部（１２２）とを有し、
第２覆い部は、伸縮性及び柔軟性のある素材により形成され、足が入る袋状を呈するとともに、足を入れるための履き口を有し、第２装着体を足に装着した場合の足の甲側に位置する領域である第２覆い部用足甲部（７６）に開口部（７６ａ）が設けられ、
足囲用周設部は、第２覆い部の外側の面又は内側の面において、第２覆い部における第２装着体を足に装着した場合の足の足囲に対応する位置に、足甲部における左右いずれか一方の側の領域から第１装着体を装着した足に第２装着体を装着した場合に底板部の下側に位置する領域である第２覆い部用足底部（７４）を経て足甲部における左右いずれか他方まで細長状に形成され、足囲用周設部の長手方向の両側の端部である一対の第１端辺部（１０６ｃ、１０８ｃ）が、互いに間隔を介して設けられ、該一対の第１端辺部は、開口部の縁部から開口部側に突出して設けられるか、あるいは、開口部の縁部に沿って設けられ、
甲回り用周設部は、第２覆い部の外側の面又は内側の面において、第２覆い部における第２装着体を足に装着した場合の足の甲回りに対応する位置に、足甲部における左右いずれか一方の側の領域から第２覆い部用足底部（７４）を経て足甲部における左右いずれか他方まで細長状に形成され、甲回り用周設部の長手方向の両側の端部である一対の第２端辺部（１２６ｃ、１２８ｃ）が、互いに間隔を介して設けられ、該一対の第２端辺部は、開口部の縁部から開口部側に突出して設けられるか、あるいは、開口部の縁部に沿って設けられ、
足囲用周設部と甲回り用周設部は、非伸縮性又は難伸縮性の素材により形成され、
足に装着された第１装着体の外側に第２装着体が装着された状態で、平面視において、一対の第１端辺部間に第１目盛り表示部が視認され、一対の第２端辺部間に第２目盛り表示部が視認されることを特徴とする足サイズ測定具。
【請求項７】
第１覆い部が、第１装着体を足に装着した場合において、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、
第１目盛り表示部が、第１覆い部用足甲部上の第１仮想線（３１Ｇ）上に設けられ、該第１仮想線は、第１装着体のつま先側の端部からかかと側の端部までの長さに対応する足長の足に第１装着体を装着した状態である第１装着状態において、第１装着体の平面視で、第１装着体のつま先側の端部からかかと側の端部までの直線である第１仮想中心線（３４Ｌ）の長さ（Ｈ１）に対するかかと側の端部からの長さ（Ｈ２）の割合である第１足囲割合が６１．５〜７１．５％の位置を通る第１仮想直線で、該第１仮想中心線のつま先側の方向と該第１仮想直線における第１装着体の左右方向における内側の方向とがなす角度である第１足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した曲線である第１仮想曲線（３１Ｌ）と平面透視において略一致し、
第２目盛り表示部が、第１覆い部用足甲部上の第２仮想線（３３Ｇ）上に設けられ、該第２仮想線は、第１装着状態において、第１装着体の平面視で、該第１仮想中心線の長さ（Ｈ１）に対するかかと側の端部からの長さの割合である第１甲回り割合が５１．０〜６１．０％の位置を通る第２仮想直線で、該第１仮想中心線のつま先側の方向と該第２仮想直線における第１装着体の左右方向における内側の方向とがなす角度である第１甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した曲線である第２仮想曲線（３３Ｌ）と平面透視において略一致し、
第２覆い部が、該第２覆い部用足底部と、該第２覆い部用足甲部と、足に装着された第１装着体の外側に第２装着体が装着された状態で、足のつま先側の領域である第２覆い部用つま先部（７８）と、足のかかと側の領域である第２覆い部用かかと部（８０）とを有し、
足囲用周設部は、第２覆い部用足底部に設けられた足囲用底構成部（１０４）と、足囲用底構成部の一方の端部から設けられ、第２覆い部用足甲部に設けられた足囲用第１横構成部（１０６）と、足囲用底構成部の他方の端部から設けられ、第２覆い部用足甲部に設けられた足囲用第２横構成部（１０８）とを有し、
足囲用底構成部は、第２覆い部用足底部における第３仮想線（１０４Ｇ）上に設けられ、第３仮想線は、第２装着体のつま先側の端部からかかと側の端部までの長さが第１仮想中心線の長さに対応する第２装着体が足に装着された第１装着体の外側に装着された状態である第２装着状態において、第１仮想直線（３０Ｌ）と平面透視において略一致し、
足囲用第１横構成部と足囲用第２横構成部は、第２覆い部用足甲部における第４仮想線（１０５Ｇ）上に設けられ、第４仮想線は、第２装着状態において、第２装着体の平面透視において、該第１仮想曲線（３１Ｌ）と略一致し、
甲回り用周設部は、第２覆い部用足底部に設けられた甲回り用底構成部（１２４）と、甲回り用底構成部の一方の端部から設けられ、第２覆い部用足甲部に設けられた甲回り用第１横構成部（１２６）と、甲回り用底構成部の他方の端部から設けられ、第２覆い部用足甲部に設けられた甲回り用第２横構成部（１２８）とを有し、
甲回り用底構成部は、第２覆い部用足底部における第５仮想線（１２４Ｇ）上に設けられ、第５仮想線は、第２装着状態において、第２仮想直線（３２Ｌ）と平面透視において略一致し、
甲回り用第１横構成部と甲回り用第２横構成部は、第２覆い部用足甲部における第６仮想線（１２５Ｇ）上に設けられ、第６仮想線は、第２装着状態において、第２装着体の平面透視において、該第２仮想曲線（３３Ｌ）と略一致することを特徴とする請求項４又は６に記載の足サイズ測定具。
【請求項８】
足囲用底構成部と、足囲用第１横構成部と、足囲用第２横構成部におけるそれぞれは、互いに平行な長手辺を有する帯状を呈し、
甲回り用底構成部と、甲回り用第１横構成部と、甲回り用第２横構成部におけるそれぞれは、互いに平行な長手辺を有する帯状を呈することを特徴とする請求項７に記載の足サイズ測定具。
【請求項９】
足囲用周設部の展開状態において、足囲用底構成部の長手辺の方向と、足囲用第１横構成部の長手辺の方向がなす角度で、つま先側の角度が１８５〜１９１度であるとともに、足囲用底構成部の長手辺の方向と、足囲用第２横構成部の長手辺の方向がなす角度で、つま先側の角度が１５１〜１５７度であり、
足囲用底構成部と足囲用第１横構成部の境界線（１０２−１）の方向と、足囲用第１横構成部の長手辺の方向がなす角度で、つま先側で、かつ、足囲用第１横構成部側の角度が７３〜７９度であり、
足囲用底構成部と足囲用第２横構成部の境界線（１０２−２）の方向と、足囲用第２横構成部の長手辺の方向がなす角度で、つま先側で、かつ、足囲用第２横構成部側の角度が６７〜７３度であり、
甲回り用周設部の展開状態において、甲回り用底構成部の長手辺の方向と、甲回り用第１横構成部の長手辺の方向がなす角度で、つま先側の角度が１８８〜１９４度であるとともに、甲回り用底構成部の長手辺の方向と、甲回り用第２横構成部の長手辺の方向がなす角度で、つま先側の角度が１７２〜１７８度であり、
甲回り用底構成部と甲回り用第１横構成部の境界線（１２２−１）の方向と、甲回り用第１横構成部の長手辺の方向がなす角度で、つま先側で、かつ、甲回り用第１横構成部側の角度が６４〜７０度であり、
甲回り用底構成部と甲回り用第２横構成部の境界線（１２２−２）の方向と、甲回り用第２横構成部の長手辺の方向がなす角度で、つま先側で、かつ、甲回り用第２横構成部側の角度が７７〜８３度であることを特徴とする請求項８に記載の足サイズ測定具。
【請求項１０】
第１目盛り表示部と第２目盛り表示部は、少なくとも目盛りの配列方向に非伸縮性又は難伸縮性を有することを特徴とする請求項４又は６又は７又は８又は９に記載の足サイズ測定具。
【請求項１１】
第１覆い部における第１装着体を足に装着した場合の足の甲側の領域に、第１中心表示部（３４ａ）が、第１装着体のつま先側の端部からかかと側の端部への方向である足長方向に、第１装着体の平面視において、第１装着体のつま先側の端部からかかと側の端部までの直線である第１仮想中心線（３４Ｌ）に沿って設けられ、
第２装着体における第２覆い部用足甲部に、第２中心表示部（９０ａ）が、第２装着体のつま先側の端部からかかと側の端部への方向である足長方向に、第２装着体の平面視において、第２装着体のつま先側の端部からかかと側の端部までの直線である第２仮想中心線（９０Ｌ）に沿って設けられていることを特徴とする請求項１又は２又は３又は４又は５又は６又は７又は８又は９又は１０に記載の足サイズ測定具。
【請求項１２】
足囲用周設部の一方の端部領域からつま先側又はかかと側に突出する第１突状部（１１０）が第２覆い部における開口部の縁部に隣接する領域に設けられ、足囲用周設部の他方の端部領域からつま先側又はかかと側に突出する第２突状部（１１２）が第２覆い部における開口部の縁部に隣接する領域に設けられ、
第１突状部と第２覆い部における第１突状部が設けられた領域のそれぞれには、第１紐部（１１６）を挿通するための穴部である第１穴部（１１０−１、７６ｂ−１）が設けられ、第２突状部と第２覆い部における第２突状部が設けられた領域のそれぞれには、第１紐部（１１６）を挿通するための穴部である第２穴部（１１２−１、７６ｂ−２）が設けられ、
甲回り用周設部の一方の端部領域からつま先側又はかかと側に突出する第３突状部（１３０）が第２覆い部における開口部の縁部に隣接する領域に設けられ、甲回り用周設部の他方の端部領域からつま先側又はかかと側に突出する第４突状部（１３２）が第２覆い部における開口部の縁部に隣接する領域に設けられ、
第３突状部と第２覆い部における第３突状部が設けられた領域のそれぞれには、第２紐部（１３６）を挿通するための穴部である第３穴部（１３０−１、７６ｃ−１）が設けられ、第４突状部と第２覆い部における第４突状部が設けられた領域のそれぞれには、第２紐部（１３６）を挿通するための穴部である第４穴部（１３２−１、７６ｃ−２）が設けられ、
第１穴部と第２穴部に挿通された第１紐部と、第３穴部と第４穴部に挿通された第２紐部が設けられ、
第１紐部により第１突状部と第２突状部間の締付け度合いが調整され、第２紐部により第３突状部と第４突状部間の締付け度合いが調整されることを特徴とする請求項１又は２又は３又は４又は５又は６又は７又は８又は９又は１０又は１１に記載の足サイズ測定具。
【請求項１３】
第２覆い部の足甲部には、開口部の縁部に沿って、伸縮性を有する弾性部材（７７、７７’）が設けられていることを特徴とする請求項１又は２又は３又は４又は５又は６又は７又は８又は９又は１０又は１１又は１２に記載の足サイズ測定具。
【請求項１４】
足囲用周設部は、少なくとも長手方向に非伸縮性又は難伸縮性を有し、甲回り用周設部は、少なくとも長手方向に非伸縮性又は難伸縮性を有し、
第１装着体の第１覆い部は、少なくとも、第１装着体のつま先側の端部からかかと側の端部への方向である足長方向と直角方向に伸縮性を有し、
第２装着体の第２覆い部は、少なくとも、第２装着体のつま先側の端部からかかと側の端部への方向である足長方向と直角方向に伸縮性を有することを特徴とする請求項１又は２又は３又は４又は５又は６又は７又は８又は９又は１０又は１１又は１２又は１３に記載の足サイズ測定具。
【請求項１５】
底板部は、非柔軟性又は第１装着体を足に装着した際に足の裏の形状に沿って変形することがない程度の低柔軟性の素材により形成されていることを特徴とする請求項１又は２又は３又は４又は５又は６又は７又は８又は９又は１０又は１１又は１２又は１３又は１４に記載の足サイズ測定具。
【請求項１６】
第１装着体と第２装着体に別体に構成され、足サイズ測定具の使用に際しては、第１装着体を足に装着し、装着した第１装着体の外側に第２装着体を装着することを特徴とする請求項１又は２又は３又は４又は５又は６又は７又は８又は９又は１０又は１１又は１２又は１３又は１４又は１５に記載の足サイズ測定具。
【請求項１７】
第１装着体は、第２装着体の内側に設けられ、底板部の下側に第２覆い部用足底部が位置し、第１覆い部の履き口が、足サイズ測定具の平面視において、第２覆い部の履き口内に視認できる状態で、第１装着体が第２装着体に固定されていることを特徴とする請求項１又は２又は３又は４又は５又は６又は７又は８又は９又は１０又は１１又は１２又は１３又は１４又は１５に記載の足サイズ測定具。
【請求項１８】
請求項１又は２又は３又は４又は５又は６又は７又は８又は９又は１０又は１１又は１２又は１３又は１４又は１５又は１６又は１７に記載の足サイズ測定具を複数備えた足サイズ測定具セットであって、
複数の足サイズ測定具における第１装着体においては、第１装着体のつま先側の端部からかかと側の端部までの長さが異なり、
複数の足サイズ測定具における第２装着体においては、第２装着体のつま先側の端部からかかと側の端部までの長さが異なることを特徴とする足サイズ測定具セット。
【請求項１９】
足のサイズを測定する足サイズ測定具であって、
覆い部（１２）と、略足型形状で板状の底板部（６０）とを有し、
覆い部は、伸縮性及び柔軟性のある素材により形成され、足の表面領域における足の裏側を除く領域である足の甲とつま先とかかとの領域を少なくとも覆う形状で、足を入れるための履き口を有し、
足サイズ測定具を足に装着した状態で底板部が足の裏側に位置するように底板部が覆い部に固定され、
覆い部の外側の面において、足サイズ測定具を足に装着した場合の足の足囲に対応する位置に足囲用表示部（３０）が設けられ、
覆い部の外側の面において、足サイズ測定具を足に装着した場合の足の甲回りに対応する位置に甲回り用表示部（３２）が設けられていることを特徴とする足サイズ測定具。
【請求項２０】
足囲用表示部は、足囲に沿って設けられた線状の表示部であり、甲回り表示部は、甲回りに沿って設けられた線状の表示部であることを特徴とする請求項１９に記載の足サイズ測定具。
【請求項２１】
覆い部は、足サイズ測定具を足に装着した場合に足の裏側に位置する領域である足底部（１４）を有していて、覆い部が全体に足が入る袋状を呈し、
底板部は、足底部の外側の面に固定して設けられ、
該足囲用表示部は、少なくとも、覆い部の特定領域における足囲に沿った一方の端部から他方の端部にまで設けられ、
該甲回り用表示部は、少なくとも、覆い部の特定領域における甲回りに沿った一方の端部から他方の端部にまで設けられ、
該覆い部の特定領域は、覆い部における足底部を除いた領域であることを特徴とする請求項１９又は２０に記載の足サイズ測定具。
【請求項２２】
覆い部は、下方が開口された形状を有し、覆い部の下端が底板部の縁部に沿って固定して設けられ、
該足囲用表示部は、少なくとも、覆い部における足囲に沿った一方の端部から他方の端部にまで設けられ、
該甲回り表示部は、少なくとも、覆い部における甲回りに沿った一方の端部から他方の端部にまで設けられていることを特徴とする請求項１９又は２０に記載の足サイズ測定具。
【請求項２３】
足囲用表示部は、底板部の底面における足囲に対応する位置に設けられ、甲回り用表示部は、底板部の底面における甲回りに対応する位置に設けられていることを特徴とする請求項２１又は２２に記載の足サイズ測定具。
【請求項２４】
覆い部は、足サイズ測定具を足に装着した場合に足の裏側に位置する領域である足底部（１４）を有していて、覆い部が全体に足が入る袋状を呈し、
底板部は、足底部の内側の面に固定して設けられ、
該足囲用表示部は、少なくとも、覆い部の特定領域における足囲に沿った一方の端部から他方の端部にまで設けられ、
該甲回り用表示部は、少なくとも、覆い部の特定領域における甲回りに沿った一方の端部から他方の端部にまで設けられ、
該覆い部の特定領域は、覆い部における足底部の底面から底板部の厚み分上方の位置よりも上側の領域であることを特徴とする請求項１９又は２０に記載の足サイズ測定具。
【請求項２５】
足囲用表示部は、覆い部においてループ状に設けられ、甲回り用表示部は、覆い部においてループ状に設けられていることを特徴とする請求項２４に記載の足サイズ測定具。
【請求項２６】
覆い部が、足サイズ測定具を足に装着した場合において、足の甲側に位置する領域である足甲部（１６）と、足のつま先側に位置する領域であるつま先部（１８）と、足のかかと側に位置する領域であるかかと部（２０）とを有し、
足囲用表示部が、足甲部上の第１仮想線（３１Ｇ）上に設けられ、該第１仮想線は、足サイズ測定具のつま先側の端部からかかと側の端部までの長さに対応する足長の足に足サイズ測定具を装着した状態である装着状態において、足サイズ測定具の平面視で、足サイズ測定具のつま先側の端部からかかと側の端部までの直線である仮想中心線（３４Ｌ）の長さ（Ｈ１）に対するかかと側の端部からの長さ（Ｈ２）の割合である足囲割合が６１．５〜７１．５％の位置を通る第１仮想直線で、該仮想中心線のつま先側の方向と該第１仮想直線における第１装着体の左右方向における内側の方向とがなす角度である足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した曲線である第１仮想曲線（３１Ｌ）と平面透視において略一致し、
甲回り用表示部が、足甲部上の第２仮想線（３３Ｇ）上に設けられ、該第２仮想線は、該装着状態において、足サイズ測定具の平面視で、該仮想中心線の長さ（Ｈ１）に対するかかと側の端部からの長さの割合である甲回り割合が５１．０〜６１．０％の位置を通る第２仮想直線で、該仮想中心線のつま先側の方向と該第２仮想直線における第１装着体の左右方向における内側の方向とがなす角度である甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した曲線である第２仮想曲線（３３Ｌ）と平面透視において略一致することを特徴とする請求項１９又は２０２１又は２２又は２３又は２４又は２５に記載の足サイズ測定具。
【請求項２７】
覆い部は、少なくとも、足サイズ測定具のつま先側の端部からかかと側の端部への方向である足長方向と直角方向に伸縮性を有することを特徴とする請求項１９又は２０又は２１又は２２又は２３又は２４又は２５又は２６に記載の足サイズ測定具。
【請求項２８】
底板部は、非柔軟性又は足サイズ測定具を足に装着した際に足の裏の形状に沿って変形することがない程度の低柔軟性の素材により形成されていることを特徴とする請求項１９又は２０又は２１又は２２又は２３又は２４又は２５又は２６又は２７に記載の足サイズ測定具。
【請求項２９】
底板部が平板状であることを特徴とする請求項１又は２又は３又は４又は５又は６又は７又は８又は９又は１０又は１１又は１２又は１３又は１４又は１５又は１６又は１７又は１９又は２０又は２１又は２２又は２３又は２４又は２５又は２６又は２７又は２８に記載の足サイズ測定具。
【請求項３０】
底板部が、製造する靴の内底面の曲面形状又は靴製造用の製靴型の底面の曲面形状に応じた曲面を有する板状であることを特徴とする請求項１又は２又は３又は４又は５又は６又は７又は８又は９又は１０又は１１又は１２又は１３又は１４又は１５又は１６又は１７又は１９又は２０又は２１又は２２又は２３又は２４又は２５又は２６又は２７又は２８に記載の足サイズ測定具。
【請求項３１】
請求項１９又は２０又は２１又は２２又は２３又は２４又は２５又は２６又は２７又は２８又は２９又は３０に記載の足サイズ測定具を複数備えた足サイズ測定具セットであって、
複数の足サイズ測定具においては、足サイズ測定具のつま先側の端部からかかと側の端部までの長さが異なることを特徴とする足サイズ測定具セット。
【発明の詳細な説明】
【技術分野】
【０００１】
本発明は、足のサイズを測定する測定具に関するものである。
【背景技術】
【０００２】
足サイズ測定具において、出願人により、特許文献１、特許文献２及び特許文献３に記載の件が出願されている。すなわち、特許文献１〜特許文献３の足サイズ測定具においては、足長測定部と足囲測定部と甲回り測定部とが設けられ、特に、特許文献３の足サイズ測定具においては、足囲測定部４０には、メジャー部挿通用の開口部４４ａ〜４４ｆが設けられ、各開口部間の方向を示す仮想上の直線が中心線３０と交差する位置が、踵側の基端点から対応する足長に対して６１．５〜７１．５％の割合の位置にあり、該中心線のつま先側の方向と該複数の足囲用挿通部間の方向の足の配置位置に対する内側の方向とがなす角度が、男性用の場合は６９．０〜７９．０度で、女性用の場合は６８．０〜７８．０度となるように形成され、また、甲回り測定部５０には、メジャー部挿通用の開口部５４ａ〜５４ｆが設けられ、各開口部間の方向を示す仮想上の直線が中心線３０と交差する位置が、踵側の基端点から対応する足長に対して５１．０〜６１．０％の割合の位置にあり、該前後方向直線部のつま先側の方向と該複数の甲回り用挿通部間の方向の足の配置位置に対する内側の方向とがなす角度が、男性用の場合は７５．５〜８５．５度で、女性用の場合は７４．５〜８４．５度となるように形成されているので、極めて正確に足囲と甲回りを測定することができる。
【先行技術文献】
【特許文献】
【０００３】
【特許文献１】特開２００１−２０４５１０号公報
【特許文献２】特開２００４−６１８号公報
【特許文献３】特開２００８−２０６９１６号公報
【発明の概要】
【発明が解決しようとする課題】
【０００４】
しかし、特許文献１〜３の足サイズ測定具においては、足囲や甲回りの測定の際に、目盛りが表示されたメジャー部を両手に持って（つまり、メジャー部の一方に伸びた部分を一方の手で持ち、他方に伸びた部分を他方の手で持つ）足に巻き付けて測定しなければならないという手間がかかる。また、メジャー部を用いて測定する場合に、メジャー部がゆるまず、かつ、メジャー部を締めすぎないように巻き付けるには、コツをつかむ必要があるという問題がある。
【０００５】
そこで、本発明は、足囲と甲回りを測定するための足サイズ測定具であって、目盛りが表示されたメジャー部を足に巻き付けて測定する必要がなく、容易に足囲と甲回りを測定することができる足サイズ測定具を提供することを目的とするものである。
【課題を解決するための手段】
【０００６】
本発明は上記問題点を解決するために創作されたものであって、第１には、足のサイズを測定する足サイズ測定具であって、第１装着体（５、５’）と第２装着体（７０）を有し、第１装着体は、第１覆い部（１２）と、略足型形状で板状の底板部（６０）とを有し、第１覆い部は、伸縮性及び柔軟性のある素材により形成され、少なくとも足の甲を覆う形状で、足を入れるための履き口を有し、第１装着体を足に装着した状態で底板部が足の裏側に位置するように底板部が第１覆い部に固定され、第２装着体は、第２覆い部（７２）と、第２覆い部に設けられた足囲用周設部（１０２）と、第２覆い部に設けられた甲回り用周設部（１２２）とを有し、第２覆い部は、伸縮性及び柔軟性のある素材により形成され、足が入る袋状を呈するとともに、足を入れるための履き口を有し、第２装着体を足に装着した場合に足の甲側に位置する領域（第１装着体を装着した足に第２装着体を装着した場合に足の甲側に位置する領域としてもよい）である第２覆い部用足甲部（７６）に開口部（７６ａ）が設けられ、足囲用周設部は、第２覆い部の外側の面又は内側の面において、第２覆い部における第２装着体を足に装着した場合の足の足囲に対応する位置に、足甲部における左右いずれか一方の側の領域から第１装着体を装着した足に第２装着体を装着した場合に底板部の下側に位置する領域である第２覆い部用足底部（７４）を経て足甲部における左右いずれか他方まで細長状に形成され、足囲用周設部の長手方向の両側の端部である一対の第１端辺部（１０６ｃ、１０８ｃ）が、互いに間隔を介して設けられ、甲回り用周設部は、第２覆い部の外側の面又は内側の面において、第２覆い部における第２装着体を足に装着した場合の足の甲回りに対応する位置に、足甲部における左右いずれか一方の側の領域から第２覆い部用足底部（７４）を経て足甲部における左右いずれか他方まで細長状に形成され、甲回り用周設部の長手方向の両側の端部である一対の第２端辺部（１２６ｃ、１２８ｃ）が、互いに間隔を介して設けられ、足囲用周設部と甲回り用周設部は、非伸縮性又は難伸縮性の素材により形成され、足サイズ測定具は、足に装着された第１装着体の外側に第２装着体が装着された状態で使用されることを特徴とする。
【０００７】
第１の構成の足サイズ測定具においては、第１装着体と第２装着体を装着した状態で、一対の第１端辺部間の長さを測定するとともに、一対の第２端辺部間の長さを測定する。そして、足囲用周設部の長さに第１端辺部間の長さを加算した値に従い足囲を得ることができ、甲回り用周設部の長さに第２端辺部間の長さを加算した値に従い甲回りを得ることができる。
【０００８】
よって、足の足長に対応する第１装着体と第２装着体を足に装着した状態で、一対の第１端辺部間の長さと一対の第２端辺部間の長さを測定し、測定した値に基づき足囲と甲回りを得ることができるので、目盛りが表示されたメジャー部を足に巻き付ける必要がなく、容易に足囲と甲回りを測定することができる。
【０００９】
また、第１装着体には、底板部が設けられているので、足の土踏まずの下方に空間を形成した状態で甲回りを測定することができ、製靴型を考慮した靴を製造することができる。
【００１０】
さらには、第１装着体と第２装着体を足に装着した状態を上方から撮影することにより、測定用の画像を得ることができるので、測定用の画像の撮影も容易に行なうことができる。
【００１１】
なお、第１の構成において、土踏まずを有する足に第１装着体が装着された状態では、底板部により土踏まずの下方に空間が形成されることを特徴としてもよい。
【００１２】
また、第２には、上記第１の構成において、第１覆い部は、第１装着体を足に装着した場合に足の裏側に位置する領域である第１覆い部用足底部を有していて、第１覆い部が全体に足が入る袋状を呈し、底板部は、第１覆い部用足底部の外側の面又は内側の面に固定して設けられていることを特徴とする。
【００１３】
よって、第１覆い部が袋状を呈するので、第１覆い部を靴下とみなすことにより、靴下を履いた状態を模して足囲と甲回りを測定するができ、装着した足に適した製靴型を作成することができる。
【００１４】
また、第３には、上記第１の構成において、第１覆い部は、足の甲とつま先とかかとを覆い、下方が開口された形状を有し、第１覆い部の下端が底板部の縁部に沿って固定して設けられていることを特徴とする。
【００１５】
また、第４には、上記第１から第３までのいずれかの構成において、第１覆い部には、第１目盛り表示部（４０）と第２目盛り表示部（５０）が設けられ、第１目盛り表示部は、第１覆い部の外側の面において、第１覆い部における第１装着体を足に装着した場合に足の甲側で足囲に対応する位置に設けられ、第１目盛り表示部には、寸法を測定するための目盛りが足囲に沿った方向に配列され、第２目盛り表示部は、第１覆い部の外側の面において、第１覆い部における第１装着体を足に装着した場合に足の甲側で甲回りに対応する位置に設けられ、第２目盛り表示部には、寸法を測定するための目盛りが甲回りに沿った方向に配列され、第１目盛り表示部と第２目盛り表示部は、非伸縮性又は難伸縮性の素材により形成され、足に装着された第１装着体の外側に第２装着体が装着された状態で、平面視において、一対の第１端辺部間に第１目盛り表示部が視認され、一対の第２端辺部間に第２目盛り表示部が視認されることを特徴とする。
【００１６】
よって、一対の第１端辺部間の長さを第１目盛り表示部の目盛りを読み取ることにより容易に測定することができ、一対の第２端辺部間の長さを第２目盛り表示部の目盛りを読み取ることにより容易に測定することができ、結果として、足囲と甲回りを容易に測定することができる。
【００１７】
また、第５には、上記第１から第３までのいずれかの構成において、足サイズ測定具が、さらに、第１装着体を足に装着し、装着した第１装着体の外側に第２装着体を装着した状態で、足サイズ測定具とともに撮影するための測定用補助具で、測定用の３つの撮影対象としての第１撮影ポイント（１５０Ａ）と第２撮影ポイント（１５０Ｂ）と第３撮影ポイント（１５０Ｃ）が互いに間隔を介して設けられた測定用補助具（１５０）を有することを特徴とする。
【００１８】
よって、測定用補助具により得られる寸法を第１端辺部間の長さや第２端辺部間の長さと比較することにより、第１端辺部間の長さや第２端辺部間の長さを測定することができ、第１覆い部に目盛り表示部が設けられていなくても、第１端辺部間の長さや第２端辺部間の長さを測定することができる。
【００１９】
なお、上記第５の構成において、測定用補助具は、寸法を測定するための目盛り、又は、予め定められた長さを有する部材を有することを特徴とするものとしてもよい。
【００２０】
また、第６には、足のサイズを測定する足サイズ測定具であって、第１装着体（５、５’）と第２装着体（７０）を有し、第１装着体は、被覆体本体（１０）と、略足型形状で板状の底板部（６０）とを有し、被覆体本体は、伸縮性及び柔軟性のある素材により形成され、足が入る袋状を呈し足を入れるための履き口を有する第１覆い部（１２）と、第１覆い部の外側の面で、第１覆い部における第１装着体を足に装着した場合に足の甲側で足囲に対応する位置に設けられた第１目盛り表示部（４０）と、第１覆い部の外側の面で、第１覆い部における第１装着体を足に装着した場合に足の甲側で甲回りに対応する位置に設けられた第２目盛り表示部（５０）とを有し、第１目盛り表示部には、寸法を測定するための目盛りが足囲に沿った方向に配列され、第２目盛り表示部には、寸法を測定するための目盛りが甲回りに沿った方向に配列され、第１目盛り表示部と第２目盛り表示部は、非伸縮性又は難伸縮性の素材により形成され、底板部は、第１覆い部における第１装着体を足に装着した場合に足の裏側に位置する領域である第１覆い部用足底部（１４）の外側の面又は内側に面に固定して設けられ、第２装着体は、第２覆い部（７２）と、第２覆い部に設けられた足囲用周設部（１０２）と、第２覆い部に設けられた甲回り用周設部（１２２）とを有し、第２覆い部は、伸縮性及び柔軟性のある素材により形成され、足が入る袋状を呈するとともに、足を入れるための履き口を有し、第２装着体を足に装着した場合の足の甲側に位置する領域である第２覆い部用足甲部（７６）に開口部（７６ａ）が設けられ、足囲用周設部は、第２覆い部の外側の面又は内側の面において、第２覆い部における第２装着体を足に装着した場合の足の足囲に対応する位置に、足甲部における左右いずれか一方の側の領域から第１装着体を装着した足に第２装着体を装着した場合に底板部の下側に位置する領域である第２覆い部用足底部（７４）を経て足甲部における左右いずれか他方まで細長状に形成され、足囲用周設部の長手方向の両側の端部である一対の第１端辺部（１０６ｃ、１０８ｃ）が、互いに間隔を介して設けられ、該一対の第１端辺部は、開口部の縁部から開口部側に突出して設けられるか、あるいは、開口部の縁部に沿って設けられ、甲回り用周設部は、第２覆い部の外側の面又は内側の面において、第２覆い部における第２装着体を足に装着した場合の足の甲回りに対応する位置に、足甲部における左右いずれか一方の側の領域から第２覆い部用足底部（７４）を経て足甲部における左右いずれか他方まで細長状に形成され、甲回り用周設部の長手方向の両側の端部である一対の第２端辺部（１２６ｃ、１２８ｃ）が、互いに間隔を介して設けられ、該一対の第２端辺部は、開口部の縁部から開口部側に突出して設けられるか、あるいは、開口部の縁部に沿って設けられ、足囲用周設部と甲回り用周設部は、非伸縮性又は難伸縮性の素材により形成され、足に装着された第１装着体の外側に第２装着体が装着された状態で、平面視において、一対の第１端辺部間に第１目盛り表示部が視認され、一対の第２端辺部間に第２目盛り表示部が視認されることを特徴とする。
【００２１】
第６の構成の足サイズ測定具においては、第１装着体と第２装着体を装着した状態で、上方から足サイズ測定具を視認することにより、一対の第１端辺部間に第１目盛り表示部が位置し、一対の第２端辺部間に第２目盛り表示部が位置するので、一対の第１端辺部間の長さを第１目盛り表示部により測定し、一対の第２端辺部間の長さを第２目盛り表示部により測定する。そして、足囲用周設部の長さに第１端辺部間の長さを加算した値に従い足囲を得ることができ、甲回り用周設部の長さに第２端辺部間の長さを加算した値に従い甲回りを得ることができる。
【００２２】
よって、足の足長に対応する第１装着体と第２装着体を足に装着した状態で、一対の第１端辺部間の長さと一対の第２端辺部間の長さを読み取り、読み取った値に基づき足囲と甲回りを得ることができるので、目盛りが表示されたメジャー部を足に巻き付ける必要がなく、容易に足囲と甲回りを測定することができる。
【００２３】
また、第１装着体には、底板部が設けられているので、足の土踏まずの下方に空間を形成した状態で甲回りを測定することができ、土踏まずの下方の空間を考慮した靴を製造することができる。
【００２４】
さらには、第１装着体と第２装着体を足に装着した状態を上方から撮影することにより、測定用の画像を得ることができるので、測定用の画像の撮影も容易に行なうことができる。
【００２５】
なお、第６の構成において、  土踏まずを有する足に第１装着体を装着した場合に、底板部により土踏まずの下方に空間が形成されることを特徴とするものとしてもよい。
【００２６】
また、第２又は第６の構成において、第１覆い部が、該第１覆い部用足底部（１４）と、第１装着体を足に装着した場合において、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、第２覆い部が、該第２覆い部用足底部（７４）と、第２装着体を足に装着した場合において、足の甲側に位置する領域である第２覆い部用足甲部（７６）と、足のつま先側に位置する領域である第２覆い部用つま先部（７８）と、足のかかと側に位置する領域である第２覆い部用かかと部（８０）とをすることを特徴とするものとしてもよい。
【００２７】
また、第４又は第６の構成において、「足に装着された第１装着体の外側に第２装着体が装着された状態で、平面視において、一対の第１端辺部間に第１目盛り表示部が視認され、一対の第２端辺部間に第２目盛り表示部が視認されることを特徴とする。」を「足に装着された第１装着体の外側に第２装着体が装着された状態で、第２装着体の第２覆い部用足底部側とは反対側である上方から足サイズ測定具を視認した場合に、一対の第１端辺部間に第１目盛り表示部が位置し、一対の第２端辺部間に第２目盛り表示部が位置することを特徴とする。」としてもよい。
【００２８】
また、第７には、上記第４又は第６の構成において、第１覆い部が、第１装着体を足に装着した場合において、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、第１目盛り表示部が、第１覆い部用足甲部上の第１仮想線（３１Ｇ）上に設けられ、該第１仮想線は、第１装着体のつま先側の端部からかかと側の端部までの長さに対応する足長の足に第１装着体を装着した状態である第１装着状態において、第１装着体の平面視で、第１装着体のつま先側の端部からかかと側の端部までの直線である第１仮想中心線（３４Ｌ）の長さ（Ｈ１）に対するかかと側の端部からの長さ（Ｈ２）の割合である第１足囲割合が６１．５〜７１．５％の位置を通る第１仮想直線で、該第１仮想中心線のつま先側の方向と該第１仮想直線における第１装着体の左右方向における内側の方向とがなす角度である第１足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した曲線である第１仮想曲線（３１Ｌ）と平面透視において略一致し、第２目盛り表示部が、第１覆い部用足甲部上の第２仮想線（３３Ｇ）上に設けられ、該第２仮想線は、第１装着状態において、第１装着体の平面視で、該第１仮想中心線の長さ（Ｈ１）に対するかかと側の端部からの長さの割合である第１甲回り割合が５１．０〜６１．０％の位置を通る第２仮想直線で、該第１仮想中心線のつま先側の方向と該第２仮想直線における第１装着体の左右方向における内側の方向とがなす角度である第１甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した曲線である第２仮想曲線（３３Ｌ）と平面透視において略一致し、第２覆い部が、該第２覆い部用足底部と、該第２覆い部用足甲部と、足に装着された第１装着体の外側に第２装着体が装着された状態で、足のつま先側の領域である第２覆い部用つま先部（７８）と、足のかかと側の領域である第２覆い部用かかと部（８０）とを有し、足囲用周設部は、第２覆い部用足底部に設けられた足囲用底構成部（１０４）と、足囲用底構成部の一方の端部から設けられ、第２覆い部用足甲部に設けられた足囲用第１横構成部（１０６）と、足囲用底構成部の他方の端部から設けられ、第２覆い部用足甲部に設けられた足囲用第２横構成部（１０８）とを有し、足囲用底構成部は、第２覆い部用足底部における第３仮想線（１０４Ｇ）上に設けられ、第３仮想線は、第２装着体のつま先側の端部からかかと側の端部までの長さが第１仮想中心線の長さに対応する第２装着体が足に装着された第１装着体の外側に装着された状態である第２装着状態において、第１仮想直線（３０Ｌ）と平面透視において略一致し、足囲用第１横構成部と足囲用第２横構成部は、第２覆い部用足甲部における第４仮想線（１０５Ｇ）上に設けられ、第４��想線は、第２装着状態において、第２装着体の平面透視において、該第１仮想曲線（３１Ｌ）と略一致し、甲回り用周設部は、第２覆い部用足底部に設けられた甲回り用底構成部（１２４）と、甲回り用底構成部の一方の端部から設けられ、第２覆い部用足甲部に設けられた甲回り用第１横構成部（１２６）と、甲回り用底構成部の他方の端部から設けられ、第２覆い部用足甲部に設けられた甲回り用第２横構成部（１２８）とを有し、甲回り用底構成部は、第２覆い部用足底部における第５仮想線（１２４Ｇ）上に設けられ、第５仮想線は、第２装着状態において、第２仮想直線（３２Ｌ）と平面透視において略一致し、甲回り用第１横構成部と甲回り用第２横構成部は、第２覆い部用足甲部における第６仮想線（１２５Ｇ）上に設けられ、第６仮想線は、第２装着状態において、第２装着体の平面透視において、該第２仮想曲線（３３Ｌ）と略一致することを特徴とする。
【００２９】
よって、第１足囲割合と第２足囲割合が上記の割合で、第１足囲角度と第２足囲角度が上記の角度となっているので、足囲を正確に測定することができる。また、第１甲回り割合と第２甲回り割合が上記の割合で、第１甲回り角度と第２甲回り角度が上記の角度となっているので、甲回りを正確に測定することができる。
【００３０】
なお、上記第７の構成を以下のようにしてもよい。すなわち、上記第７の構成における「第１覆い部が、第１装着体を足に装着した場合において、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、」を「第１覆い部が、第１装着体を足に装着した場合において、足の裏側に位置する領域である第１覆い部用足底部（１４）と、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、」とし、「第１目盛り表示部が、第１覆い部用足甲部上の第１仮想線（３０Ｇ）上に設けられ、該第１仮想線は、第１装着体のつま先側の端部からかかと側の端部までの長さに対応する足長の足に第１装着体を装着した状態である第１装着状態において、第１装着体の平面視で、第１装着体のつま先側の端部からかかと側の端部までの直線である第１仮想中心線（３４Ｌ）の長さ（Ｈ１）に対するかかと側の端部からの長さ（Ｈ２）の割合である第１足囲割合が６１．５〜７１．５％の位置を通る第１仮想直線で、該第１仮想中心線のつま先側の方向と該第１仮想直線における第１装着体の左右方向における内側の方向とがなす角度である第１足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した第１仮想曲線（３１Ｌ）と平面透視において略一致し、」における「底板部」を「第１覆い部用足底部」とし、「第２目盛り表示部が、第１覆い部用足甲部上の第２仮想線（３２Ｇ）上に設けられ、該第２仮想線は、第１装着状態において、第１装着体の平面視で、該第１仮想中心線の長さ（Ｈ１）に対するかかと側の端部からの長さの割合である第１甲回り割合が５１．０〜６１．０％の位置を通る第２仮想直線で、該第１仮想中心線のつま先側の方向と該第２仮想直線における第１装着体の左右方向における内側の方向とがなす角度である第１甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した第２仮想曲線（３３Ｌ）と平面透視において略一致し、」における「底板部」を「第１覆い部用足底部」としてもよい。
【００３１】
また、上記第７の構成における「足囲用底構成部は、第２覆い部用足底部における第３仮想線（１０４Ｇ）上に設けられ、第３仮想線は、第２装着体のつま先側の端部からかかと側の端部までの長さが第１仮想中心線の長さに対応する第２装着体が足に装着された第１装着体の外側に装着された状態である第２装着状態において、第１仮想直線（３０Ｌ）と平面透視において略一致し、」を「足囲用底構成部は、第２覆い部用足底部における第３仮想線（１０４Ｇ）上に設けられ、第３仮想線は、第２装着体のつま先側の端部からかかと側の端部までの長さが第１仮想中心線の長さに対応する第２装着体が足に装着された第１装着体の外側に装着された状態である第２装着状態において、第２装着体の平面視で、第２装着体のつま先側の端部からかかと側の端部までの直線である第２仮想中心線（９０Ｌ）の長さ（Ｈ１１）に対するかかと側の端部からの長さの割合である第２足囲割合が上記第１足囲割合と略同一の位置を通る第３仮想直線で、該第２仮想中心線のつま先側の方向と該第３仮想直線における第２装着体の左右方向における内側の方向とがなす角度である第２足囲角度（β１）が第１足囲角度と略同一となる第３仮想直線（１０４Ｌ）と平面透視において略一致し、」としてもよい。
【００３２】
また、上記第７の構成における「甲回り用底構成部は、第２覆い部用足底部における第５仮想線（１２４Ｇ）上に設けられ、第５仮想線は、第２装着状態において、第２仮想直線（３２Ｌ）と平面透視において略一致し、」を「甲回り用底構成部は、第２覆い部用足底部における第５仮想線（１２４Ｇ）上に設けられ、第５仮想線は、第２装着状態において、第２装着体の平面視で、第２装着体のつま先側の端部からかかと側の端部までの第２仮想中心線の長さ（Ｈ１１）に対するかかと側の端部からの長さの割合である第２甲回り割合が上記第１甲回り割合と略同一の位置を通る第４仮想直線で、該第２仮想中心線のつま先側の方向と該第４仮想直線における第２装着体の左右方向における内側の方向とがなす角度である第２甲回り角度（β２）が第１甲回り角度と略同一となる第４仮想直線（１２４Ｌ）と平面透視において略一致し、」としてもよい。
【００３３】
また、第８には、上記第７の構成において、足囲用底構成部と、足囲用第１横構成部と、足囲用第２横構成部におけるそれぞれは、互いに平行な長手辺を有する帯状を呈し、
甲回り用底構成部と、甲回り用第１横構成部と、甲回り用第２横構成部におけるそれぞれは、互いに平行な長手辺を有する帯状を呈することを特徴とする。
【００３４】
また、第９には、上記第８の構成において、足囲用周設部の展開状態において、足囲用底構成部の長手辺の方向と、足囲用第１横構成部の長手辺の方向がなす角度で、つま先側の角度が１８５〜１９１度であるとともに、足囲用底構成部の長手辺の方向と、足囲用第２横構成部の長手辺の方向がなす角度で、つま先側の角度が１５１〜１５７度であり、足囲用底構成部と足囲用第１横構成部の境界線（１０２−１）の方向と、足囲用第１横構成部の長手辺の方向がなす角度で、つま先側で、かつ、足囲用第１横構成部側の角度が７３〜７９度であり、足囲用底構成部と足囲用第２横構成部の境界線（１０２−２）の方向と、足囲用第２横構成部の長手辺の方向がなす角度で、つま先側で、かつ、足囲用第２横構成部側の角度が６７〜７３度であり、甲回り用周設部の展開状態において、甲回り用底構成部の長手辺の方向と、甲回り用第１横構成部の長手辺の方向がなす角度で、つま先側の角度が１８８〜１９４度であるとともに、甲回り用底構成部の長手辺の方向と、甲回り用第２横構成部の長手辺の方向がなす角度で、つま先側の角度が１７２〜１７８度であり、甲回り用底構成部と甲回り用第１横構成部の境界線（１２２−１）の方向と、甲回り用第１横構成部の長手辺の方向がなす角度で、つま先側で、かつ、甲回り用第１横構成部側の角度が６４〜７０度であり、甲回り用底構成部と甲回り用第２横構成部の境界線（１２２−２）の方向と、甲回り用第２横構成部の長手辺の方向がなす角度で、つま先側で、かつ、甲回り用第２横構成部側の角度が７７〜８３度であることを特徴とする。
【００３５】
よって、足囲用周設部を足囲の位置に正確に位置させることができるとともに、甲回り用周設部を甲回りの位置に正確に位置させることができる。
【００３６】
また、第１０には、上記第４又は第６又は第７又は第８の構成において、第１目盛り表示部と第２目盛り表示部は、少なくとも目盛りの配列方向に非伸縮性又は難伸縮性を有することを特徴とする。
【００３７】
また、第１１には、上記第１から第１０までのいずれかの構成において、第１覆い部における第１装着体を足に装着した場合の足の甲側の領域に、第１中心表示部（３４ａ）が、第１装着体のつま先側の端部からかかと側の端部への方向である足長方向に、第１装着体の平面視において、第１装着体のつま先側の端部からかかと側の端部までの直線である第１仮想中心線（３４Ｌ）に沿って設けられ、第２装着体における第２覆い部用足甲部に、第２中心表示部（９０ａ）が、第２装着体のつま先側の端部からかかと側の端部への方向である足長方向に、第２装着体の平面視において、第２装着体のつま先側の端部からかかと側の端部までの直線である第２仮想中心線（９０Ｌ）に沿って設けられていることを特徴とする。
【００３８】
よって、第１装着体を装着した足に第２装着体を装着する際に、２つの中心表示線を合わせることにより、第１装着体５と第２装着体７０の位置を合わせることができる。
【００３９】
また、第１２には、上記第１から第１１までのいずれかの構成において、足囲用周設部の一方の端部領域からつま先側又はかかと側に突出する第１突状部（１１０）が第２覆い部における開口部の縁部に隣接する領域に設けられ、足囲用周設部の他方の端部領域からつま先側又はかかと側に突出する第２突状部（１１２）が第２覆い部における開口部の縁部に隣接する領域に設けられ、第１突状部と第２覆い部における第１突状部が設けられた領域のそれぞれには、第１紐部（１１６）を挿通するための穴部である第１穴部（１１０−１、７６ｂ−１）が設けられ、第２突状部と第２覆い部における第２突状部が設けられた領域のそれぞれには、第１紐部（１１６）を挿通するための穴部である第２穴部（１１２−１、７６ｂ−２）が設けられ、甲回り用周設部の一方の端部領域からつま先側又はかかと側に突出する第３突状部（１３０）が第２覆い部における開口部の縁部に隣接する領域に設けられ、甲回り用周設部の他方の端部領域からつま先側又はかかと側に突出する第４突状部（１３２）が第２覆い部における開口部の縁部に隣接する領域に設けられ、
第３突状部と第２覆い部における第３突状部が設けられた領域のそれぞれには、第２紐部（１３６）を挿通するための穴部である第３穴部（１３０−１、７６ｃ−１）が設けられ、第４突状部と第２覆い部における第４突状部が設けられた領域のそれぞれには、第２紐部（１３６）を挿通するための穴部である第４穴部（１３２−１、７６ｃ−２）が設けられ、第１穴部と第２穴部に挿通された第１紐部と、第３穴部と第４穴部に挿通された第２紐部が設けられ、第１紐部により第１突状部と第２突状部間の締付け度合いが調整され、第２紐部により第３突状部と第４突状部間の締付け度合いが調整されることを特徴とする。
【００４０】
よって、第１紐部により第１突出部と第２突出部間の締付け度合いを調整して、一対の第１端辺部が上方に浮くのを防止することができ、また、第２紐部により第３突出部と第４突出部間の締付け度合いを調整して、一対の第２端辺部が上方に浮くのを防止することができる。
【００４１】
なお、上記第１２の構成において、第１紐部に着脱可能な第１留め具で、第１紐部の両側の端部が挿通された状態で第１紐部に固定することにより、第１紐部の締付け度合いを調整する第１留め具（１１８）と、第２紐部に着脱可能な第２留め具で、第２紐部の両側の端部が挿通された状態で第２紐部に固定することにより、第２紐部の締付け度合いを調整する第２留め具（１３８）と、を有することを特徴とするものとしてもよい。
【００４２】
また、上記第１２の構成において、第１突状部と第２突状部は、つま先側に突出して形成され、第３突状部と第４突状部は、かかと側に突出して形成されていることを特徴とするものとしてもよい。
【００４３】
また、第１３には、上記第１から第１２までのいずれかの構成において、第２覆い部の足甲部には、開口部の縁部に沿って、伸縮性を有する弾性部材（７７、７７’）が設けられていることを特徴とする。
【００４４】
よって、開口部の縁部が上方に浮くのを防止できるので、第１端辺部や第２端辺部が上方に浮くのを防止することができ、足囲や甲回りを正確に測定することができる。
【００４５】
また、第１４には、上記第１から第１３までのいずれかの構成において、足囲用周設部は、少なくとも長手方向に非伸縮性又は難伸縮性を有し、甲回り用周設部は、少なくとも長手方向に非伸縮性又は難伸縮性を有し、第１装着体の第１覆い部は、少なくとも、第１装着体のつま先側の端部からかかと側の端部への方向である足長方向と直角方向に伸縮性を有し、第２装着体の第２覆い部は、少なくとも、第２装着体のつま先側の端部からかかと側の端部への方向である足長方向と直角方向に伸縮性を有することを特徴とする。
【００４６】
また、第１５には、上記第１から第１４までのいずれかの構成において、底板部は、非柔軟性又は第１装着体を足に装着した際に足の裏の形状に沿って変形することがない程度の低柔軟性の素材により形成されていることを特徴とする。
【００４７】
また、第１６には、上記第１から第１５までのいずれかの構成において、第１装着体と第２装着体に別体に構成され、足サイズ測定具の使用に際しては、第１装着体を足に装着し、装着した第１装着体の外側に第２装着体を装着することを特徴とする。
【００４８】
また、第１７には、上記第１から第１５までのいずれかの構成において、第１装着体は、第２装着体の内側に設けられ、底板部の下側に第２覆い部用足底部が位置し、第１覆い部の履き口が、足サイズ測定具の平面視において、第２覆い部の履き口内に視認できる状態で、第１装着体が第２装着体に固定されていることを特徴とする。
【００４９】
よって、第１装着体が第２装着体に固定されているので、足サイズ測定具を足に装着する動作が１回で済ますことができ、また、第１装着体と第２装着体を位置合わせする必要がなくなる。
【００５０】
また、第１８には、第１から第１７までのいずれかの構成の足サイズ測定具を複数備えた足サイズ測定具セットであって、複数の足サイズ測定具における第１装着体においては、第１装着体のつま先側の端部からかかと側の端部までの長さが異なり（「第１装着体の平面視において、第１装着体のつま先側の端部からかかと側の端部までの直線である第１仮想中心線の長さ（Ｈ１）が異なり」としてもよい）、複数の足サイズ測定具における第２装着体においては、第２装着体のつま先側の端部からかかと側の端部までの長さが異なる（「第２装着体のつま先側の端部からかかと側の端部までの直線である第２仮想中心線の長さ（Ｈ１１）が異なる」としてもよい）ことを特徴とする。
【００５１】
第１８の構成の足サイズ測定具セットにおいては、第１仮想中心線の長さが異なる複数の複数の第１装着体が設けられ、第２仮想中心線の長さが異なる複数の複数の第２装着体が設けられているので、測定対象の足の足長に対応した第１装着体と第２装着体を選択し、それらを足に装着して測定することにより、足囲と甲回りを正確に測定することができる。
【００５２】
また、第１９には、足のサイズを測定する足サイズ測定具であって、覆い部（１２）と、略足型形状で板状の底板部（６０）とを有し、覆い部は、伸縮性及び柔軟性のある素材により形成され、足の表面領域における足の裏側を除く領域である足の甲とつま先とかかとの領域を少なくとも覆う形状で、足を入れるための履き口を有し、足サイズ測定具を足に装着した状態で底板部が足の裏側に位置するように底板部が覆い部に固定され、覆い部の外側の面において、足サイズ測定具を足に装着した場合の足の足囲に対応する位置に足囲用表示部（３０）が設けられ、覆い部の外側の面において、足サイズ測定具を足に装着した場合の足の甲回りに対応する位置に甲回り用表示部（３２）が設けられていることを特徴とする。
【００５３】
第１９の構成の足サイズ測定具によれば、足に足サイズ測定具を装着して、３Ｄ測定器により足囲用表示部に沿った長さと甲回り用表示部に沿った長さを計測することにより足囲と甲回りを得ることができるので、目盛りが表示されたメジャー部を足に巻き付ける必要がなく、容易に足囲と甲回りを測定することができる。
【００５４】
また、足サイズ測定具には、底板部が設けられているので、足の土踏まずの下方に空間を形成した状態で甲回りを測定することができ、土踏まずの下方の空間を考慮した靴を製造することができる。
【００５５】
なお、第１９の構成において、土踏まずを有する足に足サイズ測定具が装着された状態では、底板部により土踏まずの下方に空間が形成されることを特徴とするものとしてもよい。
【００５６】
また、第２０には、上記第１９の構成において、足囲用表示部は、足囲に沿って設けられた線状の表示部であり、甲回り表示部は、甲回りに沿って設けられた線状の表示部であることを特徴とする。
【００５７】
また、第２１には、上記第１９又は第２０の構成において、覆い部は、足サイズ測定具を足に装着した場合に足の裏側に位置する領域である足底部（１４）を有していて、覆い部が全体に足が入る袋状を呈し、底板部は、足底部の外側の面に固定して設けられ、該足囲用表示部は、少なくとも、覆い部の特定領域における足囲に沿った一方の端部から他方の端部にまで設けられ、該甲回り用表示部は、少なくとも、覆い部の特定領域における甲回りに沿った一方の端部から他方の端部にまで設けられ、該覆い部の特定領域は、覆い部における足底部を除いた領域であることを特徴とする。
【００５８】
また、上記第１９から第２１までのいずれかの構成において、覆い部が、足サイズ測定具を足に装着した場合に、足の甲側に位置する領域である足甲部（１６）と、足のつま先側に位置する領域であるつま先部（１８）と、足のかかと側に位置する領域であるかかと部（２０）とを有することを特徴とするものとしてもよい。
【００５９】
また、第２２には、上記第１９又は第２０の構成において、覆い部は、下方が開口された形状を有し、覆い部の下端が底板部の縁部に沿って固定して設けられ、該足囲用表示部は、少なくとも、覆い部における足囲に沿った一方の端部から他方の端部にまで設けられ、該甲回り表示部は、少なくとも、覆い部における甲回りに沿った一方の端部から他方の端部にまで設けられていることを特徴とする。
【００６０】
また、第２３には、上記第２１又は第２２の構成において、足囲用表示部は、底板部の底面における足囲に対応する位置に設けられ、甲回り用表示部は、底板部の底面における甲回りに対応する位置に設けられていることを特徴とする。
【００６１】
また、第２４には、上記第１９又は第２０の構成において、覆い部は、足サイズ測定具を足に装着した場合に足の裏側に位置する領域である足底部（１４）を有していて、覆い部が全体に足が入る袋状を呈し、底板部は、足底部の内側の面に固定して設けられ、該足囲用表示部は、少なくとも、覆い部の特定領域における足囲に沿った一方の端部から他方の端部にまで設けられ、該甲回り用表示部は、少なくとも、覆い部の特定領域における甲回りに沿った一方の端部から他方の端部にまで設けられ、該覆い部の特定領域は、覆い部における足底部の底面から底板部の厚み分上方の位置よりも上側の領域であることを特徴とする。
【００６２】
また、第２５には、上記第２４の構成において、足囲用表示部は、覆い部においてループ状に設けられ、甲回り用表示部は、覆い部においてループ状に設けられていることを特徴とする。
【００６３】
また、第２６には、上記第１９から第２５までのいずれかの構成において、覆い部が、足サイズ測定具を足に装着した場合において、足の甲側に位置する領域である足甲部（１６）と、足のつま先側に位置する領域であるつま先部（１８）と、足のかかと側に位置する領域であるかかと部（２０）とを有し、足囲用表示部が、足甲部上の第１仮想線（３１Ｇ）上に設けられ、該第１仮想線は、足サイズ測定具のつま先側の端部からかかと側の端部までの長さに対応する足長の足に足サイズ測定具を装着した状態である装着状態において、足サイズ測定具の平面視で、足サイズ測定具のつま先側の端部からかかと側の端部までの直線である仮想中心線（３４Ｌ）の長さ（Ｈ１）に対するかかと側の端部からの長さ（Ｈ２）の割合である足囲割合が６１．５〜７１．５％の位置を通る第１仮想直線で、該仮想中心線のつま先側の方向と該第１仮想直線における第１装着体の左右方向における内側の方向とがなす角度である足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した曲線である第１仮想曲線（３１Ｌ）と平面透視において略一致し、甲回り用表示部が、足甲部上の第２仮想線（３３Ｇ）上に設けられ、該第２仮想線は、該装着状態において、足サイズ測定具の平面視で、該仮想中心線の長さ（Ｈ１）に対するかかと側の端部からの長さの割合である甲回り割合が５１．０〜６１．０％の位置を通る第２仮想直線で、該仮想中心線のつま先側の方向と該第２仮想直線における第１装着体の左右方向における内側の方向とがなす角度である甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した曲線である第２仮想曲線（３３Ｌ）と平面透視において略一致することを特徴とする。
【００６４】
よって、足囲割合が上記の割合で、足囲角度が上記の角度となっているので、足囲を正確に測定することができる。また、甲回り割合が上記の割合で、甲回り角度が上記の角度となっているので、甲回りを正確に測定することができる。
【００６５】
なお、上記第２６の構成を以下のようにしてもよい。すなわち、上記第２６の構成における「覆い部が、足サイズ測定具を足に装着した場合において、足の甲側に位置する領域である足甲部（１６）と、足のつま先側に位置する領域であるつま先部（１８）と、足のかかと側に位置する領域であるかかと部（２０）とを有し、」を「覆い部が、足サイズ測定具を足に装着した場合において、足の裏側に位置する領域である足底部（１４）と、足の甲側に位置する領域である足甲部（１６）と、足のつま先側に位置する領域であるつま先部（１８）と、足のかかと側に位置する領域であるかかと部（２０）とを有し、」とし、「足囲用表示部が、足甲部上の第１仮想線（３０Ｇ）上に設けられ、該第１仮想線は、足サイズ測定具のつま先側の端部からかかと側の端部までの長さに対応する足長の足に足サイズ測定具を装着した状態である装着状態において、足サイズ測定具の平面視で、足サイズ測定具のつま先側の端部からかかと側の端部までの直線である仮想中心線（３４Ｌ）の長さ（Ｈ１）に対するかかと側の端部からの長さ（Ｈ２）の割合である足囲割合が６１．５〜７１．５％の位置を通る第１仮想直線で、該仮想中心線のつま先側の方向と該第１仮想直線における第１装着体の左右方向における内側の方向とがなす角度である足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した第１仮想曲線（３１Ｌ）と平面透視において略一致し、」における「底板部」を「足底部」とし、「甲回り用表示部が、足甲部上の第２仮想線（３２Ｇ）上に設けられ、該第２仮想線は、該装着状態において、足サイズ測定具の平面視で、該仮想中心線の長さ（Ｈ１）に対するかかと側の端部からの長さの割合である甲回り割合が５１．０〜６１．０％の位置を通る第２仮想直線で、該仮想中心線のつま先側の方向と該第２仮想直線における第１装着体の左右方向における内側の方向とがなす角度である甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した第２仮想曲線（３３Ｌ）と平面透視において略一致する」における「底板部」を「足底部」としてもよい。
【００６６】
また、第２７には、上記第１９から第２６までのいずれかの構成において、覆い部は、少なくとも、足サイズ測定具のつま先側の端部からかかと側の端部への方向である足長方向と直角方向に伸縮性を有することを特徴とする。
【００６７】
また、第２８には、上記第１９から第２７までのいずれかの構成において、底板部は、非柔軟性又は足サイズ測定具を足に装着した際に足の裏の形状に沿って変形することがない程度の低柔軟性の素材により形成されていることを特徴とする。
【００６８】
また、第２９には、上記第１から第２８までのいずれかの構成において、底板部が平板状であることを特徴とする。
【００６９】
また、第３０には、上記第１から第２８までのいずれかの構成において、底板部が、製造する靴の内底面の曲面形状又は靴製造用の製靴型の底面の曲面形状に応じた曲面を有する板状であることを特徴とする。
【００７０】
なお、上記第３０の構成において、底板部において、第１構成部（６０−１）と第２構成部（６０−２）と第３構成部（６０−３）が、つま先側からかかと側に向けて、第１構成部、第２構成部、第３構成部の順に連設され、第１構成部は、つま先側からかかと側に向けて下方に傾斜した板状であり、第２構成部は、つま先側からかかと側に向けて上方に傾斜した板状であり、第３構成部は、つま先側からかかと側に向けて下方に傾斜した板状であり、第２装着状態において、足囲用底構成部と甲回り用底構成部が、第２構成部の領域の下方に位置するとしてもよい。
【００７１】
また、第３１には、第１９から第２８までのいずれかの構成の足サイズ測定具を複数備えた足サイズ測定具セットであって、複数の足サイズ測定具においては、足サイズ測定具のつま先側の端部からかかと側の端部までの長さが異なる（「足サイズ測定具のつま先側の端部からかかと側の端部までの直線である仮想中心線の長さ（Ｈ１）が異なる」としてもよい）ことを特徴とする。
【００７２】
第３１の構成の足サイズ測定具セットにおいては、つま先側の端部からかかと側の端部までの長さが異なる複数の足サイズ測定具が設けられているので、測定対象の足の足長に対応した足サイズ測定具を選択し、選択した足サイズ測定具を足に装着して測定することにより、足囲と甲回りを正確に測定することができる。
【００７３】
なお、上記各構成において、平面視及び平面透視における視認方向は、足の裏側となる方向を底面側とする方向であり、第１装着体や第２装着体の履き口の側を上面側とする方向である。
【発明の効果】
【００７４】
本発明に基づく請求項１、請求項６及びこれらに従属する請求項の足サイズ測定具によれば、足の足長に対応する第１装着体と第２装着体を足に装着した状態で、一対の第１端辺部間の長さと一対の第２端辺部間の長さを読み取り、読み取った値に基づき足囲と甲回りを得ることができるので、目盛りが表示されたメジャー部を足に巻き付ける必要がなく、容易に足囲と甲回りを測定することができる。
【００７５】
また、第１装着体には、底板部が設けられているので、足の土踏まずの下方に空間を形成した状態で甲回りを測定することができ、製靴型を考慮した靴を製造することができる。
【００７６】
また、請求項１９及びこれらに従属する請求項の足サイズ測定具によれば、足に足サイズ測定具を装着して、３Ｄ測定器により足囲用表示部に沿った長さと甲回り用表示部に沿った長さを計測することにより足囲と甲回りを得ることができるので、目盛りが表示されたメジャー部を足に巻き付ける必要がなく、容易に足囲と甲回りを測定することができる。
【００７７】
また、足サイズ測定具には、底板部が設けられているので、足の土踏まずの下方に空間を形成した状態で甲回りを測定することができ、製靴型を考慮した靴を製造することができる。
【図面の簡単な説明】
【００７８】
【図１】第１装着体の平面図である。
【図２】第１装着体の上方からの斜視図である。
【図３】第１装着体の左側面図である。
【図４】第１装着体の右側面図である。
【図５】第１装着体の下方斜視図である。
【図６】第１装着体の構成を説明するための説明図である。
【図７】第１装着体の構成を説明するための説明図である。
【図８】第１装着体の他の例を示す左側面図である。
【図９】第１装着体の他の例を示す左側面図である。
【図１０】第１装着体の他の例を示す断面図である。
【図１１】第１装着体の他の例を示す左側面図である。
【図１２】第２装着体の平面図である。
【図１３】図１０の要部拡大図である。
【図１４】第２装着体の斜視図である。
【図１５】第２装着体の底面図である。
【図１６】第２装着体の構成を説明するための説明図である。
【図１７】覆い部の平面図である。
【図１８】第２装着体の開口部の周囲部の構成を示す図であり、（ａ）はその平面図及び要部拡大図であり、（ｂ）は（ａ）のＣ−Ｃ断面図である。
【図１９】第２装着体の開口部の周囲部の他の構成を示す図であり、（ａ）はその平面図及び要部拡大図であり、（ｂ）は（ａ）のＤ−Ｄ断面図である。
【図２０】足囲測定部を示す展開図である。
【図２１】甲回り測定部を示す展開図である。
【図２２】第１装着体を足に装着した状態を示す平面図である。
【図２３】第１装着体を足に装着した状態を示す斜視図である。
【図２４】第１装着体の断面図であり、（ａ）は、図１におけるＡ−Ａ断面図であり、（ｂ）は、図２２におけるＥ−Ｅ断面図である。
【図２５】第１装着体を装着した足に第２装着体を装着した状態を示す平面図である。
【図２６】第１装着体を装着した足に第２装着体を装着した状態を示す斜視図である。
【図２７】第１装着体を装着した足に第２装着体を装着した状態を示す左側面図である。
【図２８】第１装着体を装着した足に第２装着体を装着した状態を示す右側面図である。
【図２９】第２装着体の断面図であり、（ａ）は、図１２におけるＢ−Ｂ断面図であり、（ｂ）は、図２５におけるＦ−Ｆ断面図である。
【図３０】足サイズ測定具における測定方法を示す説明図である。
【図３１】第２装着体の他の例を示す平面図である。
【図３２】第１変形例の足サイズ測定具における第１装着体を示す平面図である。
【図３３】第１変形例の足サイズ測定具における第１装着体の上方からの斜視図である。
【図３４】第１変形例の足サイズ測定具において、第１装着体を装着した足に第２装着体を装着した状態を示す平面図である。
【図３５】図３４の要部拡大図である。
【図３６】第１装着体を第２装着体に固定した場合の構成を示す平面図である。
【図３７】第１装着体を第２装着体に固定した場合の構成を示す断面図である。
【図３８】第２変形例の足サイズ測定具を示す平面図である。
【図３９】第２変形例の足サイズ測定具の上方からの斜視図である。
【図４０】第２変形例の足サイズ測定具の他の例を示す下方斜視図である。
【図４１】第２変形例の足サイズ測定具の他の例を示す下方斜視図である。
【発明を実施するための形態】
【００７９】
本発明においては、足囲と甲回りを測定するための足サイズ測定具であって、目盛りが表示されたメジャー部を足に巻き付けて測定する必要がなく、容易に足囲と甲回りを測定することができる足サイズ測定具を提供するという目的を以下のようにして実現した。
【００８０】
本発明に基づく足サイズ測定具１は、図１〜図２１に示されるように構成され、第１装着体（第１足用被覆体、第１ソックス部としてもよい）５と、第２装着体（第２足用被覆体、第２ソックス部としてもよい）７０とを有している。
【００８１】
第１装着体５は、図１〜図７に示すように構成され、装着体本体（被覆体本体、ソックス本体としてもよい）１０と、装着体本体１０の底面に固定して設けられた底板部６０とを有している。
【００８２】
装着体本体１０は、覆い部（足覆い部、袋状部としてもよい）１２と、覆い部１２に固定して設けられた目盛り表示部４０、５０を有している。
【００８３】
覆い部（第１覆い部）１２は、足が入る袋状（足を覆う袋状としてもよい）（ソックス形状、靴下形状としてもよい）を呈し、足底部１４と、足底部１４から連設された足甲部１６と、足底部１４と足甲部１６から連設されたつま先部１８と、足底部１４と足甲部１６から連設されたかかと部２０とを有している。この覆い部１２は、伸縮性及び柔軟性のある素材により全体に一体に形成されている。
【００８４】
ここで、覆い部１２を構成する伸縮性及び柔軟性のある素材としては、天然ゴムや合成ゴム（例えば、シリコンゴム、クロロプレンゴム）のゴムや、ポリエステル、ポリウレタン、アクリル、ウール、綿等の布素材（布地（生地））（例えば、靴下に用いられる布素材（布地（生地）））により形成されている。靴下に用いられる布素材としては、布地の種類としては、主として編物（特に、丸編）であり、靴下の場合と同様に、複数の素材が組み合わされて形成され、例えば、綿アクリル混、ポリエステル綿混、アクリル毛混等が挙げられる。覆い部１２の素材の具体例としては、ゴム製のシート１２−１の両面に布地１２−２、１２−３を接着等により固定した三層からなるシート状部材であり（図２４（ａ）参照）、例えば、ゴム製のシート１２−１は、クロロプレンゴムにより形成され、布地１２−２、１２−３は、ポリエチレン又はナイロンの布地により形成されたものとする。
【００８５】
なお、布素材の伸縮の方向としては、縦方向及び横方向に伸びて、結果として、３６０度におけるどの方向にも伸びるものとするのが好ましいが、足囲と甲回りを測定するので、横方向（図１におけるＸ１−Ｘ２方向）のみに伸びる素材であってもよい。つまり、覆い部１２は、少なくとも、第１装着体５のつま先側の端部からかかと側の端部への方向である足長方向と直角方向に伸縮性を有するものであればよい。
【００８６】
なお、覆い部１２がゴム製の場合のように保形性を有する場合には、第１装着体５を単に載置した状態でも図１〜図５のような形状を有しているが、布素材を用いた場合には、保形性を有しないため、第１装着体５を単に載置した場合には、覆い部１２の布素材が折り返して重なって、覆い部１２が扁平状に畳まれた状態となるが、覆い部１２が伸びないで保形された状態が、図１〜図５のようになる。つまり、覆い部１２の中に型を挿入した状態で、覆い部１２が伸びず、かつ、覆い部１２の布素材が折り返して重なることなく覆い部１２本来の形状を保った場合には、図１〜図５のようになる。覆い部１２の構成する素材の厚みとしては、布素材の場合には、通常の靴下に用いる布と同程度の厚み（例えば、１〜３ｍｍ程度の厚み）であり、ゴム製の場合には、１〜３ｍｍ程度の厚みの素材により形成されているが、足の足囲や甲回りを測定するので、測定誤差を少なくするには、いずれの素材の場合もなるべく薄い素材とすることが好ましい。
【００８７】
ここで、覆い部１２について、特に保形された状態に基づき図１〜図７を使用して説明すると、以下のようになる。すなわち、足底部（第１覆い部用足底部）１４は、覆い部１２の底部を構成し、底板部６０と同一の形状・大きさを有し、略足型の形状（足型の形状としてもよい）を有している。つまり、足底部１４は、第１装着体５を足に装着した場合に足の裏側となり領域である。なお、足底部１４は、底板部６０の上面に固定されているので、平板状を呈している。
【００８８】
また、足甲部（第１足甲部）１６は、足底部１４の左側（Ｘ１側）の端部から連設されるとともに、足底部１４の右側（Ｘ２側）の端部から連設され、全体に左右方向の略中央が膨らんだ略アーチ状を呈し、横断面形状は略逆Ｕ字状を呈していて、横断面形状においては、足甲部１６の左端から頂部に行くに従い高さが高くなり、水平方向（足底部１４の方向）に対する傾斜角度は、左端から頂部に行くに従い小さくなっていき、同様に、足甲部１６の右端から頂部に行くに従い高さが高くなり、水平方向に対する傾斜角度は、右端から頂部に行くに従い小さくなる。また、この足甲部１６の左右方向における頂部は、図３、図４に示すように、覆い部１２の先端側から後端側にいくに従い徐々に高くなり、図３、図４のように、覆い部１２の側面視においては、足甲部１６の頂部がなす曲線は、先端から途中までは、水平方向に対してなだらかに上向きに傾斜し、該途中からは傾斜角度が大きくなる。つまり、足甲部１６における先端から途中位置までの領域Ｒ１６−１においては、足甲部１６の先端から後端に向けて該曲線の接線の水平方向に対する角度が徐々に小さくなるか、又は、略一定であり（図３、図４では、領域Ｒ１６−１における先端から途中までは、該角度が徐々に小さくなり、途中からは略一定となる）、該途中位置から足甲部１６の後端までの領域Ｒ１６−２においては、先端から後端に向けて、該曲線の接線の水平方向に対する角度が徐々に大きくなり、傾斜が大きくなっていく。足甲部１６は、第１装着体５を足に装着した場合に、足の甲側に位置する領域である。
【００８９】
また、つま先部（第１つま先部）１８は、足底部１４の先端側の辺部から連設されるとともに、足甲部１６の先端から連設され、横断面がつま先部１８の先端部以外は略アーチ状を呈し、該横断面の径が先端に向けて徐々に小さくなり、つま先部１８の先端部は、足底部１４の先端と一致している。つまり、図３、図４のように、覆い部１２の側面視においては、つま先部１８の頂部がなす曲線は、つま先部１８の先端から後端に向けて上向きに傾斜し、該曲線の接線の水平方向に対する角度は、つま先部１８の先端から後端に向けて徐々に小さくなる。つま先部１８は、第１装着体５を足に装着した場合に、足のつま先側に位置する領域である。
【００９０】
また、かかと部（第１かかと部）２０は、足底部１４の後端側の辺部から連設されるとともに、足甲部１６の後端から連設されている。かかと部２０の左側の領域２０−１においては、下側領域が外側（Ｘ１側）にやや膨らんだ形状を呈し、下側領域よりも上側の領域である上側領域は、上方にいくに従い内側（つまり、Ｘ２側）となるように傾斜し、かかと部２０の後側（Ｙ１側）の領域２０−２においては、下側領域が外側（Ｙ１側）にやや膨らんだ形状を呈し、下側領域よりも上側の領域である上側領域は、上方にいくに従い内側（つまり、Ｙ２側）となるように傾斜し、また、かかと部２０の右側の領域２０−３においては、下側領域が外側（Ｘ２側）にやや膨らんだ形状を呈し、下側領域よりも上側の領域である上側領域は、上方にいくに従い内側（つまり、Ｘ１側）となるように傾斜している。かかと部２０は、第１装着体５を足に装着した場合に、足のかかと側に位置する領域である。
【００９１】
また、かかと部２０の上端には、履き口としての開口部２２が設けられ、第１装着体５を足に装着する際には、足を開口部２２から挿入する。つまり、覆い部１２の上方に開口部２２が設けられている。なお、このかかと部２０の高さ方向の長さは、第１装着体５を足に装着した際に、開口部２２がくるぶしよりも下側となるような長さに形成されている。
【００９２】
また、覆い部１２には、足囲表示線３０と、甲回り表示線３２と、中心表示線３４が設けられている。これらの表示線は、線状（具体的には、実線の線状）の表示線であり、印刷又は手書きにより設けられている。なお、これらの表示線の代わりに、表示線の位置に沿って表示部を設けてもよく、例えば、糸による刺繍や、複数の開口部の配列により表示部を形成してもよい。糸による刺繍の場合、伸縮性を有する糸を用い、複数の開口部の配列による場合には、例えば、円形の開口部を表示線の位置に沿って配列する。
【００９３】
足囲表示線（足囲表示部）３０は、足甲部１６の左端から形成された左足囲表示線３０ａと足甲部１６の右端から形成された右足囲表示線３０ｂとを有し、左足囲表示線３０ａの左端の点である左端点３０Ｐと右足囲表示線３０ｂの右端の点である右端点３０Ｑは、以下のようにして定められている。
【００９４】
すなわち、図６に示すように、足底部１４の中心線（第１仮想中心線、仮想中心線）３４Ｌに対して傾斜する第１直線（第１仮想直線）３０Ｌの足底部１４の左側の辺部との接点が左端点３０Ｐとなり、第１直線３０Ｌの足底部１４の右側の辺部との接点が右端点３０Ｑとなる。ここで、中心線３４Ｌは、足底部１４を平面視した際（つまり、覆い部１２を平面視した際）の足底部１４の先端３４−１（つま先側の端部）と後端３４−２（かかと側の端部）とを結んだ仮想直線である（先端３４−１は、第二趾に対応する位置とするのが好ましい）。中心線３４Ｌは直線であり、中心線３４Ｌの高さ方向の位置は、足底部１４の位置（特に、足底部１４の下面の位置）となる（底板部６０の上面の位置としてもよい）。また、第１直線３０Ｌにおいては、第１直線３０Ｌと中心線３４Ｌの交点３０−１と後端３４−２間の長さＨ２の中心線３４Ｌの先端３４−１と後端３４−２の間の長さ（足長方向の長さ）Ｈ１に対する割合（足囲割合）が、６１．５〜７１．５％（好適には６６．５％）であり、第１直線３０Ｌの中心線３４Ｌに対する傾斜角度（足囲角度）については、中心線３４Ｌのつま先側の方向と第１直線３０Ｌの足の配置位置に対する内側の方向とがなす角度α１１が、男性用の場合には６９．０〜７９．０度（好適には、７４．０度）で、女性用の場合には６８．０〜７８．０度（好適には、７３．０度）となっている。つまり、第１装着体５は、男性用と女性用が設けられている。
【００９５】
なお、第１装着体５の平面視や平面透視の方向は、底板部６０や足底部１４を底面側とし、開口部２２を上面側とした方向であり、足の裏側となる方向を底面側とする方向である。
【００９６】
なお、第１直線３０Ｌと足底部１４の辺部との接点を左端点３０Ｐ、右端点３０Ｑとしたが、第１直線３０Ｌと底板部６０の辺部との接点を左端点３０Ｐ、右端点３０Ｑとしてもよい。つまり、中心線３４Ｌを底板部６０の先端（つま先側の端部（好適には、第二趾に対応する位置））と後端（かかと側の端部）とを結ぶものする（この場合、中心線３４Ｌの先端が、底板部６０の先端位置となり、中心線３４Ｌの後端が、底板部６０の後端位置となる）とともに、第１直線３０Ｌと底板部６０の平面視における辺部との接点を左端点３０Ｐ、右端点３０Ｑとしてもよい。つまり、足底部１４と平面視における辺部と底板部６０の平面視における辺部は、略同一（同一としてもよい）であるので、第１直線３０Ｌと左端点３０Ｐ及び右端点３０Ｑを定める際に、足底部１４の代わりに底板部６０としてもよく、図６における足底部１４の輪郭を底板部６０の輪郭としてもよい。
【００９７】
そして、左足囲表示線３０ａと右足囲表示線３０ｂは、左端点３０Ｐと右端点３０Ｑとを結び、覆い部１２の平面視において前側（つま先側）に湾曲した（膨出したとしてもよい）略円弧状（略楕円弧状としてもよい）となる曲線（第１仮想線）３１Ｇ上に設けられる。曲線３１Ｇは、第１装着体５の平面視において、略円弧状であるとともに、第１装着体５の平面透視において、曲線（第１仮想曲線、仮想曲線）３１Ｌと一致（略一致としてもよい）する（曲線３１Ｌは、第１直線３０Ｌ及び中心線３４Ｌと同一平面上にある）。この曲線３１Ｌは、左端点３０Ｐと右端点３０Ｑとを結び前側（つま先側）に湾曲した（膨出したとしてもよい）略円弧状（円弧状、楕円弧状、略楕円弧状としてもよい）の曲線である。すなわち、曲線３１Ｌは、第１直線３０Ｌと足底部１４の平面視における輪郭との２つの接点（２つの接点は、左端点３０Ｐと右端点３０Ｑに当たる）を結びつま先側に湾曲した平面視における曲線である。つまり、曲線３１Ｇは、平面視では略円弧状であるが、実際の足甲部１６上では足甲部１６の表面に沿った曲線状となる。つまり、左足囲表示線３０ａと右足囲表示線３０ｂは、覆い部１２の平面視において略円弧状を呈し、覆い部１２の平面視において、左足囲表示線３０ａの略円弧状の延長線上に右足囲表示線３０ｂが存在する。なお、足底部１４の先端３４−１とは、概ね足の第二趾に対応する位置であり、後端３４−２は、かかとの後端に対応する位置である。
【００９８】
そして、左足囲表示線３０ａと右足囲表示線３０ｂは、第２装着状態（後述）において、左帯状部１０６と右帯状部１０８に対応した位置に設けられ、左足囲表示線３０ａの下端における左足囲表示線３０ａの接線の底板部６０の上面に対する角度は、角度β１２となり、右足囲表示線３０ｂの下端における右足囲表示線３０ｂの接線の底板部６０の上面に対する角度は、角度β２２となる。角度β１２、β２２については後述する。
【００９９】
なお、足囲表示線３０は、左足囲表示線３０ａと右足囲表示線３０ｂを有するとしたが、足囲表示線３０を左端点３０Ｐから右端点３０Ｑまで連続して曲線３１Ｇに沿って形成してもよい。その場合、目盛り表示部４０が設けられる領域においては、足囲表示線３０は、目盛り表示部４０により隠されることになる。
【０１００】
また、甲回り表示線（甲回り表示部）３２は、足甲部１６の左端から形成された左甲回り表示線３２ａと足甲部１６の右端から形成された右甲回り表示線３２ｂとを有し、左甲回り表示線３２ａの左端の点である左端点３２Ｐと右甲回り表示線３２ｂの右端の点である右端点３２Ｑは、以下のようにして定められている。
【０１０１】
すなわち、足底部１４の中心線３４Ｌに対して傾斜する第２直線（第２仮想直線）３２Ｌの足底部１４の左側の辺部との接点が左端点３２Ｐとなり、第２直線３２Ｌの足底部１４の右側の辺部との接点が右端点３２Ｑとなる。ここで、第２直線３２Ｌにおいては、第２直線３２Ｌと中心線３４Ｌとの交点３２−１と後端３４−２間の長さＨ３の中心線３４Ｌの先端３４−１と後端３４−２の間の長さＨ１に対する割合（甲回り割合）が、５１．０〜６１．０％（好適には５６．０％）であり、第２直線３２Ｌの中心線３４Ｌに対する傾斜角度（甲回り角度）については、中心線３４Ｌのつま先側の方向と第２直線３２Ｌの足の配置位置に対する内側の方向とがなす角度α１２が、男性用の場合には７５．５〜８５．５度（好適には、８０．５度）で、女性用の場合には７４．５〜８４．５度（好適には、７９．５度）となっている。つまり、第１装着体５は、男性用と女性用が設けられている。
【０１０２】
なお、第２直線３２Ｌと足底部１４の辺部との接点を左端点３２Ｐ、右端点３２Ｑとしたが、第２直線３２Ｌと底板部６０の辺部の接点を左端点３２Ｐ、右端点３２Ｑとしてもよい。つまり、中心線３４Ｌを底板部６０の先端（つま先側の端部（好適には、第二趾に対応する位置））と後端（かかと側の端部）とを結ぶものする（この場合、中心線３４Ｌの先端が、底板部６０の先端位置となり、中心線３４Ｌの後端が、底板部６０の後端位置となる）とともに、第２直線３２Ｌと底板部６０の辺部との接点を左端点３２Ｐ、右端点３２Ｑとしてもよい。つまり、足底部１４と平面視における辺部と底板部６０の平面視における辺部は、略同一（同一としてもよい）であるので、第２直線３２Ｌと左端点３２Ｐ及び右端点３２Ｑを定める際に、足底部１４の代わりに底板部６０としてもよく、図６における足底部１４の輪郭を底板部６０の輪郭としてもよい。
【０１０３】
そして、左甲回り表示線３２ａと右甲回り表示線３２ｂは、左端点３２Ｐと右端点３２Ｑとを結び、覆い部１２の平面視において前側（つま先側）に湾曲した（膨出したとしてもよい）略円弧状（略楕円弧状としてもよい）となる曲線（第２仮想線）３３Ｇ上に設けられる。曲線３３Ｇは、第１装着体５の平面視において、略円弧状であるとともに、第１装着体５の平面透視において、曲線（第２仮想曲線、仮想曲線）３３Ｌと一致（略一致としてもよい）する（曲線３３Ｌは、第２直線３２Ｌ及び中心線３４Ｌと同一平面上にある）。この曲線３３Ｌは、左端点３２Ｐと右端点３２Ｑとを結び前側（つま先側）に湾曲した（膨出したとしてもよい）略円弧状（円弧状、楕円弧状、略楕円弧状としてもよい）の曲線である。すなわち、曲線３３Ｌは、第２直線３２Ｌと足底部１４の平面視における輪郭との２つの接点（２つの接点は、左端点３２Ｐと右端点３２Ｑに当たる）を結びつま先側に湾曲した平面視における曲線である。つまり、曲線３３Ｇは、平面視では略円弧状であるが、実際の足甲部１６上では足甲部１６の表面に沿った曲線状となる。曲線３３Ｇは、つま先側に膨らんでいるが、曲線３１Ｇに接することがない程度に前側に膨出している。つまり、左甲回り表示線３２ａと右甲回り表示線３２ｂは、覆い部１２の平面視において略円弧状を呈し、覆い部１２の平面視において、左甲回り表示線３２ａの略円弧状の延長線上に右甲回り表示線３２ｂが存在する。
【０１０４】
なお、甲回り表示線３２は、左甲回り表示線３２ａと右甲回り表示線３２ｂを有するとしたが、左端点３２Ｐから右端点３２Ｑまで連続して曲線３３Ｇに沿って形成してもよい。その場合、目盛り表示部５０が設けられる領域においては、甲回り表示線３２は、目盛り表示部５０により隠されることになる。
【０１０５】
また、中心表示線（中心表示部）３４は、覆い部１２の先端から開口部２２の前端まで形成された中心表示線（第１中心表示部）３４ａと、覆い部１２の後端から開口部２２の後端まで形成された中心表示線３４ｂとを有し、中心表示線３４ａ、３４ｂは、中心線３４Ｌに対応した位置に形成されている。すなわち、中心表示線３４ａ、３４ｂは、覆い部１２上の曲線３４Ｇ上に設けられ、曲線３４Ｇは、覆い部１２を平面透視した際に、中心線３４Ｌと重なる。この曲線３４Ｇは、実際の覆い部１２上では覆い部１２の表面に沿った曲線であり、覆い部１２の平面視において直線状を呈している。中心表示線３４ａは、つま先部１８の先端から足甲部１６の後端（開口部２２の前端位置）まで形成され、中心表示線３４ｂは、かかと部２０の後端から開口部２２の後端位置まで形成されている。
【０１０６】
足底部１４の先端３４−１から後端３４−２までの長さＨ１が、覆い部１２の先端から後端までの長さであるとともに、第１装着体５の先端から後端までの長さとなる。
【０１０７】
次に、目盛り表示部（第１目盛り表示部）４０は、直線状の帯状（具体的には、細長長方形状）を呈し、表面に目盛りが表示されたシート状部材であり、柔軟性を有するが、非伸縮性又は難伸縮性の素材（非弾性伸縮性又は難弾性伸縮性の素材としてもよい）により形成されている。つまり、目盛り表示部４０は、曲面状の足甲部１６に固定するため柔軟性を要し、また、目盛り表示部４０には、目盛りが表示されているので、非伸縮性であることが好ましいが、極めて僅かな伸縮性（例えば、０．１ｍｍ程度の誤差を生じる伸縮性）があっても目盛りの機能としては特に問題ないため、難伸縮性であってもよい。非伸縮性又は難伸縮性の素材としては、例えば、塩化ビニル（例えば、ポリ塩化ビニル（ＰＶＣ）やガラス繊維入り塩化ビニル））が挙げられる。
【０１０８】
目盛り表示部４０は、直線状の長辺部４０ａと、長辺部４０ａの一方の端部から連設された直線状の短辺部４０ｂと、長辺部４０ａの他方の端部から連設された直線状の短辺部４０ｃと、短辺部４０ｂ、４０ｃの長辺部４０ａ側とは反対側の端部から連設され、長辺部４０ａと平行に形成された直線状の長辺部４０ｄとを有し（つまり、目盛り表示部４０は、展開状態で長方形状となっている）、左足囲表示線３０ａは、短辺部４０ｂに接し、右足囲表示線３０ｂは、短辺部４０ｃに接している。つまり、左足囲表示線３０ａは、短辺部４０ｂの一方の端部から他方の端部までの途中位置（具体的には、一方の端部と他方の端部の等距離の位置）で短辺部４０ｂと接し、右足囲表示線３０ｂは、短辺部４０ｃの一方の端部から他方の端部までの途中位置（具体的には、一方の端部と他方の端部の等距離の位置）で短辺部４０ｃと接している。つまり、足囲表示線３０は、目盛り表示部４０の幅方向の中心位置で接しているといえる。目盛り表示部４０に表示された目盛りは、長辺部４０ａ、４０ｄに沿って設けられ、目盛りを示す直線は、長辺部４０ａ、４０ｂに対して直角に形成されている。
【０１０９】
つまり、目盛り表示部４０は、足甲部１６上における曲線（足甲部１６上の曲線、足甲部１６の面に沿った仮想線）（第２仮想線）３１Ｇ上に設けられている。第１直線３０Ｌは、中心線３４Ｌと交点３０−１で交わる仮想直線である。
【０１１０】
なお、上記第１足囲割合と第１足囲角度の点は、中心線３４Ｌの長さＨ１に対応する足長の足に第１装着体５を装着した状態（第１装着状態とする）や第２装着状態（後述）の場合にも適応し、第１装着状態や第２装着状態において、目盛り表示部４０は、足甲部１６上の曲線（第１仮想線）３１Ｇ上に設けられ、曲線３１Ｇは、第１装着体５の平面透視において、曲線３１Ｌと一致（略一致としてもよい）している。また、第１装着状態の場合の中心線３４Ｌの先端と後端間の長さは、第１装着体５を足に装着していない場合の中心線３４Ｌの先端と後端間の長さと同じである。なお、第１装着状態の場合の中心線３４Ｌの先端と後端間の長さは、第１装着状態の場合の第１装着体５のつま先側の端部からかかと側の端部までの直線である第１仮想中心線の長さに当たる。
【０１１１】
ここで、長さＨ１に対応する足長の足に第１装着体５を装着する場合とは、足の足長が長さＨ１と同一又は近似する場合であり、複数の足長に対応した長さＨ１が設けられている場合には、足の足長に最も近似した長さＨ１の第１装着体５を装着する場合を意味する。例えば、長さＨ１が５ｍｍごとに設けられて、長さＨ１が２５０ｍｍの第１装着体５の場合には、足長が２４７．５ｍｍ以上で２５２．５ｍｍ以下の足に装着する場合であるといえる。
【０１１２】
以上のようにして、目盛り表示部４０は、覆い部１２の外側の面で、覆い部１２における第１装着体５を足に装着した場合に足の甲側で足囲に対応する位置に設けられている。なお、目盛り表示部４０自体は、細長長方形状であるが、覆い部１２に固定された状態では、平面視において、つま先側に湾曲した形状となっている（図１、図２２参照）。
【０１１３】
また、目盛り表示部（第２目盛り表示部）５０は、直線状の帯状（具体的には、細長長方形状）を呈し、表面に目盛りが表示されたシート状部材であり、目盛り表示部４０の場合と同様に、柔軟性を有するが、非伸縮性又は難伸縮性の素材（非弾性伸縮性又は難弾性伸縮性の素材としてもよい）により形成されている。非伸縮性又は難伸縮性の素材としては、例えば、塩化ビニル（例えば、ポリ塩化ビニル（ＰＶＣ）やガラス繊維入り塩化ビニル））が挙げられる。
【０１１４】
目盛り表示部５０は、直線状の長辺部５０ａと、長辺部５０ａの一方の端部から連設された直線状の短辺部５０ｂと、長辺部５０ａの他方の端部から連設された直線状の短辺部５０ｃと、短辺部５０ｂ、５０ｃの長辺部５０ａ側とは反対側の端部から連設され、長辺部５０ａと平行に形成された直線状の長辺部５０ｄとを有し（つまり、目盛り表示部５０は、展開状態で長方形状となっている）、左甲回り表示線３２ａは、短辺部５０ｂに接し、右甲回り表示線３２ｂは、短辺部５０ｃに接している。つまり、左甲回り表示線３２ａは、短辺部５０ｂの一方の端部から他方の端部までの途中位置（具体的には、一方の端部と他方の端部の等距離の位置）で短辺部５０ｂと接し、右甲回り表示線３２ｂは、短辺部５０ｃの一方の端部から他方の端部までの途中位置（具体的には、一方の端部と他方の端部の等距離の位置）で短辺部５０ｃと接している。つまり、甲回り表示線３２は、目盛り表示部５０の幅方向の中心位置で接しているといえる。なお、目盛り表示部５０に表示された目盛りは、長辺部５０ａ、５０ｄに沿って設けられ、目盛りを示す直線は、長辺部５０ａ、５０ｂに対して直角に形成されている。
【０１１５】
つまり、目盛り表示部５０は、足甲部１６上における曲線（足甲部１６上の曲線、足甲部１６の面に沿った仮想線）（第２仮想線）３３Ｇ上に設けられている。第２直線３２Ｌは、中心線３４Ｌと交点３２−１で交わる仮想直線である。
【０１１６】
なお、上記第１甲回り割合と第１甲回り角度の点は、第１装着状態や第２装着状態の場合にも適応し、第１装着状態において、目盛り表示部５０は、足甲部１６上の曲線（第２仮想線）３３Ｇ上に設けられ、曲線３３Ｇは、第１装着体５の平面透視において、曲線（第２仮想曲線）３３Ｌと一致（略一致としてもよい）している。
【０１１７】
以上のようにして、目盛り表示部５０は、覆い部１２の外側の面で、覆い部１２における第１装着体５を足に装着した場合に足の甲側で甲回りに対応する位置に設けられている。なお、目盛り表示部５０自体は、細長長方形状であるが、覆い部１２に固定された状態では、平面視において、つま先側に湾曲した形状となっている（図１、図２２参照）。
【０１１８】
目盛り表示部４０、５０は、覆い部１２の足甲部１６の表面に固定されていて、覆い部１２への接着剤による接着又は縫付けにより固定されている。縫付けに際しては、目盛り表示部４０、５０の辺部に沿って周状に縫い付けるのが好ましい。
【０１１９】
なお、目盛り表示部４０、５０は、非伸縮性又は難伸縮性の素材により形成されているとしたが、少なくとも目盛りの配列方向（長辺部４０ａ、４０ｄ、５０ａ、５０ｄの方向）に非伸縮性又は難伸縮性を有すれば目盛りとしての機能を有するので、少なくとも目盛りの配列方向には非伸縮性又は難伸縮性の素材であればよい。なお、目盛り表示部４０、５０を一方向（例えば、縦方向）のみに伸びる素材の場合には、他の一方向（例えば、横方向）を目盛り表示部４０、５０の長手方向とする。
【０１２０】
次に、底板部６０は、平板状で、略足型形状（足型形状としてもよい）を呈し、柔軟性がない素材（つまり、非柔軟性の素材。なお、柔軟性が低い素材としてもよい）であるとともに、伸縮性がない素材（つまり、非伸縮性の素材。なお、難伸縮性の素材でもよい）により形成されている。例えば、非柔軟性で、非伸縮性の素材としては、硬質プラスチックが挙げられ、低柔軟性で難伸縮性の素材としては、硬質フエルトが挙げられる。なお、通常、非柔軟性や低柔軟性の場合には、非伸縮性又は難伸縮性であるといえるので、非柔軟性又は低柔軟性があればよいといえる。つまり、第１装着体５を足に装着した際に土踏まずの下方に空間が形成されるためには、底板部６０は、非柔軟性を有するか、あるいは、第１装着体５を足に装着した際に、足の裏の形状に沿って変形することがない程度に低い柔軟性であればよい。つまり、第１装着体５を足に装着した際に、足の裏の形状に沿って変形する程度の柔軟性を有する場合には、土踏まずの下方の空間が形成されないため適さない。底板部６０は平板状であるので、厚みは均一（略均一としてもよい）である。
【０１２１】
底板部６０の先端から後端までの長さは、足長の長さに応じて複数種類設けられ、例えば、５ｍｍ刻みで設けられている。底板部６０の略足型形状は、靴を制作する際に使用する製靴型（プラスチック製の型）を制作する際に用いるＣＡＤを使用して制作されたものであり、足長に対応する製靴型を平面視した際の輪郭に相当しているといえる。底板部６０は平板状であるので、底板部６０の上面と下面は平面状を呈し、該上面と下面は互いに平行となっている。
【０１２２】
底板部６０は、覆い部１２の足底部１４の下面に固定して設けられ、具体的には、接着剤により足底部１４の下面に接着して設けられている（図２４（ａ）参照）。底板部６０を接着により足底部１４に固定する場合には、少なくとも底板部６０の周囲を足底部１４に接着させるが、底板部６０の全面を足底部１４に接着して固定するのが好ましい。また、底板部６０と足底部１４を縫製により固定してもよい。その場合には、少なくとも底板部６０の周囲に沿って周状に縫製して足底部１４に固定する。この底板部６０が設けられていることにより、土踏まずを有する足に第１装着体５を装着した場合に、底板部６０に接着された足底部１４と足の土踏まずの間に空間が形成されることになる。つまり、底板部６０により土踏まずの下方に空間が形成される。底板部６０の厚みは、なるべく薄い方が好ましいが、第１装着体５を足に装着した際に、底板部６０が変形しない程度の厚みとすることが好ましい。
【０１２３】
なお、底板部６０は平板状であるとしたが、製造する靴の内底面の表面形状（つまり、曲面形状）や製造する靴の製靴型の底面の表面形状（つまり、曲面形状）に応じて、底板部６０の上面と下面を曲面状としてもよい。つまり、底板部６０をその上面と下面が該曲面形状を有する板状とする（つまり、該曲面形状に応じた曲面を有する板状とする）。底板部６０を曲面を有する板状とする場合でも、厚みは均一（略均一としてもよい）とする。そのような底板部６０の例としては、図１１に示すものが挙げられ、図１１に示す底板部６０は、同一（略同一としてもよい）の厚みに構成されているが、つま先側からかかと側に行くに従い下側となるように傾斜した第１構成部６０−１と、第１構成部６０−１からかかと側に連設され、つま先側からかかと側に行くに従い上側となるように傾斜した第２構成部６０−２と、第２構成部６０−２からかかと側に連設され、つま先側からかかと側に行くに従い下側となるように傾斜した第３構成部６０−３とを有している。つまり、第１構成部６０−１は、つま先側からかかと側に向けて下方に傾斜した板状であり、第２構成部６０−２は、つま先側からかかと側に向けて上方に傾斜した板状であり、第３構成部６０−３は、つま先側からかかと側に向けて下方に傾斜した板状である。なお、図１１の構成において、足囲の足裏側の位置と甲回りの足裏側の位置は、第２構成部６０−２の領域にあり、第１装着体５の平面透視において、第１直線３０Ｌと第２直線３２Ｌは、第２構成部６０−２の領域にあるといえる。つまり、第２装着状態においては、底帯状部１０４や底帯状部１２４は、第２構成部６０−２の領域の下方に位置する。底板部６０をそのように曲面状とすることにより、製造する靴に応じて正確に足囲と甲回りを測定することができる。
【０１２４】
また、底板部６０は、足底部１４の下面に固定されているとしたが、底板部６０を覆い部１２の内側に設け、足底部１４の上面に接着や縫製等により固定した構成としてもよい。例えば、接着剤により底板部６０を足底部１４の上面に接着した構成とする。底板部６０を接着により足底部１４に固定する場合には、少なくとも底板部６０の周囲を足底部１４に接着させるが、底板部６０の全面を足底部１４に接着して固定するのが好ましい。また、底板部６０と足底部１４を縫製により固定してもよいが、その場合には、少なくとも底板部６０の周囲に沿って周状に縫製して足底部１４に固定する。このように底板部６０を覆い部１２の内側に設ける場合でも、底板部６０が設けられていることにより、底板部６０に接着された足底部１４と足の土踏まずの間に空間が形成される。
【０１２５】
底板部６０を覆い部１２の内側に設ける例としては、図８、図９に示す構成が挙げられ、底板部６０が足底部１４の上面に固定され、足囲表示線３０ａの下端の左端点３０Ｐと、足囲表示線３０ｂの下端の右端点３０Ｑと、甲回り表示線３２ａの下端の左端点３２Ｐと、甲回り表示線３２ｂの下端の右端点３２Ｑは、足底部１４の底面よりも底板部６０の厚み分上方の位置にある。つまり、左端点３０Ｐ、３２Ｐと右端点３０Ｑ、３２Ｑは、底板部６０を覆い部１２の外側に設けた場合（つまり、図３、図４の場合）に対応した位置に設けられ、左端点３０Ｐ、３２Ｐと右端点３０Ｑ、３２Ｑと足底部１４の底面間の高さ方向の長さは、底板部６０の厚み分の長さである。なお、底板部６０を覆い部１２の外側に設けた場合と同様に、左端点３０Ｐと右端点３０Ｑは、覆い部１２における平面視の輪郭で、左端点と右端点の高さ位置における輪郭（底板部６０の輪郭としてもよい）と第１直線３０Ｌが接する点であり、左端点３２Ｐと右端点３２Ｑは、覆い部１２における該輪郭（底板部６０の輪郭としてもよい）と第２直線３２Ｌが接する点である。
【０１２６】
なお、左端点３０Ｐ、３２Ｐと右端点３０Ｑ、３２Ｑは、足底部１４の底面よりも底板部６０の厚み分上方の位置にあるとしたが、高さ方向において、足底部１４の底面の位置としてもよい。
【０１２７】
なお、第１装着体５は、足長方向の長さ（つまり、覆い部１２の先端から後端までの長さＨ１）に応じて複数種類設けられ、例えば、５ｍｍごとに設けられている。すなわち、第１装着体５は、足長に応じて複数種類設けられ、例えば、５ｍｍごとの足長に応じて設けられている。
【０１２８】
また、図１〜図７に示す第１装着体５は、右足用のものであるが、左足用の第１装着体は、図１〜図７に示す第１装着体５と左右対称（つまり、前後方向（Ｙ１−Ｙ２方向の中心面を介して左右対称））である以外は同様の構成である。
【０１２９】
なお、上記の説明においては、覆い部１２は、袋状を呈し、足底部１４と足甲部１６とつま先部１８とかかと部２０とを有しているとしたが、足底部１４の構成を省略して、足甲部１６とつま先部１８とかかと部２０の下端が底板部６０の縁部に沿って固定された構成としてもよい。
【０１３０】
その場合、覆い部１２と底板部６０の固定の方法としては、覆い部１２の下端（つまり、足甲部１６とつま先部１８とかかと部２０の下端）を内側に折り曲げた状態で、内側に折り曲げた部分を接着又は縫付けにより底板部６０に固定させる方法があり、該方法を用いた場合の断面図を示すと、図１０（ａ）のようになる。すなわち、図１０（ａ）においては、足甲部１６の下端領域である折曲げ部分１６ａやつま先部１８の下端領域である折曲げ部分１８ａが内側に折り曲げられた状態で底板部６０に固定されている。
【０１３１】
また、上記の説明では、覆い部１２の下端を内側に折り曲げて底板部６０に固定するものとしたが、覆い部１２の下端を外側に折り曲げて底板部６０に固定してもよい。つまり、覆い部１２の下端（つまり、足甲部１６とつま先部１８とかかと部２０の下端）を外側に折り曲げた状態で、外側に折り曲げた部分を接着又は縫付けにより底板部６０に固定させる。この方法を用いた場合の断面図を示すと、図１０（ｂ）のようになり、図１０（ｂ）においては、足甲部１６の下端領域である折曲げ部分１６ａが外側に折り曲げられた状態で底板部６０に固定されている。
【０１３２】
なお、足底部１４の構成が省略される場合には、第１直線３０Ｌと左端点３０Ｐ及び右端点３０Ｑは、上記で説明したように、足底部１４の代わりに底板部６０を基準して決定され、図６における足底部１４の輪郭は、底板部６０の輪郭として扱うことになる。同様に、第２直線３２Ｌと左端点３２Ｐ及び右端点３２Ｑは、上記で説明したように、足底部１４の代わりに底板部６０を基準して決定され、図６における足底部１４の輪郭は、底板部６０の輪郭として扱うことになる。
【０１３３】
また、覆い部１２における足底部１４以外の領域としては、足甲部１６と、つま先部１８と、かかと部２０が設けられるとしたが、これには限られず、つま先部１８が省略されていてもよく、また、かかと部２０の下側部分が省略されていてもよい（つまり、図３、図４のハッチングに示す部分が省略されていてもよい）。すなわち、足囲や甲回りを測定することから、足囲や甲回りが位置する領域に覆い部１２が設けられていればよく、また、足が第１装着体５に対して前後方向に大きくずれず、かつ、第１装着体５を装着した状態で第２装着体７０を装着しやすくするために、履き口が必要であるので、結果として、覆い部１２は、少なくとも、足甲部１６と、履き口としての開口部２２と、かかと部２０の上側部分（かかと部２０の下側部分よりも上側の部分）における開口部２２周辺の領域が設けられていればよい。つまり、覆い部１２は、少なくとも足の甲を覆う形状で、上方に足を入れるための履き口を有する構成であればよい。つま先部１８とかかと部２０の下側部分が省略された構成の場合には、足甲部１６の下端が足底部１４に連設されることになる。なお、つま先部１８やかかと部２０の一部が省略されて、足が第１装着体５に対して前後にずれたとしても、第２装着体７０を装着することにより足が前後方向に固定されるので、支障はない。
【０１３４】
なお、つま先部１８とかかと部２０の下側部分が省略された構成の場合には、足底部１４における足甲部１４の先端よりも前側の領域と足甲部１４の後端よりも後側の領域を省略してもよい。その場合には、足底部１４が省略された場合と同様に、第１直線３０Ｌと左端点３０Ｐ及び右端点３０Ｑは、足底部１４の代わりに底板部６０を基準して決定され、第２直線３２Ｌと左端点３２Ｐ及び右端点３２Ｑは、足底部１４の代わりに底板部６０を基準して決定されることになる。
【０１３５】
また、つま先部１８とかかと部２０の下側部分が省略され、かつ、足底部１４の構成が省略される場合には、足甲部１６の下端が底板部６０に固定されることになり、その場合には、足底部１４が省略されるので、第１直線３０Ｌと左端点３０Ｐ及び右端点３０Ｑは、足底部１４の代わりに底板部６０を基準して決定され、第２直線３２Ｌと左端点３２Ｐ及び右端点３２Ｑは、足底部１４の代わりに底板部６０を基準して決定されることになる。
【０１３６】
次に、第２装着体７０は、図１２〜図２１に示すように構成され、覆い部（足覆い部、袋状部としてもよい）７２と、覆い部７２に設けられた足囲測定部１００及び甲回り測定部１２０と、覆い部７２と足囲測定部１００に設けられた締付け部１１４と、覆い部７２と甲回り測定部１２０に設けられた締付け部１３４とを有している。
【０１３７】
ここで、覆い部７２は、足が入る袋状（足を覆う袋状としてもよい）（厳密には、第１装着体５を装着した足が入る袋状）（ソックス形状、靴下形状としてもよい）を呈し、足底部７４と、足底部７４から連設された足甲部７６と、足底部７４と足甲部７６から連設されたつま先部７８と、足底部７４と足甲部７６から連設されたかかと部８０とを有している。この覆い部７２は、伸縮性及び柔軟性のある素材により全体に一体に形成されている。
【０１３８】
ここで、覆い部７２を構成する伸縮性及び柔軟性のある素材としては、覆い部１２の場合と同様に、天然ゴムや合成ゴム（例えば、シリコンゴム、クロロプレンゴム）のゴムや、ポリエステル、ポリウレタン、アクリル、ウール、綿等の布素材（布地（生地））（例えば、靴下に用いられる布素材（布地（生地）））により形成されている。靴下に用いられる布素材としては、布地の種類としては、主として編物（特に、丸編）であり、靴下の場合と同様に、複数の素材が組み合わされて形成され、例えば、綿アクリル混、ポリエステル綿混、アクリル毛混等が挙げられる。覆い部７２の素材の具体例としては、ゴム製のシート７２−１の両面に布地７２−２、７２−３を接着等により固定した三層からなるシート状部材であり（図１８参照）、例えば、ゴム製のシート７２−１は、クロロプレンゴムにより形成され、布地７２−２、７２−３は、ポリエチレン又はナイロンの布地により形成されたものとする。なお、布素材の伸縮の方向としては、第１装着体５を装着した足に装着するので、縦方向及び横方向に伸びて、結果として、３６０度におけるどの方向にも伸びるものとするのが好ましいが、横方向（図１２におけるＸ１−Ｘ２方向）のみに伸びる素材であってもよい（つまり、覆い部７２は、少なくとも、第２装着体７０のつま先側の端部からかかと側の端部への方向である足長方向と直角方向に伸縮性を有するものであればよい）が、その場合には、第１装着体５を装着した足を入れることから、足長方向に第１装着体５よりも若干長くする必要がある。
【０１３９】
なお、覆い部７２がゴム製の場合のように保形性を有する場合には、第２装着体７０を単に載置した状態でも図１２〜図１５のような形状を有しているが、布素材を用いた場合には、保形性を有しないため、第２装着体７０を単に載置した場合には、覆い部７２の布素材が折り返して重なって、覆い部７２が扁平状に畳まれた状態となるが、覆い部７２が伸びないで保形された状態が、図１２〜図１５のようになる。つまり、覆い部７２の中に型を挿入した状態で、覆い部７２が伸びず、かつ、覆い部７２の布素材が折り返して重なることなく覆い部７２本来の形状を保った場合には、図１２〜図１５のようになる。覆い部７２の構成する素材の厚みとしては、布素材の場合には、通常の靴下に用いる布と同程度の厚み（例えば、１〜３ｍｍ程度の厚み）であり、ゴム製の場合には、１〜３ｍｍ程度の厚みの素材により形成されているが、足の足囲や甲回りを測定するので、いずれの素材の場合もなるべく薄い素材とすることが好ましい。
【０１４０】
ここで、覆い部７２について、特に保形された状態に基づき図１２〜図２１を使用して説明すると、以下のようになる。すなわち、足底部（第２覆い部用足底部）７４は、覆い部７２の底部を構成し、底面視においては、略足型の形状（足型の形状としてもよい）を有している。なお、足底部７４においては、第１装着体５の足底部１４のように底板部６０に固定されているわけではないので平板状ではなく、図２９（ａ）に示すように、左右方向（Ｘ１−Ｘ２方向）における中央付近は略平板状であるが、左右両側の端部領域においては、外側にいくに従い上側となるように緩やかに傾斜している。つまり、該左右両側において傾斜した領域も足底部７４に含まれる。なお、第１装着体５を装着した足に第２装着体７０を装着した際に、底板部６０の下側の領域が足底部７４に当たるといえる。なお、覆い部７２が保形された状態で、足底部７４を平板状に形成してもよい。
【０１４１】
また、足甲部（第２足甲部）７６は、足底部７４の左側（Ｘ１側）の端部から連設されるとともに、右側（Ｘ２側）の端部から連設され、後述する開口部７６ａの領域を除き、全体に左右方向の略中央が膨らんだ略アーチ状を呈し、横断面形状は略逆Ｕ字状を呈していて、横断面形状においては、足甲部７６の左端から頂部に行くに従い高さが高くなり、水平方向（足底部１４の方向）に対する傾斜角度は、左端から頂部に行くに従い小さくなっていき、同様に、足甲部７６の右端から頂部に行くに従い高さが高くなり、水平方向に対する傾斜角度は、右端から頂部に行くに従い小さくなる。また、この足甲部７６の左右方向における頂部は、覆い部７２の先端側から開口部７６ａの前側の端部までは足甲部７６の先端側から後端側にいくに従い徐々に高くなり（つまり、水平方向に対してなだらかに上向きに傾斜する）、開口部７６ａの後側の端部から開口部８２までは、傾斜角度が大きくなる。つまり、側面視における足甲部７６の頂部がなす曲線の接線の水平方向に対する角度は、覆い部７２の先端側から開口部７６ａの前側の端部までは徐々に小さくなるが、開口部７６ａの後側の端部から開口部８２までは、後端側に向けて大きくなっていく。足甲部７６は、第２装着体７０を足に装着した場合（第１装着体５を装着した足に第２装着体７０を装着した場合を含む）に、足の甲側に位置する領域である。
【０１４２】
また、足甲部７６には、開口部７６ａが設けられ、開口部７６ａは、足甲部７６の前側の端部付近から足甲部７６の前後方向の中間位置よりもやや後側の位置まで前後方向に細長の略楕円形状（略長方形状としてもよい）に形成され、左右方向には、足甲部７６の頂部に対応した位置に設けられ、具体的には、平面視において、中心表示線９０ａの延長線を中心に左右両側に略同一幅となる位置に設けられている。第１装着体５を装着した足に第２装着体７０を装着した際には、この開口部７６ａから目盛り表示部４０、５０が露出して、目盛りが示す値を読み取ることができる。つまり、開口部７６ａは、第１装着体５を装着した足に第２装着体７０を装着した際に、目盛り表示部４０の少なくとも一部と目盛り表示部５０の少なくとも一部が露出する位置に設けられている。開口部７６ａの周囲部７６ａ−１は、開口部７６ａの辺部に沿って周状に形成され、図１８に示すように、縫い糸７７によりかがり縫い（例えば、巻きかがり縫い）等により補強して、周囲部７６ａ−１が形成されている。なお、周囲部７６ａ−１を構成する縫い糸７７は、ゴム糸等の伸縮性を有する縫い糸により構成されていて、第２装着体７０を装着する足の大きさや形状によって、開口部７６ａの大きさ、形状が変化する際に、周囲部７６ａ−１を構成する縫い糸が伸縮するので、該縫い糸７７が、開口部７６ａの大きさ、形状が変化する際の支障となることがない。なお、図１２、図１３、図１４、図１５等の図においては、周囲部７６ａ−１は、平行な二重線により簡略化して描かれている。
【０１４３】
また、図１７に示すように、足甲部７６には、紐部１１６（後述）を通すための２つの穴部７６ｂ−１、７６ｂ−２と、紐部１３６（後述）を通すための２つの穴部７６ｃ−１、７６ｃ−２が設けられている。穴部７６ｂ−１、７６ｃ−１が開口部７６ａよりも左側で開口部７６ａの左側の縁の近傍に設けられ、穴部７６ｂ−２、７６ｃ−２が開口部７６ａよりも右側で開口部７６ａの右側の縁の近傍に設けられている。穴部７６ｂ−１は、穴部７６ｂ−２よりも前後方向で前側（Ｙ２側）に設けられ、穴部７６ｃ−１は、穴部７６ｃ−２よりも前後方向で前側に設けられている。穴部７６ｂ−１と穴部７６ｃ−１は、左右方向において同一（略同一としてもよい）の位置に設けられ、穴部７６ｂ−２と穴部７６ｃ−２は、左右方向において同一（略同一としてもよい）の位置に設けられ、穴部７６ｂ−１と穴部７６ｂ−２の前後方向の長さＬ７６ｂは、穴部７６ｃ−１と穴部７６ｃ−２の前後方向の長さＬ７６ｃよりも長く形成されている。
【０１４４】
また、つま先部（第２つま先部）７８は、足底部７４の先端から連設されるとともに、足甲部７６の先端から連設され、横断面がつま先部７８の先端部以外は略アーチ状を呈し、該横断面の径が先端に向けて徐々に小さくなり、つま先部７８の先端部は、足底部７４の先端と一致している。つまり、覆い部７２の側面視においては、つま先部７８の頂部がなす曲線は、つま先部７８の先端から後端に向けて上向きに傾斜し、該曲線の接線の水平方向に対する角度は、つま先部７８の先端から後端に向けて徐々に小さくなる。つま先部７８は、第２装着体７０を足に装着した場合（第１装着体５を装着した足に第２装着体７０を装着した場合を含む）に、足のつま先側に位置する領域である。
【０１４５】
また、かかと部（第２かかと部）８０は、足底部７４の後端側の部分から連設されるとともに、足甲部７６の後端から連設されている。かかと部８０の下側領域は、左側と後側と右側の三方において、足底部７４の上端から連続して外側にやや膨らんだ形状を呈し、かかと部８０の左側の領域８０−１においては、下側領域が外側（Ｘ１側）にやや膨らんだ形状を呈し、下側領域よりも上側の領域である上側領域は、上方にいくに従い内側（つまり、Ｘ２側）となるように傾斜し、かかと部８０の後側（Ｙ１側）の領域８０−２においては、下側領域が外側（Ｙ１側）にやや膨らんだ形状を呈し、下側領域よりも上側の領域である上側領域は、上方にいくに従い内側（つまり、Ｙ２側）となるように傾斜し、また、かかと部８０の右側の領域８０−３においては、下側領域が外側（Ｘ２側）にやや膨らんだ形状を呈し、下側領域よりも上側の領域である上側領域は、上方にいくに従い内側（つまり、Ｘ１側）となるように傾斜している。かかと部８０は、第２装着体７０を足に装着した場合（第１装着体５を装着した足に第２装着体７０を装着した場合を含む）に、足のかかと側に位置する領域である。
【０１４６】
また、かかと部２０の上端には、履き口としての開口部８２が設けられ、第２装着体７０を装着する際には、第１装着体５を装着した足を開口部８２から挿入する。なお、このかかと部８０の高さ方向の長さは、第２装着体７０を装着した際に、開口部８２がくるぶしよりも下側となり、第１装着体５の開口部２２の高さと略同一になるように形成されている。
【０１４７】
また、覆い部７２には、中心表示線（中心表示部）９０が設けられている。中心表示線９０は、線状（具体的には、実線の線状）の表示線であり、中心表示線９０は、印刷又は手書きにより設けられている。なお、表示線の代わりに、中心表示線９０の位置に沿って表示部を設けてもよく、例えば、糸による刺繍や、複数の開口部の配列により中心表示部を形成してもよい。糸による刺繍の場合、伸縮性を有する糸を用い、複数の開口部の配列による場合には、例えば、円形の開口部を中心表示線９０の位置に沿って配列する。
【０１４８】
中心表示線９０は、覆い部７２の先端から開口部８２の前端まで形成された中心表示線（第２中心表示部）９０ａと、覆い部７２の後端から開口部８２の後端まで形成された中心表示線９０ｂとを有し、中心表示線９０ａ、９０ｂは、中心線（第２仮想中心線）９０Ｌに対応した位置に形成されている。中心線９０Ｌは、足底部７４を平面視した際（つまり、覆い部７２を平面視した際）の足底部７４の先端７４−１（つま先側の端部）と後端７４−２（かかと側の端部）とを結んだ仮想直線である。すなわち、中心表示線９０ａ、９０ｂは、覆い部７２上の曲線９０Ｇ上に設けられ、曲線９０Ｇは、覆い部７２を平面透視した際に、中心線９０Ｌと重なる。この曲線９０Ｇは、覆い部１２の平面視において直線状を呈している。中心線９０Ｌは、足底部７４を平面視した際（つまり、覆い部７２を平面視した際）の足底部７４の先端７４−１（つま先側の端部）と後端７４−２（かかと側の端部）とを結んだ仮想直線である（先端７４−１は、第二趾に対応する位置とするのが好ましい。）中心表示線９０ａは、つま先部７８の先端から足甲部７６の後端（開口部８２の前端位置）まで形成され、中心表示線９０ｂは、かかと部８０の後端から開口部８２の後端位置まで形成されている。
【０１４９】
足底部７４の先端７４−１から後端７４−２までの長さ（足長方向の長さ）Ｈ１１が、覆い部７２の先端から後端までの長さであるとともに、第２装着体７０の先端から後端までの長さとなる。なお、中心線９０Ｌは直線であり、中心線９０Ｌの高さ方向の位置は任意であるが、例えば、第２装着状態の第２装着体７０において、足底部７６の底面の位置とすることが考えられる。
【０１５０】
次に、足囲測定部１００は、覆い部７２の外側の面に固定して設けられ、足囲測定部１００は、帯状部１０２と、帯状部１０２から連設された突状部１１０、１１２とを有している。足囲測定部１００は、シート状部材であり、目盛り表示部４０、５０と同様に、柔軟性を有するが、非伸縮性又は難伸縮性の素材（非弾性伸縮性又は難弾性伸縮性の素材としてもよい）により形成されている。非伸縮性又は難伸縮性の素材としては、例えば、塩化ビニル（例えば、ポリ塩化ビニル（ＰＶＣ）やガラス繊維入り塩化ビニル））が挙げられる。足囲測定部１００は、覆い部７２の外側の面に接着、縫付け等により固定されている。接着の場合には、帯状部１０２及び突状部１１０、１１２が覆い部７２の外側の面に接着されている。縫付けの場合には、足囲測定部１００の辺部に沿って周状に縫い糸で縫製するが、開口部７６ａから突出した領域は、開口部７６ａの辺部に沿って縫製されている。なお、縫付けの場合に、突状部１１０、１１２は、帯状部１０２と接する辺部を除いて、突状部１１０、１１２の辺部に沿って縫製されている。
【０１５１】
帯状部（足囲用周設部、足囲測定用部材）１０２は全体に帯状（細長状としてもよい）を呈していて（つまり、短辺部１０６ｃ（後述）から短辺部１０８ｃまで帯状に形成されている）、帯状部１０２は、覆い部７２の足底部７４の外側の面に固定された底帯状部１０４と、底帯状部１０４の左端から連設され、足甲部７６の左側の領域の外側の面に固定された左帯状部１０６と、底帯状部１０４の右端から連設され、足甲部７６の右側の領域の外側の面に固定された右帯状部１０８とを有し、左帯状部１０６は、折れ線１０２−１を介して底帯状部１０４に対して折曲げ可能であり、右帯状部１０８は、折れ線１０２−２を介して底帯状部１０４に対して折曲げ可能となっている。底帯状部１０４と左帯状部１０６と右帯状部１０８は、いずれも帯状を呈し、具体的には、台形形状を呈している。
【０１５２】
底帯状部（足囲用底構成部）１０４は、帯状を呈し、図２０に示すように、一対の直線状の長辺部１０４ａ、１０４ｂと、直線状の折れ線１０２−１、１０２−２により囲まれて形成され、一対の長辺部１０４ａ、１０４ｂは互いに平行となっている。
【０１５３】
ここで、底帯状部１０４は、足底部７４における線（足底部７４上の仮想線、足底部７４の表面に沿った仮想線）（第３仮想線）１０４Ｇ上に設けられ、線１０４Ｇは、中心線３４Ｌの長さＨ１に対応する足長の足に第１装着体５を装着し、長さＨ１に対応する長さＨ１１を有する第２装着体７０を第１装着体５を装着した足に装着した状態（第２装着状態とする）の場合に、第１直線（第３仮想直線）１０４Ｌと平面透視において一致（略一致としてもよい）している。第１直線１０４Ｌは、中心線９０Ｌと交点１０４−１で交わる仮想直線であり、第１直線１０４Ｌは、第２装着状態における第２装着体７０の平面視において、中心線９０Ｌの先端７４−１と後端７４−２の間の長さＨ１１に対する中心線９０Ｌとの交点１０４−１と後端７４−２間の長さＨ１２の割合（第２足囲割合）が、６１．５〜７１．５％（好適には６６．５％）の位置を通り、第１直線１０４Ｌの中心線９０Ｌに対する傾斜角度、すなわち、中心線９０Ｌのつま先側の方向と第１直線１０４Ｌの足の配置位置に対する内側の方向と（左右方向における内側の方向）がなす角度（第２足囲角度）α２１が、男性用の場合には６９．０〜７９．０度（好適には、７４．０度）で、女性用の場合には６８．０〜７８．０度（好適には、７３．０度）となっている。つまり、第２装着体７０は、男性用と女性用が設けられている。なお、線１０４Ｇは、第２装着状態においては、足底部７４が平板状であるので、直線状であるといえる。中心線９０Ｌの先端７４−１は、概ね足の第二趾に対応する位置であり、後端７４−２は、かかとの後端に対応する位置である。第１直線１０４Ｌは、第２装着状態において、平面透視で第１直線３０Ｌと一致（略一致としてもよい）している。これにより、第２装着状態における平面透視で、線１０４Ｇは、第１直線３０Ｌと略一致（一致としてもよい）している。
【０１５４】
なお、第２装着体７０の平面視や平面透視の方向は、足底部７４を底面側とし、開口部８２を上面側とした方向であり、足の裏側となる方向を底面側とする方向である。
【０１５５】
ここで、長さＨ１に対応する足長の足に第１装着体５を装着し、長さＨ１に対応する長さＨ１１を有する第２装着体７０を第１装着体５を装着する場合とは、足の足長と長さＨ１と長さＨ１１とが同一又は近似する場合であり、複数の足長に対応した長さＨ１、Ｈ１１が設けられている場合には、足の足長に最も近似した長さＨ１の第１装着体５及び足の足長に最も近似した長さＨ１１の第２装着体７０を装着する場合を意味する。例えば、長さＨ１と長さＨ１１が５ｍｍごとに設けられて、長さＨ１と長さＨ１１が２５００ｍｍの第１装着体５の場合には、足長が２４７．５ｍｍ以上で２５２．５ｍｍ以下の足に装着する場合であるといえる。
【０１５６】
なお、長さＨ１２の長さＨ１１に対する割合は、第１装着体５における長さＨ２の長さＨ１に対する割合と同一（略同一としてもよい）であり、角度α２１は角度α１１と同一（略同一としてもよい）となっている。これにより、左帯状部１０６と右帯状部１０８間に目盛り表示部４０が配置され、目盛り表示部４０と左帯状部１０６と右帯状部１０８の方向は略同一となる。
【０１５７】
そして、第２装着状態では、底帯状部１０４は、平面視において、第１直線１０４Ｌに沿って第１直線１０４Ｌが底帯状部１０４の中心線となる位置（第１直線１０４Ｌが底帯状部１０４の中心線１０４Ｎと一致（略一致としてもよい）する位置としてもよい）に設けられている。つまり、長辺部１０４ａ、１０４ｂは、第１直線１０４Ｌに平行（略平行としてもよい）であり、長辺部１０４ａと第１直線１０４Ｌ間の長さと長辺部１０４ｂと第１直線１０４Ｌ間の長さが同一（略同一としてもよい）となっている。なお、第１直線１０４Ｌが底帯状部１０４の中心線となる位置でなくてもよいが、底帯状部１０４は線１０４Ｇ上に設けられているので、少なくとも、平面視において、線１０４Ｇが長辺部１０４ａと長辺部１０４ｂの間の位置にあるものとする。
【０１５８】
なお、底帯状部１０４の長手方向の長さは、足底部７４の一方の端部（第１直線１０４Ｌが接する端部）から他方の端部（第１直線１０４Ｌが接する端部）までの長さに形成され、第２装着状態において、第１装着体５の下側に底帯状部１０４が位置するようになっている。
【０１５９】
なお、第１装着体５を装着した足に装着しておらず第２装着体７０自体の形状としても、底帯状部１０４は、足底部７４における線（第３仮想線）１０４Ｇ上に設けられ、線１０４Ｇは、第１直線（第３仮想直線）１０４Ｌと平面透視において一致（略一致としてもよい）している。つまり、足底部７４が曲面状の場合には、線１０４Ｇは曲線状となり、線１０４Ｇは、第１直線（第３仮想直線）１０４Ｌと平面透視において正確には一致しない場合があるが、略一致する。
【０１６０】
また、左帯状部（足囲用第１横構成部）１０６は、帯状を呈し、図２０に示すように、一対の直線状の長辺部１０６ａ、１０６ｂと、折れ線１０２−１と、直線状の短辺部（第１端辺部）１０６ｃにより囲まれて形成され、一対の長辺部１０６ａ、１０６ｂは互いに平行に形成され、短辺部１０６ｃは、長辺部１０６ａ、１０６ｂと直角（略直角としてもよい）に形成されている。
【０１６１】
ここで、帯状部１０２の展開状態において、長辺部１０４ａと折れ線１０２−１のつま先側への延長線１０２−１’がなす角度β１１は、１０９〜１１５度（好適には、１１２度）であり、また、長辺部１０６ａと折れ線１０２−１のつま先側への延長線１０２−１’がなす角度β１２は、７３〜７９度（好適には、７６度）であり、これにより、帯状部１０２の展開状態において、長辺部１０４ａと長辺部１０６ａがなす角度（つま先側の角度）β１３は、１８５度〜１９１度（好適には、１８８度）となっている。つまり、帯状部１０２の展開状態において、底帯状部１０４の長手方向と左帯状部１０６の長手方向がなす角度で、つま先側の角度が、１８５度〜１９１度（好適には、１８８度）となっている。
【０１６２】
以上の構成とすることにより、第２装着体７０の左右方向における内側となる足囲用横構成部である左帯状部（内側足囲用横構成部）１０６において、左帯状部１０６の中心を通る中心線１０６Ｎと折れ線１０２−１の接点における該中心線１０６Ｎの接線１０６Ｓの折れ線１０２−１に対する角度β１２は、７３〜７９度（好適には、７６度）となる（図２７参照）。
【０１６３】
また、右帯状部（足囲用第２横構成部）１０８は、帯状を呈し、図２０に示すように、一対の直線状の長辺部１０８ａ、１０８ｂと、折れ線１０２−２と、直線状の短辺部（第１端辺部）１０８ｃにより囲まれて形成され、一対の長辺部１０８ａ、１０８ｂは互いに平行に形成され、短辺部１０８ｃは、長辺部１０８ａ、１０８ｂと直角（略直角としてもよい）に形成されている。
【０１６４】
ここで、帯状部１０２の展開状態において、長辺部１０４ａと折れ線１０２−２のつま先側への延長線１０２−２’がなす角度β２１は、８１〜８７度（好適には、８４度）であり、また、長辺部１０８ａと折れ線１０２−２のつま先側への延長線１０２−２’がなす角度β２２は、６７〜７３度（好適には、７０度）であり、これにより、帯状部１０２の展開状態において、長辺部１０４ａと長辺部１０８ａがなす角度（つま先側の角度）β２３は、１５１度〜１５７度（好適には、１５４度）となっている。つまり、帯状部１０２の展開状態において、底帯状部１０４の長手方向と左帯状部１０６の長手方向がなす角度で、つま先側の角度が、１５１度〜１５７度（好適には、１５４度）となっている。
【０１６５】
以上の構成とすることにより、第２装着体７０の左右方向における外側となる足囲用横構成部である右帯状部（外側足囲用横構成部）１０８において、右帯状部１０８の中心を通る中心線１０８Ｎと折れ線１０２−２の接点における該中心線１０８Ｎの接線１０８Ｓの折れ線１０２−２に対する角度β２２は、６７〜７３度（好適には、７０度）となる（図２８参照）。
【０１６６】
以上のように、帯状部１０２の展開状態において、底帯状部１０４の長手辺の方向と、左帯状部１０６の長手辺の方向がなす角度で、つま先側の角度（つまり、角度β１３）が１８５〜１９１度であるとともに、底帯状部１０４の長手辺の方向と、右帯状部１０８の長手辺の方向がなす角度で、つま先側の角度（つまり、角度β２３）が１５１〜１５７度であり、底帯状部１０４と左帯状部１０６の境界線１０２−１の方向と、左帯状部１０６の長手辺（具体的には、長辺部１０６ｂ）の方向がなす角度で、つま先側で、かつ、左帯状部１０６側の角度（つまり、角度β１２）が７３〜７９度であり、底帯状部１０４と右帯状部１０８の境界線１０２−２の方向と、右帯状部１０８の長手辺（具体的には、長辺部１０８ｂ）の方向がなす角度で、つま先側で、かつ、右帯状部１０８側の角度（つまり、角度β２２）が６７〜７３度であるので、帯状部１０２を足囲の位置に正確に位置させることができる。上記の角度は、出願人が試行錯誤を重ねて見出したものである。
【０１６７】
また、図１２に示すように、左帯状部１０６の端部である短辺部１０６ｃと右帯状部１０８の端部である短辺部１０８ｃは、互いに対向した状態となり、覆い部１２と覆い部７２が伸びずに保形された状態の第１装着体５の平面図と第２装着体７０の平面図を重ねると、長辺部１０６ａと長辺部４０ａと長辺部１０８ａはほぼ同一曲線上にあり、長辺部１０６ｂと長辺部４０ｄと長辺部１０８ｂはほぼ同一曲線上にある。
【０１６８】
また、左帯状部１０６の短辺部１０６ｃ側の端部は、平面視において、開口部７６ａの縁部（左側の縁部）よりも開口部７６ａの内側に突出して形成され、短辺部１０６ｃは、平面視において、開口部７６ａの領域に位置し、同様に、右帯状部１０８の短辺部１０８ｃ側の端部は、平面視において、開口部７６ａの縁部（右側の縁部）よりも開口部７６ａの内側に突出して形成され、短辺部１０８ｃは、平面視において、開口部７６ａの領域に位置している。また、短辺部１０６ｃと短辺部１０８ｃは、互いに間隔を介して設けられている。つまり、第２装着体７０を足に装着しない状態においても、短辺部１０６ｃと短辺部１０８ｃ間には間隔が設けられている（第２装着体７０を足に装着した状態では、当然短辺部１０６ｃと短辺部１０８ｃ間に間隔が設けられる）。なお、第２装着体７０を足に装着しない状態で、短辺部１０６ｃと短辺部１０８ｃが接していて、第２装着体７０を足に装着した状態で、短辺部１０６ｃと短辺部１０８ｃ間に間隔が設けられるようにしてもよい。
【０１６９】
左帯状部１０６と右帯状部１０８は、図１６に示すように、第２装着状態において、足甲部７６における曲線（足甲部７６上の仮想線）（第４仮想線）１０５Ｇ上に設けられ、曲線１０５Ｇは、第２装着体７０の平面視において、第１直線１０４Ｌと足底部７４の輪郭との２つの接点１３０Ｐ、１３０Ｑを結びつま先側に湾曲した曲線（第３仮想曲線）１０５Ｌ（曲線１０５Ｌは、第１直線１０４Ｌ及び中心線９０Ｌと同一平面上にある）と平面透視において一致（略一致としてもよい）しているといえる。曲線１０５Ｌは、第２装着状態において、平面透視で曲線３１Ｌと略一致（一致としてもよい）している。曲線１０５Ｌは、前側に湾曲した略円弧状（円弧状、楕円弧状、略楕円弧状としてもよい）の曲線である。これにより、第２装着状態における平面透視で、曲線１０５Ｇは、曲線３１Ｌと略一致（一致としてもよい）している。また、長辺部１０６ａと長辺部１０６ｂ間の中心線１０６Ｎは、曲線１０５Ｇと略一致し（一致するとしてもよい）、長辺部１０８ａと長辺部１０８ｂ間の中心線１０８Ｎは、曲線１０５Ｇと一致する（略一致するとしてもよい）。なお、長辺部１０６ａと長辺部１０６ｂ間の中心線１０６Ｎや長辺部１０８ａと長辺部１０８ｂ間の中心線１０８Ｎは、曲線１０５Ｇと略一致していなくてもよいが、左帯状部１０６と右帯状部１０８が曲線１０５Ｇ上に設けられているので、少なくとも、平面視において、曲線１０５Ｇが長辺部１０６ａと長辺部１０６ｂの間の位置にあり、曲線１０５Ｇが長辺部１０８ａと長辺部１０８ｂの間の位置にあるものとする。
【０１７０】
よって、第２装着体７０の平面視において、左帯状部１０６と右帯状部１０８は、平面視で、図１２に示すように、つま先側に湾曲した形状となり、図１２において、長辺部１０６ａの延長線上（長辺部１０６ａの平面視における曲り形状における延長線上）に長辺部１０８ａが存在し（長辺部１０８ａが長辺部１０６ａの延長線と略一致するとしてもよい）、長辺部１０６ｂの延長線上（長辺部１０６ｂの曲り形状における延長線上）に長辺部１０８ｂが存在する（長辺部１０８ｂが長辺部１０６ｂの延長線と略一致するとしてもよい）。
【０１７１】
なお、第１装着体５を装着した足に装着しておらず第２装着体７０自体の形状としても、左帯状部１０６と右帯状部１０８は、足甲部７６における曲線（足甲部７６上の仮想線）（第４仮想線）１０５Ｇ上に設けられ、曲線１０５Ｇは、第１直線（第３仮想直線）１０４Ｌと平面透視において略一致している。つまり、足底部７４が曲面状の場合には、線１０４Ｇは曲線状となり、その影響で、曲線１０５Ｇが第１直線（第３仮想直線）１０４Ｌと平面透視において正確には一致しない場合があるが、略一致する。
【０１７２】
帯状部１０２は上記のように構成されているので、第２装着状態において、足サイズ測定具１を平面視した場合には、図２５に示すように、左帯状部１０６と右帯状部１０８間に目盛り表示部４０が配置され、目盛り表示部４０と左帯状部１０６と右帯状部１０８は、同一曲線上に沿って設けられる。つまり、目盛り表示部４０の長手方向は、左帯状部１０６の長手方向及び右帯状部１０８の長手方向に一致（略一致としてもよい）する。
【０１７３】
以上のようにして、帯状部１０２は、覆い部７２における第２装着体７０を足に装着した場合の足の足囲に対応する位置に周状に形成され、足甲部７６における左右いずれか一方の側の領域から第２装着体７０を足に装着した場合の足の裏側に位置する領域である足底部７４を経て足甲部７６における左右いずれか他方まで細長状に形成され、帯状部１０２の帯状における長手方向の両側の端部である一対の短辺部１０６ｃ、１０８ｃが、開口部７６ａの縁部から開口部７６ａ側に突出して形成されている。つまり、帯状部１０２は、足囲に対応する位置に周設され、長手方向の両側の端部が間隔を介して設けられている。
【０１７４】
また、突状部（第１突状部）１１０は、左帯状部１０６の長辺部１０６ａから連設され、開口部７６ａの左側の辺部に隣接して設けられている。つまり、突状部１１０は、左帯状部１０６に対して左帯状部１２６側とは反対側（つまり、つま先側）に突出している。図１３に示すように、突状部１１０は、長辺部１０６ａから連設され、開口部７６ａの辺部に沿った略直線状の辺部１１０ａと、辺部１０６ａから連設され、辺部１１０ａと平行（略平行としてもよい）な直線状（略直線状としてもよい）の辺部１１０ｂと、辺部１１０ｂの端部から連設された略円弧状の辺部１１０ｃと、辺部１１０ｃの端部と辺部１１０ａの端部間に設けられ、辺部１１０ｂの方向に対して鈍角をなす略直線状の辺部１１０ｄとを有し、突状部１１０は、上記のように、足甲部７６に接着、縫付け等により固定されている。なお、突状部１１０には、穴部７６ｂ−１に対応した位置に穴部１１０−１が設けられ、突状部１１０と足甲部７６に紐部１１６を通すことができるようになっている。
【０１７５】
また、突状部（第２突状部）１１２は、右帯状部１０８の長辺部１０８ａから連設され、開口部７６ａの右側の辺部に隣接して設けられている。つまり、突状部１１２は、右帯状部１０８に対して右帯状部１２８側とは反対側（つまり、つま先側）に突出している。突状部１１２は、長辺部１０８ａから連設され、開口部７６ａの辺部に沿った略円弧状の辺部１１２ａと、辺部１１２ａから連設され、辺部１１２ａと略平行な略直線状の辺部１１２ｂと、辺部１１２ｂの端部から連設された略円弧状の辺部１１２ｃと、辺部１１２ｃの端部と辺部１１２ａの端部間に設けられ、辺部１１２ｂの方向に対して鈍角をなす略直線状の辺部１１２ｄとを有し、突状部１１２は、足甲部７６に接着、縫付け等により固定されている。なお、突状部１１２には、穴部７６ｂ−２に対応した位置に穴部１１２−１が設けられ、突状部１１２と足甲部７６に紐部１１６を通すことができるようになっている。
【０１７６】
底帯状部１０４、左帯状部１０６、右帯状部１０８は、覆い部７２の外側の面に設けられているので、線１０４Ｇと曲線１０５Ｇは、覆い部７２の外側に位置するといえる。
【０１７７】
なお、突状部１１０、１１２は、帯状部１０２のつま先側に突出しているが、突状部１１０が左帯状部１０６のかかと側に突出する構成でもよく、また、突状部１１２が右帯状部１０８のかかと側に突出する構成としてもよい。ただし、左帯状部１０６には左帯状部１２６が隣接し、右帯状部１０８には右帯状部１２８が隣接しているので、つま先側に突出した構成とするのが好ましい。つまり、突状部１１０、１１２は、帯状部１０２のつま先側に突出しているので、左帯状部１２６、右帯状部１２８が邪魔になることがない。
【０１７８】
また、締付け部１１４は、紐部（第１紐部）１１６と、紐部１１６による締付け状態を固定するための留め具（第１留め具）１１８とを有している。紐部１１６は、１本の紐状部材により構成され、紐部１１６は、突状部１１０の穴部及び穴部７６ｂ−１に挿通されるとともに、突状部１１２の穴部及び穴部７６ｂ−２に挿通され、紐部１１６の両側の端部が留め具１１８に挿通されることにより、留め具１１８が紐部１１６に取り付けられている。留め具１１８は、従来から用いられている留め具であり、紐部１１６の両側の部分を束ねた状態で挿通するための穴部を有する本体部１１８ａと、本体部１１８ａに設けられたスライド部１１８ｂとを有し、スライド部１１８ｂは、穴部に挿通された紐部１１６をロックするためのもので、スライド部１１８ｂに設けられた押し部１１８ｂ−１（本体部１１８ａから突出した部分）を押すことにより穴部の径を大きくして、束ねた状態の紐部１１６を挿通した状態で移動させることができ、押し部１１８ｂ−１の押し操作を解除することにより穴部の径を小さくして紐部１１６を固定することができるものである。スライド部１１８ｂは、バネ機構により本体部１１８ａに対して穴部の径を狭くする方向に付勢されている。留め具１１８から突出した紐部１１６の端部側の部分の長さを調整することにより、紐部１１６の締付け具合を調整することができる。
【０１７９】
なお、紐部１１６としては、非伸縮性又は難伸縮性の紐材でもよいが、伸縮性を有する紐材であってもよい。伸縮性を有する紐材の場合には、紐部１１６を強く締め付けなくても、短辺部１０６ｃ、１０８ｃが上方に浮くのを防止することができる。
【０１８０】
次に、甲回り測定部１２０は、覆い部７２の外側の面に固定して設けられ、甲回り測定部１２０は、帯状部１２２と、帯状部１２２から連設された突状部１３０、１３２とを有している。甲回り測定部１２０は、シート状部材であり、目盛り表示部４０、５０や足囲測定部１００と同様に、柔軟性を有するが、非伸縮性又は難伸縮性の素材（非弾性伸縮性又は難弾性伸縮性の素材としてもよい）により形成されている。非伸縮性又は難伸縮性の素材としては、例えば、塩化ビニル（例えば、ポリ塩化ビニル（ＰＶＣ）やガラス繊維入り塩化ビニル））が挙げられる。甲回り測定部１２０は、覆い部７２の外側の面に接着、縫付け等により固定されている。接着の場合には、帯状部１２２及び突状部１３０、１３２が覆い部７２の外側の面に接着されている。縫付けの場合には、甲回り測定部１２０の辺部に沿って縫い糸で縫製するが、開口部７６ａから突出した領域は、開口部７６ａの辺部に沿って縫製されている。なお、縫付けの場合に、突状部１３０、１３２については、帯状部１２２と接する辺部を除いて、突状部１３０、１３２の辺部に沿って縫製されている。以上のように、目盛り表示部４０と目盛り表示部５０と足囲測定部１００と甲回り測定部１２０は、同じ素材により形成されている。
【０１８１】
帯状部（甲回り用周設部、甲回り測定用部材）１２２は全体に帯状（細長状としてもよい）を呈していて（つまり、短辺部１２６ｃ（後述）から短辺部１２８ｃまで帯状に形成されている）、帯状部１２２は、覆い部７２の足底部７４の底側の面に固定された底帯状部１２４と、底帯状部１２４の左端から連設され、足甲部７６の左側の領域の外側の面に固定された左帯状部１２６と、底帯状部１２４の右端から連設され、足甲部７６の右側の領域の外側の面に固定された右帯状部１２８とを有し、左帯状部１２６は、折れ線１２２−１を介して底帯状部１２４に対して折曲げ可能であり、右帯状部１２８は、折れ線１２２−２を介して底帯状部１２４に対して折曲げ可能となっている。底帯状部１２４と左帯状部１２６と右帯状部１２８は、いずれも帯状を呈し、具体的には、台形形状を呈している。
【０１８２】
底帯状部（甲回り用底構成部）１２４は、帯状を呈し、図２１に示すように、一対の直線状の長辺部１２４ａ、１２４ｂと、直線状の折れ線１２２−１、１２２−２により囲まれて形成され、一対の長辺部１２４ａ、１２４ｂは互いに平行となっている。
【０１８３】
ここで、底帯状部１２４は、足底部７４における線（足底部７４上の仮想線、足底部７４の表面に沿った仮想線）（第５仮想線）１２４Ｇ上に設けられ、線１２４Ｇは、第２装着体７０を足に装着した状態（特に、第２装着状態）において、第２直線（第４仮想直線）１２４Ｌと平面透視において一致（略一致としてもよい）している。第２直線１２４Ｌは、中心線９０Ｌと交点１２４−１で交わる仮想直線であり、第２直線１２４Ｌは、第２装着状態における第２装着体７０の平面視において、中心線７４Ｌの先端７４−１と後端７４−２の間の長さＨ１１に対する中心線９０Ｌとの交点１０４−１と後端７４−２間の長さＨ１３の割合（第２甲回り割合）が、５１．０〜６１．０％（好適には５６．０％）となる位置を通り、第２直線１２４Ｌの中心線９０Ｌに対する傾斜角度、すなわち、中心線９０Ｌのつま先側の方向と第２直線１２４Ｌの足の配置位置に対する内側の方向と（左右方向における内側の方向）がなす角度（第２甲回り角度）α２２が、男性用の場合には７５．５〜８５．５度（好適には、８０．５度）で、女性用の場合には７４．５〜８４．５度（好適には、７９．５度）となっている。つまり、第２装着体７０は、男性用と女性用が設けられている。なお、線１２４Ｇは、第２装着状態においては、足底部７４が平板状であるので、直線状であるといえる。また、第２装着状態において、第２直線１２４Ｌは、平面透視で第２直線３２Ｌと略一致（一致としてもよい）している。これにより、第２装着状態における平面透視で、線１２４Ｇは、第２直線３２Ｌと略一致（一致としてもよい）している。
【０１８４】
なお、長さＨ１３の長さＨ１１に対する割合は、第１装着体５における長さＨ３の長さＨ１に対する割合と同一（略同一としてもよい）であり、角度α２２は角度α１２と同一（略同一としてもよい）となっている。これにより、左帯状部１２６と右帯状部１２８間に目盛り表示部５０が配置され、目盛り表示部５０と左帯状部１２６と右帯状部１２８の方向は略同一となる。
【０１８５】
そして、第２装着状態では、底帯状部１２４は、平面視において、第２直線１２４Ｌに沿って第２直線１２４Ｌが底帯状部１２４の中心線となる位置（第２直線１２４Ｌが底帯状部１２４の中心線１２４Ｎと一致（略一致するとしてもよい）する位置としてもよい）に設けられている。つまり、長辺部１２４ａ、１２４ｂは、第２直線１２４Ｌに平行（略平行としてもよい）であり、長辺部１２４ａと第２直線１２４Ｌ間の長さと長辺部１２４ｂと第２直線１２４Ｌ間の長さが同一（略同一としてもよい）となっている。なお、第２直線１２４Ｌが底帯状部１２４の中心線となる位置でなくてもよいが、底帯状部１２４は線１２４Ｇ上に設けられているので、少なくとも、平面視において、線１２４Ｇが長辺部１２４ａと長辺部１２４ｂの間の位置にあるものとする。
【０１８６】
なお、底帯状部１２４の長手方向の長さは、足底部７４の一方の端部（第２直線１２４Ｌが接する端部）から他方の端部（第２直線１２４Ｌが接する端部）までの長さに形成され、第２装着状態において、第１装着体５の下側に底帯状部１２４が位置するようになっている。
【０１８７】
なお、第１装着体５を装着した足に装着しておらず第２装着体７０自体の形状としても、底帯状部１２４は、足底部７４における線（第５仮想線）１２４Ｇ上に設けられ、線１２４Ｇは、第２直線（第４仮想直線）１２４Ｌと平面透視において一致（略一致としてもよい）している。つまり、足底部７４が曲面状の場合には、線１２４Ｇは曲線状となり、線１２４Ｇは、第２直線（第４仮想直線）１２４Ｌと平面透視において正確には一致しない場合があるが、略一致する。
【０１８８】
また、左帯状部（甲回り用第１横構成部）１２６は、帯状を呈し、図２１に示すように、一対の直線状の長辺部１２６ａ、１２６ｂと、折れ線１２２−１と、直線状の短辺部（第１端辺部）１２６ｃにより囲まれて形成され、一対の長辺部１２６ａ、１２６ｂは互いに平行に形成され、短辺部１２６ｃは、長辺部１２６ａ、１２６ｂと直角（略直角としてもよい）に形成されている。
【０１８９】
ここで、帯状部１２２の展開状態において、長辺部１２４ａと折れ線１２２−１のつま先側への延長線１２２−１’がなす角度β３１は、１２１〜１２７度（好適には、１２４度）であり、また、長辺部１２６ａと折れ線１２２−１のつま先側への延長線１２２−１’がなす角度β３２は、６４〜７０度（好適には、６７度）であり、これにより、帯状部１２２の展開状態において、長辺部１２４ａと長辺部１２６ａがなす角度（つま先側の角度）β３３は、１８８度〜１９４度（好適には、１９１度）となっている。つまり、帯状部１２２の展開状態において、底帯状部１２４の長手方向と左帯状部１２６の長手方向がなす角度で、つま先側の角度が、１８８度〜１９４度（好適には、１９１度）となっている。
【０１９０】
以上の構成とすることにより、第２装着体７０の左右方向における内側となる甲回り用横構成部である左帯状部（内側甲回り用横構成部）１２６において、左帯状部１２６の中心を通る中心線１２６Ｎと折れ線１２２−１の接点における該中心線１２６Ｎの接線１２６Ｓの折れ線１２２−１に対する角度β３２は、６４〜７０度（好適には、６７度）となる（図２７参照）。
【０１９１】
また、右帯状部（足囲用第２横構成部）１２８は、帯状を呈し、図２１に示すように、一対の直線状の長辺部１２８ａ、１２８ｂと、折れ線１２２−２と、直線状の短辺部（第１端辺部）１２８ｃにより囲まれて形成され、一対の長辺部１２８ａ、１２８ｂは互いに平行に形成され、短辺部１２８ｃは、長辺部１２８ａ、１２８ｂと直角（略直角としてもよい）に形成されている。
【０１９２】
ここで、帯状部１２２の展開状態において、長辺部１２４ａと折れ線１２２−２のつま先側への延長線１２２−２’がなす角度β４１は、９２〜９８度（好適には、９５度）であり、また、長辺部１２８ａと折れ線１２２−２のつま先側への延長線１２２−２’がなす角度β４２は、７７〜８３度（好適には、８０度）であり、これにより、帯状部１２２の展開状態において、長辺部１２４ａと長辺部１２８ａがなす角度（つま先側の角度）β４３は、１７３度〜１７８度（好適には、１７５度）となっている。つまり、帯状部１２２の展開状態において、底帯状部１２４の長手方向と左帯状部１２６の長手方向がなす角度で、つま先側の角度が、１７３度〜１７８度（好適には、１７５度）となっている。
【０１９３】
以上の構成とすることにより、第２装着体７０の左右方向における外側となる甲回り用横構成部である右帯状部（外側甲回り用横構成部）１２８において、右帯状部１２８の中心を通る中心線１２８Ｎと折れ線１２２−２の接点における該中心線１２８Ｎの接線１２８Ｓの折れ線１２２−２に対する角度β４２は、７７〜８３度（好適には、８０度）となる（図２８参照）。
【０１９４】
以上のように、帯状部１２２の展開状態において、底帯状部１２４の長手辺の方向と、左帯状部１２６の長手辺の方向がなす角度で、つま先側の角度（つまり、角度β３３）が１８８〜１９４度であるとともに、底帯状部１２４の長手辺の方向と、右帯状部１２８の長手辺の方向がなす角度で、つま先側の角度（つまり、角度β４３）が１７２〜１７８度であり、底帯状部１２４と左帯状部１２６の境界線１２２−１の方向と、左帯状部１２６の長手辺（具体的には、長辺部１２６ｂ）の方向がなす角度で、つま先側で、かつ、左帯状部１２６側の角度（つまり、角度β３２）が６４〜７０度であり、底帯状部１２４と右帯状部１２８の境界線１２２−２の方向と、右帯状部１２８の長手辺（具体的には、長辺部１２８ｂ）の方向がなす角度で、つま先側で、かつ、右帯状部１２８側の角度（つまり、角度β４２）が７７〜８３度であるので、帯状部１２２を甲回りの位置に正確に位置させることができる。上記の角度は、出願人が試行錯誤を重ねて見出したものである。
【０１９５】
なお、図１１に示すように、第１装着体５の底板部６０の下面が曲面状の場合には、底帯状部１０４、１２４は、第２装着状態において、底板部６０の下面の曲面形状に合わせて傾斜するので、底帯状部１０４、１２４が水平面（足サイズ測定具１が載置された水平面）に対して傾斜する場合には、接線１０６Ｓ、１０８Ｓ、１２６Ｓ、１２８Ｓの水平面に対する角度は、上記とは異なるが、接線１０６Ｓの折れ線１０２−１に対する角度と、接線１０８Ｓの折れ線１０２−２に対する角度と、接線１２６Ｓの折れ線１２２−１に対する角度と、接線１２８Ｓの折れ線１２２−２に対する角度は、上記と同様であり、底板部６０が平板状である図３〜図５の構成の場合と同様に、帯状部１０２を足囲の位置に正確に位置させるとともに、帯状部１２２を甲回りの位置に正確に位置させることができる。
【０１９６】
また、図１２に示すように、左帯状部１２６の端部である短辺部１２６ｃと右帯状部１２８の端部である短辺部１２８ｃは、互いに対向した状態となり、覆い部１２と覆い部７２が伸びずに保形された状態の第１装着体５の平面図と第２装着体７０の平面図を重ねると、長辺部１２６ａと長辺部５０ａと長辺部１２８ａはほぼ同一曲線上にあり、長辺部１２６ｂと長辺部５０ｄと長辺部１２８ｂはほぼ同一曲線上にある。
【０１９７】
また、左帯状部１２６の短辺部１２６ｃ側の端部は、平面視において、開口部７６ａの縁部（左側の縁部）よりも開口部７６ａの内側に突出して形成され、短辺部１２６ｃは、平面視において、開口部７６ａの領域に位置し、同様に、右帯状部１２８の短辺部１２８ｃ側の端部は、平面視において、開口部７６ａの縁部（右側の縁部）よりも開口部７６ａの内側に突出して形成され、短辺部１２８ｃは、平面視において、開口部７６ａの領域に位置している。また、短辺部１２６ｃと短辺部１２８ｃは、互いに間隔を介して設けられている。つまり、第２装着体７０を足に装着しない状態においても、短辺部１２６ｃと短辺部１２８ｃ間には間隔が設けられている（第２装着体７０を足に装着した状態では、当然短辺部１２６ｃと短辺部１２８ｃ間に間隔が設けられる）。なお、第２装着体７０を足に装着しない状態で、短辺部１２６ｃと短辺部１２８ｃが接していて、第２装着体７０を足に装着した状態で、短辺部１２６ｃと短辺部１２８ｃ間に間隔が設けられるようにしてもよい。
【０１９８】
左帯状部１２６と右帯状部１２８は、図１６に示すように、第２装着状態において、足甲部７６における曲線（足甲部７６上の仮想線）（第６仮想線）１２５Ｇ上に設けられ、曲線１２５Ｇは、第２装着体７０の平面視において、第２直線１２４Ｌと足底部７４の輪郭との２つの接点１３２Ｐ、１３２Ｑを結びつま先側に湾曲した曲線（第４仮想曲線）１２５Ｌ（曲線１２５Ｌは、第２直線１２４Ｌと同一平面上にある）と平面透視において一致（略一致としてもよい）しているといえる。曲線１２５Ｌは、第２装着状態において、平面透視で曲線３３Ｌと略一致（一致としてもよい）している。曲線１２５Ｌは、前側に湾曲した略円弧状（円弧状、楕円弧状、略楕円弧状としてもよい）の曲線である。これにより、第２装着状態における平面透視で、曲線１２５Ｇは、曲線３３Ｌと略一致（一致としてもよい）している。また、長辺部１２６ａと長辺部１２６ｂ間の中心線１２６Ｎは、曲線１２５Ｇと一致し（略一致するとしてもよい）、長辺部１２８ａと長辺部１２８ｂ間の中心線１２８Ｎは、曲線１２５Ｇと一致する（略一致するとしてもよい）。なお、長辺部１２６ａと長辺部１２６ｂ間の中心線１２６Ｎや長辺部１２８ａと長辺部１２８ｂ間の中心線１２８Ｎは、曲線１２５Ｇと略一致していなくてもよいが、左帯状部１２６と右帯状部１２８が曲線１２５Ｇ上に設けられているので、少なくとも、平面視において、曲線１２５Ｇが長辺部１２６ａと長辺部１２６ｂの間の位置にあり、曲線１２５Ｇが長辺部１２８ａと長辺部１２８ｂの間の位置にあるものとする。
【０１９９】
よって、第２装着体７０の平面視において、左帯状部１０６と右帯状部１０８は、図１２に示すように、つま先側に湾曲した形状となり、図１２において、長辺部１２６ａの延長線上（長辺部１２６ａの曲り形状における延長線上）に長辺部１２８ａが存在し（長辺部１２８ａが長辺部１２６ａの延長線と略一致するとしてもよい）、長辺部１２６ｂの延長線上（長辺部１２６ｂの曲り形状における延長線上）に長辺部１２８ｂが存在する（長辺部１２８ｂが長辺部１２６ｂの延長線と略一致するとしてもよい）。
【０２００】
底帯状部１２４、左帯状部１２６、右帯状部１２８は、覆い部７２の外側の面に設けられているので、線１２４Ｇと曲線１２５Ｇは、覆い部７２の外側に位置するといえる。
【０２０１】
なお、第１装着体５を装着した足に装着しておらず第２装着体７０自体の形状としても、左帯状部１２６と右帯状部１２８は、足甲部７６における曲線（足甲部７６上の仮想線）（第６仮想線）１２５Ｇ上に設けられ、曲線１２５Ｇは、曲線１２５Ｌと平面透視において略一致している。つまり、足底部７４が曲面状の場合には、線１２４Ｇは曲線状となり、その影響で、曲線１２５Ｇが曲線１２５Ｌと平面透視において正確には一致しない場合があるが、略一致する。
【０２０２】
なお、短辺部１０６ｃ、１０８ｃ、１２６ｃ、１２８ｃは、開口部７６ａの内側に突出して形成されているとしたが、これらの短辺部は、開口部７６ａの内側に突出していなくてもよく、図１３の一点鎖線に示すように、これらの短辺部が、開口部７６ａの縁部に沿って形成されていてもよい。つまり、これらの短辺部は、開口部７６ａの縁部と一致するように形成されている。この場合でも、短辺部１０６ｃと短辺部１０８ｃ間の目盛りを計測することは可能であり、短辺部１２６ｃと短辺部１２８ｃ間の目盛りを計測することは可能である。ただし、これらの短辺部が、開口部７６ａの内側に突出している方が、目盛りにおける短辺部の位置を視認しやすいので、正確な計測を行なうことができる。
【０２０３】
帯状部１２２は上記のように構成されているので、第２装着状態において、足サイズ測定具１を平面視した場合には、図２５に示すように、左帯状部１２６と右帯状部１２８間に目盛り表示部５０が配置され、目盛り表示部５０と左帯状部１２６と右帯状部１２８は、同一曲線上に沿って設けられる。つまり、目盛り表示部５０の長手方向は、左帯状部１０６の長手方向及び右帯状部１０８の長手方向に一致（略一致としてもよい）する。
【０２０４】
以上のように、帯状部１２２は、覆い部７２における第２装着体７０を足に装着した場合の足の甲回りに対応する位置に周状に形成され、足甲部７６における左右いずれか一方の側の領域から足底部を経て足甲部における左右いずれか他方まで細長状に形成され、帯状部１２２の帯状における長手方向の両側の端部である一対の短辺部１２６ｃ、１２８ｃが、開口部７６ａの縁部から開口部７６ａ側に突出して形成されている。つまり、帯状部１２２は、甲回りに対応する位置に周設され、長手方向の両側の端部が間隔を介して設けられている。
【０２０５】
なお、足囲測定部１００や甲回り測定部１２０の製造に際しては、足囲測定部１００を構成する素材のシート状部材を図２０に示す展開状態の形状に加工し、甲回り測定部１２０を構成する素材のシート状部材を図２１に示す展開状態の形状に加工するが、展開状態の形状の加工に際しては、抜き型による打ち抜き成形により展開状態の形状のシート状部材を形成することにより、帯状部１０２、１２２の長手方向の長さの精度を上げることができる。
【０２０６】
なお、帯状部１０２と帯状部１２２は、帯状であるとしたが、細長状の紐状であってもよい。すなわち、足囲用周設部と甲回り用周設部は、紐状であってもよい。この紐状の部材も非伸縮性又は難伸縮性の素材（非弾性伸縮性又は難弾性伸縮性の素材としてもよい）により形成される。つまり、帯状部１０２、１２２は、細長状の部材であればよい。
【０２０７】
また、突状部（第３突状部）１３０は、左帯状部１２６の長辺部１２６ｂから連設され、開口部７６ａの左側の辺部に隣接して設けられている。つまり、突状部１３０は、左帯状部１２６に対して左帯状部１０６側とは反対側（つまり、かかと側）に突出している。図１３に示すように、突状部１３０は、長辺部１２６ｂから連設され、開口部７６ａの辺部に沿った略直線状の辺部１３０ａと、長辺部１２６ｂから連設され、長辺部１２６ｂに対して略直角の略直線状の辺部１３０ｂと、辺部１３０ｂの端部から連設された略円弧状の辺部１３０ｃと、辺部１３０ｃの端部と辺部１３０ａの端部間に設けられ、左右方向に形成された略直線状の辺部１３０ｄとを有し、突状部１３０は、足甲部７６に接着、縫付け等により固定されている。なお、突状部１３０には、穴部７６ｃ−１に対応した位置に穴部１３０−１が設けられ、突状部１３０と足甲部７６に紐部１３６を通すことができるようになっている。
【０２０８】
また、突状部（第４突状部）１３２は、右帯状部１２８の長辺部１２８ｂから連設され、開口部７６ａの右側の辺部に隣接して設けられている。つまり、突状部１３２は、右帯状部１２８に対して右帯状部１０８側とは反対側（つまり、かかと側）に突出している。突状部１３２は、長辺部１２８ｂから連設され、開口部７６ａの辺部に沿った略円弧状の辺部１３２ａと、辺部１２８ｂから連設され、前後方向に略直線状に形成された辺部１３２ｂと、辺部１３２ｂの端部から略円弧状に形成された辺部１３２ｃと、辺部１３２ｃの端部と辺部１３２ａの端部間に設けられ、左側が前側となるように左右方向に対して傾斜した略直線状の辺部１３２ｄとを有し、突状部１３２は、足甲部７６に接着、縫付け等により固定されている。なお、突状部１３２には、穴部７６ｃ−２に対応した位置に穴部１３２−１が設けられ、突状部１３２と足甲部７６に紐部１３６を通すことができるようになっている。
【０２０９】
なお、突状部１３０、１３２は、帯状部１２２のかかと側に突出しているが、突状部１３０が左帯状部１２６のつま先側に突出する構成でもよく、また、突状部１３２が右帯状部１２８のつま先側に突出する構成としてもよい。ただし、左帯状部１２６には左帯状部１０６が隣接し、右帯状部１２８には右帯状部１０８が隣接しているので、かかと側に突出した構成とするのが好ましい。つまり、突状部１３０、１３２は、帯状部１２２のかかと側に突出しているので、左帯状部１０６、右帯状部１０８が邪魔になることがない。
【０２１０】
また、締付け部１３４は、紐部（第２紐部）１３６と、紐部１３６による締付け状態を固定するための留め具（第２留め具）１３８とを有している。紐部１３６は、紐部１１６と同様の構成であり、留め具１３８は、留め具１１８と同様の構成であるので、詳しい説明を省略する。留め具１３８から突出した紐部１３６の端部側の部分の長さを調整することにより、紐部１３６の締付け具合を調整することができる。
【０２１１】
なお、紐部１３６としては、非伸縮性又は難伸縮性の紐材でもよいが、伸縮性を有する紐材（例えば、ゴム製の紐材）であってもよい。伸縮性を有する紐材の場合には、紐部１３６を強く締め付けなくても、短辺部１２６ｃ、１２８ｃが上方に浮くのを防止することができる。
【０２１２】
また、足囲測定部１００と甲回り測定部１２０は、非伸縮性又は難伸縮性の素材により形成されているとしたが、少なくとも帯状部１０２、１２２の長手方向に非伸縮性又は難伸縮性があればよい。つまり、足囲測定部１００においては、底帯状部１０４、左帯状部１０６、右帯状部１０８のそれぞれについて長手方向に非伸縮性又は難伸縮性を有し、甲回り測定部１２０においては、底帯状部１２４、左帯状部１２６、右帯状部１２８のそれぞれについて長手方向に非伸縮性又は難伸縮性を有するものとする。
【０２１３】
底帯状部１０４の長手方向は、左帯状部１０６側の端部と右帯状部１０８側の端部間の方向であり、左帯状部１０６の長手方向は、底帯状部１０４側の端部と底帯状部１０４側の端部とは反対側の端部間の方向であり、右帯状部１０８の長手方向は、底帯状部１０４側の端部と底帯状部１０４側の端部とは反対側の端部間の方向であり、底帯状部１２４の長手方向は、左帯状部１２６側の端部と右帯状部１２８側の端部間の方向であり、左帯状部１２６の長手方向は、底帯状部１２４側の端部と底帯状部１２４側の端部とは反対側の端部間の方向であり、右帯状部１２８の長手方向は、底帯状部１２４側の端部と底帯状部１２４側の端部とは反対側の端部間の方向である。
【０２１４】
なお、足囲測定部１００と甲回り測定部１２０を一方向（例えば、縦方向）のみに伸びる素材の場合には、他の一方向（例えば、横方向）を底帯状部１０４、左帯状部１０６、右帯状部１０８、底帯状部１２４、左帯状部１２６、右帯状部１２８の長手方向とする。
【０２１５】
なお、一方向のみに伸びる素材の場合には、長手方向には伸びないようにするので、帯状部１０２における底帯状部１０４と左帯状部１０６と右帯状部１０８は、別個に形成されて覆い部７２に固定され、帯状部１２２における底帯状部１２４と左帯状部１２６と右帯状部１２８は、別個に形成されて覆い部７２に固定される。なお、底帯状部１０４と左帯状部１０６と右帯状部１０８を別個に形成する場合でも、底帯状部１０４と左帯状部１０６と右帯状部１０８の３つの帯状部における隣接する帯状部間に装着体本体１０が伸びた際に隙間が形成されないように、隣接する帯状部間を縫製等によりつなげておく必要がある。同様に、底帯状部１２４と左帯状部１２６と右帯状部１２８を別個に形成する場合でも、底帯状部１２４と左帯状部１２６と右帯状部１２８の３つの帯状部における隣接する帯状部間に覆い部７２が伸びた際に隙間が形成されないように、隣接する帯状部間を縫製等によりつなげておく必要がある。
【０２１６】
ただし、帯状部１０２における各部を別個に形成すると、測定精度が低下するおそれがあるので、足囲測定部１００と甲回り測定部１２０は、縦横いずれの方向にも（つまり、３６０度におけるどの方向にも）非伸縮性又は難伸縮性の素材とするのが好ましい。
【０２１７】
また、締付け部１１４は、紐部１１６と留め具１１８を有し、締付け部１３４は、紐部１３６と留め具１３８を有するものとしたが、留め具１１８、１３８の構成を省略して、紐部１１６、１３６のみで２つの突状部間を締め付けるようにしてもよい。
【０２１８】
また、足囲測定部１００と甲回り測定部１２０は、覆い部７２の外側の面に固定されているとしたが、覆い部７２の内側の面に固定された構成としてもよい。
【０２１９】
すなわち、足囲測定部１００においては、底帯状部１０４は、足底部７４の内側の面に固定され、左帯状部１０６は、足甲部７６の左側の領域の内側の面に固定され、右帯状部１０８は、足甲部７６の右側の領域の内側の面に固定される。なお、底帯状部１０４が、線１０４Ｇ上に設けられ、左帯状部１０６と右帯状部１０８が、曲線１０５Ｇ上に設けられ、線１０４Ｇが、第２装着状態における平面透視で第１直線１０４Ｌと一致し（略一致としてもよい）、曲線１０５Ｇが、第２装着状態における平面透視で曲線１０５Ｌと一致する（略一致としてもよい）点は、足囲測定部１００が覆い部７２の外側の面に設けられている場合と同様であり、足囲測定部１００が覆い部７２の外側の面に設けられている場合に覆い部７２に固定されている領域の裏側に足囲測定部１００が固定されるといえる。底帯状部１０４、左帯状部１０６、右帯状部１０８は、覆い部７２の内側の面に設けられているので、線１０４Ｇと曲線１０５Ｇは、覆い部７２の内側に位置するといえる。なお、足囲測定部１００は、覆い部７２の内側の面に固定されるので、底帯状部１０４と左帯状部１０６と右帯状部１０８は、覆い部７２の厚み分だけ短くなる。この場合でも、左帯状部１０６の短辺部１０６ｃ側の端部は、平面視において、開口部７６ａの縁部（左側の縁部）よりも開口部７６ａの内側に突出して形成され、短辺部１０６ｃは、平面視において、開口部７６ａの領域に位置し、同様に、右帯状部１０８の短辺部１０８ｃ側の端部は、平面視において、開口部７６ａの縁部（右側の縁部）よりも開口部７６ａの内側に突出して形成され、短辺部１０８ｃは、平面視において、開口部７６ａの領域に位置する。
【０２２０】
足囲測定部１００と甲回り測定部１２０を覆い部７２の内側の面に設けた場合には、図３１に示すような構成となる。なお、上記第２足囲割合と、第２甲回り割合と、第２足囲角度と、第２甲回り角度は、足囲測定部１００と甲回り測定部１２０を覆い部７２の内側の面に設けた場合も同様である。
【０２２１】
また、甲回り測定部１２０を覆い部７２の内側の面に固定する場合には、甲回り測定部１２０においては、底帯状部１２４は、足底部７４の内側の面に固定され、左帯状部１２６は、足甲部７６の左側の領域の内側の面に固定され、右帯状部１０８は、足甲部７６の右側の領域の内側の面に固定される。なお、底帯状部１２４が、線１２４Ｇ上に設けられ、左帯状部１２６と右帯状部１２８が、曲線１２５Ｇ上に設けられ、線１２４Ｇが、第２装着状態における平面透視で第２直線１２４Ｌと一致し（略一致としてもよい）、曲線１２５Ｇが、第２装着状態における平面透視で曲線１２５Ｌと一致する（略一致としてもよい）点は、甲回り測定部１２０が覆い部７２の外側の面に設けられている場合と同様であり、甲回り測定部１２０が覆い部７２の外側の面に設けられている場合に覆い部７２に固定されている領域の裏側に甲回り測定部１２０が固定されるといえる。底帯状部１２４、左帯状部１２６、右帯状部１２８は、覆い部７２の内側の面に設けられているので、線１２４Ｇと曲線１２５Ｇは、覆い部７２の内側に位置するといえる。なお、甲回り測定部１２０は、覆い部７２の内側の面に固定されるので、底帯状部１２４と左帯状部１２６と右帯状部１２８は、覆い部７２の厚み分だけ短くなる。この場合でも、左帯状部１２６の短辺部１２６ｃ側の端部は、平面視において、開口部７６ａの縁部（左側の縁部）よりも開口部７６ａの内側に突出して形成され、短辺部１２６ｃは、平面視において、開口部７６ａの領域に位置し、同様に、右帯状部１２８の短辺部１２８ｃ側の端部は、平面視において、開口部７６ａの縁部（右側の縁部）よりも開口部７６ａの内側に突出して形成され、短辺部１２８ｃは、平面視において、開口部７６ａの領域に位置する。
【０２２２】
なお、第２装着体７０は、足長方向の長さ（つまり、覆い部７２の先端から後端までの長さＨ１１）に応じて複数種類設けられ、例えば、５ｍｍごとに設けられている。すなわち、第２装着体７０は、足長に応じて複数種類設けられ、例えば、５ｍｍごとの足長に応じて設けられている。
【０２２３】
なお、足長方向の長さがある長さの第１装着体５に対応する第２装着体７０の足長方向の長さ（長さＨ１１）については、第１装着体５の足長方向の長さと第２装着体７０の足長方向の長さを同一の長さとするが、第２装着体７０が第１装着体５の外側にカバーされるので、第２装着体７０の足長方向の長さ（長さＨ１１）を第１装着体５の足長方向の長さ（長さＨ１）よりも若干長くしてもよい。
【０２２４】
また、図１２〜図２１に示す第２装着体７０は、右足用のものであるが、左足用の第２装着体は、図１２〜図２１に示す第２装着体７０と左右対称（つまり、前後方向（Ｙ１−Ｙ２方向の中心面を介して左右対称））である以外は同様の構成である。
【０２２５】
また、足サイズ測定具セットは、複数の足サイズ測定具を有し、複数の足サイズ測定具における各足サイズ測定具においては、足長方向の長さ（第１装着体５と第２装着体７０の足長方向の長さ）が他の足サイズ測定具における足長方向の長さとは異なるように構成されている。例えば、足サイズ測定具セットが、足サイズ測定具１Ａと足サイズ測定具１Ｂと足サイズ測定具１Ｃとを有するとした場合に、足サイズ測定具１Ａにおける第１装着体５と第２装着体７０は、足長Ｌ１ｍｍに対応したものであり、足サイズ測定具１Ｂにおける第１装着体５と第２装着体７０は、足長Ｌ２ｍｍに対応したものであり、足サイズ測定具１Ｃにおける第１装着体５と第２装着体７０は、足長Ｌ３ｍｍに対応したものであり、足長Ｌ１と足長Ｌ２と足長Ｌ３は、異なる長さとなっている。なお、足サイズ測定具セットにおける１つの足サイズ測定具１における第１装着体５と第２装着体７０は、同じ足長に対応するものである。
【０２２６】
なお、「足囲測定部１００」を「足囲測定ユニット１００」とし、「帯状部１０２」を「足囲測定部１０２」とし、「甲回り測定部１２０」を「甲回り測定ユニット１２０」とし、「帯状部１２２」を「甲回り測定部１２２」としてもよい。
【０２２７】
上記構成の足サイズ測定具１の使用方法について説明する。まず、第１装着体５を足サイズを測定する足に装着する。つまり、複数の足サイズ測定具において、第１装着体５及び第２装着体７０の足長方向の長さが異なる足サイズ測定具セットを用意しておき、足サイズ測定具セットの中から測定する足の足長に対応した足サイズ測定具１を選び、選んだ足サイズ測定具１における第１装着体５を靴下を履くようにして装着する。第１装着体５を足Ｆに装着した状態は、図２２、図２３に示すようになる。また、足Ｆに装着していない状態の第１装着体５の横断面は、図２４（ａ）に示すようになるが、足Ｆに第１装着体５を装着した状態の横断面は、図２４（ｂ）に示すようになり、覆い部１２が足Ｆの外形に合わせて伸びて足Ｆの表面に密着する（ただし、足底部１４は底板部６０に固定されているので、足底部１４が足の裏に密着することはない）。なお、第２装着体７０との位置合わせを容易とするために、第１装着体５を足Ｆに装着した状態で、中心表示線３４ａが足Ｆの甲の中心に位置するように（具体的には、中心表示線３４ａが第二趾とかかとの後端を結ぶ線上に位置するように）覆い部１２の伸び具合を調整しておくのが好ましい。
【０２２８】
なお、足Ｆの土踏まずＦａの下方には、空間Ｆｓが設けられる。つまり、覆い部１２の足底部１４は底板部６０に接着されているので、足底部１４は足Ｆの裏面には密着せず、土踏まずＦａの下方には空間Ｆｓが設けられる。これにより、靴の中底に足が接した状態で靴を履いた際の足の土踏まずＦａと中底間に形成される空間を空間Ｆｓにより再現することができる。
【０２２９】
第１装着体５を足Ｆに装着したら、第１装着体５を装着した状態の足Ｆに第２装着体７０（足長に対応した第２装着体７０）を装着する。つまり、第１装着体５を覆うように第２装着体７０を装着する。第２装着体７０を装着した状態は、図２５〜図２８に示すようになる。また、足Ｆに装着していない状態の横断面は、図２９（ａ）に示すようになるが、第１装着体５を装着した足Ｆに第２装着体７０を装着した状態の横断面は、図２９（ｂ）に示すようになり、覆い部７２が第１装着体５の外形に合わせて伸びて第１装着体５に密着する。なお、第２装着体７０の中心表示線９０ａを足の中心に位置するように（中心表示線９０ａが第二趾とかかとの後端を結ぶ線上に位置するように）覆い部７２の伸び具合を調整し、第１装着体５の中心表示線３４ａと第２装着体７０の中心表示線９０ａが、図２５に示すように、一致するようにする。これにより、第１装着体５と第２装着体７０の位置を合わせることができる。
【０２３０】
なお、締付け部１１４と締付け部１３４により第２装着体７０の締付け度合いを調整できるので、締付け部１１４により締め付けることにより、短辺部１０６ｃ、１０８ｃが上方に浮くのを防止でき、足囲を正確に測定することができ、同様に、締付け部１３４により締め付けることにより、短辺部１２６ｃ、１２８ｃが上方に浮くのを防止でき、甲回りを正確に測定することができる。なお、締付け部１１４、１３４の締付けの度合いとしては、短辺部１０６ｃ、１０８ｃ、１２６ｃ、１２８ｃが上方に浮かない程度の強さでよい。
【０２３１】
つまり、足甲部７６における開口部７６ａの左右両側の領域は、開口部７６ａから離れるほど下方となるように傾斜しているので、開口部７６ａの辺部は上方に浮きやすく、開口部７６ａの辺部が上方に浮いた状態では、短辺部１０６ｃ、１０８ｃ、１２６ｃ、１２８ｃも上方に浮いてしまう（つまり、左帯状部１０６、右帯状部１０８、左帯状部１２６、右帯状部１２８の短辺部側の先端部分が斜め上方を向く）ので、足囲や甲回りを正確に測定することができないが、上記のように、短辺部１０６ｃ、１０８ｃ、１２６ｃ、１２８ｃが上方に浮くのを防止することにより、足囲と甲回りを正確に測定することができる。
【０２３２】
また、締付け部１１４、１３４により、留め具１１８の紐部１１６に対する位置と留め具１３８の紐部１３６に対する位置を調整することにより、第２装着体７０を好みの締付け具合に調整することもできる。締付け部１１４、１３４を強く締め付けた場合には、左帯状部１０６の短辺部１０６ｃと右帯状部１０８の短辺部１０８ｃ間の長さが短くなるとともに、左帯状部１２６の短辺部１２６ｃと右帯状部１２８の短辺部１２８ｃ間の長さが短くなり、目盛り表示部４０の測定長さ（後述）と目盛り表示部５０の測定長さ（後述）が短くなり、足囲や甲回りが、締付け部１１４、１３４を弱く締め付けた場合に比べて、測定される足囲と甲回りが短くなる。ただし、測定された足囲や甲回りの客観性を保つには、上記のように、短辺部１０６ｃ、１０８ｃ、１２６ｃ、１２８ｃが上方に浮かない程度の強さに締め付けるのが好ましい。
【０２３３】
また、開口部７６ａの周囲部７６ａ−１は、伸縮性を有する縫い糸７７により形成されているので、この縫い糸７７により周囲部７６ａ−１が上方に浮くのを防止することができ、これにより、短辺部１０６ｃ、１０８ｃ、１２６ｃ、１２８ｃが上方に浮くのを防止できるので、足囲や甲回りを正確に測定することができる。この縫い糸７７が、伸縮性を有する弾性部材に当たる。
【０２３４】
なお、開口部７６ａの辺部が上方に浮くのを防止する方法として、図１９に示すように、周囲部７６ａ−１に沿って、伸縮性及び柔軟性を有する弾性部材７７’を設ける方法も考えられる。この弾性部材７７’は、周囲部７６ａ−１に沿ったループ状の板状を呈し、足甲部７６の下面で開口部７６ａの辺部（つまり、開口部７６ａの縁部）に沿った位置に接着により固定されるとともに、周囲部７６ａ−１を構成する縫い糸７７によっても足甲部７６に固定されている。弾性部材７７’は、ゴム等の伸縮性及び柔軟性を有する弾性部材により形成されている。弾性部材７７’が設けられていることにより、開口部７６ａの辺部を上方に浮くのを防止でき、これにより、短辺部１０６ｃ、１０８ｃ、１２６ｃ、１２８ｃが上方に浮くのを防止することができるので、足囲と甲回りを正確に測定することができる。なお、弾性部材７７’は、伸縮性及び柔軟性を有するので、開口部７６ａの大きさ、形状が変化する際の支障となることがない。
【０２３５】
第２装着体７０を装着した状態では、足底部７４は、底板部６０の下側に位置し、開口部７６ａからは第１装着体５の一部が露出して、上方から視認できるようになる。すなわち、足甲部１６と目盛り表示部４０、５０が上方から見える状態となる。つまり、第２装着体７０の足底部７４側とは反対側である上方から足サイズ測定具１を視認した場合に（つまり、足サイズ測定具１を平面視した場合に）、一対の短辺部１０６ｃ、１０８ｃ間に目盛り表示部４０が位置し、一対の短辺部１２６ｃ、１２８ｃ間に目盛り表示部５０が位置する。つまり、第２装着状態の平面視において、一対の短辺部１０６ｃ、１０８ｃ間に目盛り表示部４０が視認され、一対の短辺部１２６ｃ、１２８ｃ間に目盛り表示部５０が視認される。
【０２３６】
ここで、平面視において、目盛り表示部４０は、左帯状部１０６と右帯状部１０８間に位置する（つまり、開口部７６ａにおける短辺部１０６ｃと短辺部１０８ｃ間に目盛り表示部４０が位置する）ので、左帯状部１０６の短辺部１０６ｃと右帯状部１０８の短辺部１０８ｃ間の目盛りの長さ（「目盛り表示部４０の測定長さ」とする）Ｌ４０（図３０参照）を目盛り表示部４０により測定することにより短辺部１０６ｃと短辺部１０８ｃ間の長さを得ることができる。なお、短辺部１０６ｃ、１０８ｃは、開口部７６ａの縁部から開口部７６ａ側に突出して形成され、平面視において、開口部７６ａの領域に位置しているので、平面視で、短辺部１０６ｃ、１０８ｃが目盛り表示部４０と重なり、目盛り表示部４０の目盛りを正確に読み取ることができる。
【０２３７】
特に、目盛り表示部４０の長手方向は、左帯状部１０６の長手方向及び右帯状部１０８の長手方向に一致（略一致としてもよい）した状態となっていて、短辺部１０６ｃは、長辺部１０６ａ、１０６ｂと直角に形成され、短辺部１０８ｃは、長辺部１０８ａ、１０８ｂと直角（略直角としてもよい）に形成されているので、目盛りを正確に読み取ることができる。
【０２３８】
また、平面視において、目盛り表示部５０は、左帯状部１２６と右帯状部１２８間に位置する（つまり、開口部７６ａにおける短辺部１２６ｃと短辺部１２８ｃ間に目盛り表示部５０が位置する）ので、左帯状部１２６の短辺部１２６ｃと右帯状部１２８の短辺部１２８ｃ間の目盛りの長さ（「目盛り表示部５０の測定長さ」とする）Ｌ５０（図３０参照）を目盛り表示部５０により測定することにより短辺部１２６ｃと短辺部１２８ｃ間の長さを得ることができる。なお、短辺部１２６ｃ、１２８ｃは、開口部７６ａの縁部から開口部７６ａ側に突出して形成され、平面視において、開口部７６ａの領域に位置しているので、平面視で、短辺部１２６ｃ、１２８ｃが目盛り表示部５０と重なり、目盛り表示部５０の目盛りを正確に読み取ることができる。
【０２３９】
特に、目盛り表示部５０の長手方向は、左帯状部１２６の長手方向及び右帯状部１２８の長手方向に一致（略一致としてもよい）した状態となっていて、短辺部１２６ｃは、長辺部１２６ａ、１２６ｂと直角に形成され、短辺部１２８ｃは、長辺部１２８ａ、１２８ｂと直角（略直角としてもよい）に形成されているので、目盛りを正確に読み取ることができる。
【０２４０】
ここで、帯状部１０２における長手方向の長さ（「帯状部１０２の長さ」とする）を予め測定しておき、帯状部１０２の長さに目盛り表示部４０の測定長さを加算することにより、帯状部１０２の位置の周囲長を得ることができ、該帯状部１０２の位置の周囲長から底板部６０の厚みの２倍の長さを減算することにより足囲（つまり、足囲長）を得ることができる。つまり、第１装着体５には底板部６０が設けられていて、該帯状部１０２の位置の周囲長は、底板部６０の厚みの２倍の長さを含んだ値であり、底板部６０の上面を靴の中底の上面とみなした場合に、本来得たい足囲長（つまり、製造する靴の内側の面における足囲の位置の周囲長）は、底板部６０の上面の位置を通る経路の周囲長となるので、該帯状部１０２の位置の周囲長から底板部６０の厚みの２倍の長さを減算するのである。
【０２４１】
第１装着体５において、足底部１４の内側に底板部６０が設けられる場合でも、該帯状部１０２の位置の周囲長に底板部６０の厚みの２倍の長さが含まれているので、該帯状部１０２の位置の周囲長から底板部６０の厚みの２倍の長さを減算する。また、第１装着体５の覆い部１２に足底部１４が設けられていない場合には、靴下に見立てた覆い部１２の足底部１４が設けられていないので、該帯状部１０２の位置の周囲長から底板部６０の厚みの２倍の長さを減算するとともに、覆い部１２の厚み分の長さを加算することになる。
【０２４２】
なお、帯状部１０２が覆い部７２の外側に設けられている場合には、第１装着体５の表面に沿った長さを得るには、覆い部７２の厚みに基づく長さをさらに減算するのが好ましい。覆い部７２の厚みに基づく長さについては、シミュレーション用のＣＡＤ上で覆い部７２の内側に沿った寸法と外側に沿った寸法の差を算出することにより得る方法や、覆い部７２がある場合の測定値と覆い部７２がない場合の測定値７２の差のデータを予め蓄積しておき、差の平均値を用いる方法が考えられる。なお、覆い部７２の厚みが薄い場合には、覆い部７２の厚みに基づく長さをほとんど考慮する必要がないので、覆い部７２の厚みに基づく長さを減算する必要はない。
【０２４３】
なお、帯状部１０２の長さは、帯状部１０２の一方の端部である短辺部１０６ｃから他方の端部である短辺部１０８ｃまでの長手方向に沿った長さであり、底帯状部１０４の長手方向の長さと左帯状部１０６の長手方向の長さと右帯状部１０８の長手方向の長さを加算したものであり、図２０に示すように、底帯状部１０４の長手方向の長さＬ１０４は、底帯状部１０４の幅方向の中央を通る直線状の仮想線１０４Ｎの長さとし、左帯状部１０６の長手方向の長さＬ１０６は、長辺部１０６ａ、１０６ｂと平行な直線状の仮想線で、仮想線１０４Ｎと接する仮想線１０６Ｎの長さとし、右帯状部１０８の長手方向の長さＬ１０８は、長辺部１０８ａ、１０８ｂと平行な直線状の仮想線で、仮想線１０４Ｎと接する仮想線１０８Ｎの長さとする。
【０２４４】
特に、足囲の測定に際して、固定値（つまり、帯状部１０２における長手方向の長さ）に測定値（つまり、目盛り表示部４０の測定長さ）を加算するので、測定値の測定誤差があっても全体の誤差を小さくすることができる。例えば、２５８ｍｍの足囲を測定する際に、メジャーを巻き付けて測定した場合には、測定誤差が１％あるとすると、２．５８ｍｍの誤差が生じるが、固定値（つまり、帯状部１０２における長手方向の長さ）が２２０ｍｍで、測定値（つまり、目盛り表示部４０の測定長さ）が３８ｍｍの場合には、測定誤差を１％とすると、０．３８ｍｍの誤差で済むため、測定の精度が向上する。
【０２４５】
なお、第１足囲割合と第２足囲割合が上記の割合で、第１足囲角度と第２足囲角度が上記の角度となっているので、足囲を正確に測定することができる。つまり、上記の第１足囲割合、第２足囲割合と第１足囲角度、第２足囲角度は、出願人が試行錯誤を重ねて見出したものであり、上記の割合と角度とすることにより、足囲を正確に測定することができる。
【０２４６】
また、帯状部１２２における長手方向の長さ（「帯状部１２２の長さ」とする）を予め測定しておくことにより、帯状部１２２の長さに目盛り表示部５０の測定長さを加算することにより、帯状部１２２の位置の周囲長を得ることができ、該帯状部１２２の位置の周囲長から底板部６０の厚みの２倍の長さを減算することにより甲回り（つまり、甲回り長）を得ることができる。つまり、第１装着体５には底板部６０が設けられていて、該帯状部１２２の位置の周囲長は、底板部６０の厚みの２倍の長さを含んだ値であり、底板部６０の上面を靴の中底の上面とみなした場合に、本来得たい甲回り長（つまり、製造する靴の内側の面における甲回りの位置の周囲長）は、底板部６０の上面の位置を通る経路の周囲長となるので、該帯状部１２２の位置の周囲長から底板部６０の厚みの２倍の長さを減算するのである。
【０２４７】
第１装着体５において、足底部１４の内側に底板部６０が設けられる場合でも、該帯状部１２２の位置の周囲長に底板部６０の厚みの２倍の長さが含まれているので、該帯状部１２２の位置の周囲長から底板部６０の厚みの２倍の長さを減算する。また、第１装着体５の覆い部１２に足底部１４が設けられていない場合には、靴下に見立てた覆い部１２の足底部１４が設けられていないので、該帯状部１２２の位置の周囲長から底板部６０の厚みの２倍の長さを減算するとともに、覆い部１２の厚み分の長さ加算することになる。
【０２４８】
なお、帯状部１２２が覆い部７２の外側に設けられている場合には、第１装着体５の表面に沿った長さを得るには、覆い部７２の厚みに基づく長さをさらに減算するのが好ましい。
【０２４９】
なお、帯状部１２２の長さは、帯状部１２２の一方の端部である短辺部１２６ｃから他方の端部である短辺部１２８ｃまでの長手方向に沿った長さであり、底帯状部１２４の長手方向の長さと左帯状部１２６の長手方向の長さと右帯状部１２８の長手方向の長さを加算したものであり、図２１に示すように、底帯状部１２４の長手方向の長さＬ１２４は、帯状部１２４の幅方向の中央を通る直線状の仮想線１２４Ｎの長さとし、左帯状部１２６の長手方向の長さＬ１２６は、長辺部１２６ａ、１２６ｂと平行な直線状の仮想線で、仮想線１２４Ｎと接する仮想線１２６Ｎの長さとし、右帯状部１２８の長手方向の長さＬ１２８は、長辺部１２８ａ、１２８ｂと平行な直線状の仮想線で、仮想線１２４Ｎと接する仮想線１２８Ｎの長さとする。
【０２５０】
特に、甲回りの測定に際して、固定値（つまり、帯状部１２２における長手方向の長さ）に測定値（つまり、目盛り表示部５０の測定長さ）を加算するので、測定値の測定誤差があっても全体の誤差を小さくすることができる。
【０２５１】
また、第１装着体５には、底板部６０が設けられているので、足の土踏まずの下方に空間が形成され、土踏まずと靴の中底の間の空間を再現でき、靴を製造する場合に適した甲回りの測定をすることができる。つまり、測定対象の足に土踏まずがある場合に、甲回りの位置には土踏まずが位置するので、単に足の甲回りの位置をメジャーで巻きつけて測定すると、土踏まずの位置では土踏まずの面にメジャーが接した状態で測定してしまい、土踏まずの下方の空間を考慮した測定をすることができないが、本実施例では、底板部６０が設けられているので、足の土踏まずの下方に空間を形成した状態で甲回りを測定することができ、製靴型を考慮した靴を製造することができる。すなわち、土踏まずの下方にある空間を考慮しないと、靴に足を入れるスペースを確保できないため、製靴型には足の土踏まずの箇所にも製靴型の素材が設けられており、このような製靴型の構成を考慮した靴を製造することができる。
【０２５２】
よって、本実施例の足サイズ測定具１による測定値に従い得た甲回りに従い製靴型を作成して、該製靴型に従い靴を製造することにより、製靴型を考慮した靴を製造することができる。なお、土踏まずと靴の中底との間に空間を形成することにより、足裏の土踏まずの部分がアーチ状となり、該アーチ状の部分で歩行時の衝撃を吸収することにより、疲れにくいとされており、また、該空間を形成することにより、足裏の土踏まずがポンプの役割をして靴内の空気を循環させて、靴内の蒸れを防止することができる。
【０２５３】
なお、第１甲回り割合と第２甲回り割合が上記の割合で、第１甲回り角度と第２甲回り角度が上記の角度となっているので、甲回りを正確に測定することができる。つまり、上記の第１甲回り割合、第２甲回り割合と第１甲回り角度、第２甲回り角度は、出願人が試行錯誤を重ねて見出したものであり、上記の割合と角度とすることにより、甲回りを正確に測定することができる。
【０２５４】
なお、覆い部１２において、足底部１４は底板部６０に固定されているので、足底部１４は伸縮せず、また、目盛り表示部４０、５０が覆い部１２に接着により固定されている場合には、覆い部１２において目盛り表示部４０に接着されている領域や目盛り表示部５０に接着されている領域は、伸縮せず、また、目盛り表示部４０、５０が、目盛り表示部４０、５０の辺部に沿って周状に縫付けされている場合には、覆い部１２における縫い糸で囲まれた領域は、伸縮しないが、覆い部１２における該伸縮しない領域以外の領域が伸縮するので、第１装着体５を足に装着した際の覆い部１２の伸縮には支障がない。なお、底板部６０を足底部１４に縫い糸により周状に縫い付けて固定する場合に、縫い糸がゴム糸等の伸縮性を有する縫い糸により縫い付けることにより、覆い部１２における縫い糸で囲まれた領域も伸縮させることができる。また、目盛り表示部４０、５０を縫付けにより固定する場合に、縫い糸がゴム糸等の伸縮性を有する縫い糸により縫い付けることにより、縫い糸で囲まれた領域も伸縮させることができる。
【０２５５】
また、同様に、覆い部７２において、足囲測定部１００と甲回り測定部１２０が覆い部７２に接着により固定されている場合には、覆い部７２において足囲測定部１００に接着されている領域や甲回り測定部１２０に接着されている領域は、伸縮せず、また、足囲測定部１００が縫い糸により周状に縫い付けて固定されている場合には、覆い部７２における該縫い糸で囲まれた領域は、伸縮せず、また、甲回り測定部１２０が縫い糸により周状に縫製して固定されている場合には、覆い部７２における該縫い糸で囲まれた領域は、伸縮しないが、覆い部７２における該伸縮しない領域以外の領域が伸縮するので、第２装着体７０を足に装着した際の覆い部７２の伸縮には支障がない。なお、足囲測定部１００や甲回り測定部１２０を縫い糸により周状に縫い付けて固定する場合に、縫い糸がゴム糸等の伸縮性を有する縫い糸により縫い付けることにより、覆い部７２における縫い糸で囲まれた領域も伸縮させることができる。
【０２５６】
また、第１装着体５と第２装着体７０を足に装着した状態を平面視した画像を撮影して目盛り表示部４０、５０の領域の画像（つまり、測定用の画像）を得ておくことにより、その画像から目盛り表示部４０の測定長さと目盛り表示部５０の測定長さを得ることができるので、足囲と甲回りを計算することができる。なお、画像を撮影するには、第１装着体５と第２装着体７０を足に装着した状態を上方からデジタルカメラにより撮影すればよいので、測定用の画像を容易に撮影することができる。
【０２５７】
足囲と甲回りが測定されたら、足長と測定された足囲と甲回りに従い製靴型を製造して、該製靴型に基づき靴を製造する。
【０２５８】
なお、足サイズ測定具１においては、第１装着体５を足に装着し、さらに第２装着体７０を足に装着した状態で、足囲測定部１００により足囲を測定し、甲回り測定部１２０により甲回りを測定していて、第１装着体５を足に装着した状態の足囲と甲回りを測定しているが、これは、第１装着体５を足に装着することにより、靴下を履いた状態を再現しており、いわば、靴下を履いた状態を再現して足囲と甲回りを測定しているといえる。すなわち、靴を履く際には一般的に靴下を履くことから、靴下を履いた状態を模して足囲と甲回りを測定することにより、装着した足に適した製靴型を作成することができる。
【０２５９】
以上のように、本実施例の足サイズ測定具１によれば、足の足長に対応する第１装着体５と第２装着体７０を足に装着するのみで、目盛り表示部４０と目盛り表示部５０の目盛りを読み取ることにより足囲と甲回りを得ることができるので、目盛りが表示されたメジャー部を足に巻き付ける必要がなく、容易に足囲と甲回りを測定することができる。
【０２６０】
また、目盛り表示部４０、５０により短い距離を測定するので、測定誤差を小さくすることができる。
【０２６１】
また、第１装着体５と第２装着体７０を足に装着した状態を上方から撮影することにより、測定用の画像を得ることができるので、測定用の画像の撮影も容易に行なうことができる。
【０２６２】
また、第１装着体５には、底板部６０が設けられていて、第１装着体５を足に装着した際に足の土踏まずの下方に空間が形成されるので、靴を製造する場合に適した甲回りの測定をすることができる。つまり、靴の製造に際して、製靴型は、土踏まずと靴の中底の間に空間が形成されるように形成されるため、底板部６０を設けることにより、靴の製造に適した甲回りの測定が可能となる。
【０２６３】
次に、足サイズ測定具の第１変形例について説明する。すなわち、上記の説明においては、第１装着体５の装着体本体１０には目盛り表示部４０、５０が設けられているとしたが、第１変形例の足サイズ測定具１’においては、図３２〜図３５に示すように、目盛り表示部４０、５０の構成を省略するとともに、測定用補助具１５０を設ける構成とする。
【０２６４】
すなわち、図３２に示す第１装着体５’は、図１〜図５に示す第１装着体５と略同様の構成であるが、目盛り表示部４０，５０は設けられておらず、第１装着体５’は、覆い部（足覆い部、袋状部としてもよい）１２と、覆い部１２に固定して設けられた底板部６０とを有している。
【０２６５】
ここで、第１変形例における覆い部１２は、上記第１装着体５における覆い部１２と同様の構成であり、足底部１４と、足甲部１６と、つま先部１８と、かかと部２０とを有している。この覆い部１２には、第１装着体５の場合と同様に、中心表示線３４が設けられているが、足囲表示線３０と、甲回り表示線３２は設けられていない。
【０２６６】
また、底板部６０は、第１装着体５における底板部６０と同様の構成であり、平板状で、略足型形状を呈し、柔軟性がない素材（つまり、非柔軟性の素材。なお、柔軟性が低い素材としてもよい）であるとともに、伸縮性がない素材（つまり、非伸縮性の素材。なお、難伸縮性の素材でもよい）により形成されている。
【０２６７】
なお、第１装着体５’の覆い部１２の構成は、第１装着体５の覆い部１２と同様であり、第１装着体５’においても、覆い部１２における足底部１４の構成を省略してもよい。また、第１装着体５’の足底部１４以外の領域としては、つま先部１８やかかと部２０の下側部分を省略してもよく、覆い部１２は、少なくとも足の甲を覆う形状で、上方に足を入れるための履き口を有する構成であればよい。
【０２６８】
また、第１変形例における第２装着体７０は、図１２〜図２１に示す第２装着体７０と同様の構成である。
【０２６９】
なお、この第１変形例においても、第１装着体５’及び第２装着体７０の足長方向の長さが異なる足サイズ測定具セットを用意しておき、足サイズ測定具セットの中から測定する足の足長に対応した足サイズ測定具１’を選ぶ。
【０２７０】
また、測定用補助具１５０は、四角枠状の板状部材であり、互いに平行に設けられた帯状部１５２、１５４と、帯状部１５２、１５４に対して直角に設けられ、互いに平行に設けられた帯状部１５６、１５８とを有し、全体に正方形の枠状となっている。各帯状部１５２〜１５８において、長手辺は、互いに平行であり、帯状部１５２の内側の辺部１５２ａと、帯状部１５４の内側の辺部１５４ａとは互いに平行であり、帯状部１５６の内側の辺部１５６ａと、帯状部１５８の内側の辺部１５８ａとは互いに平行となっている。測定用補助具１５０は上記のように形成されているので、内側に四角形状の開口部Ｋ１５０が設けられている。
【０２７１】
この開口部Ｋ１５０の大きさは、第１装着体５と第２装着体７０を足に装着した状態で、短辺部１０６ｃ、１０８ｃ、１２６ｃ、１２８ｃが開口部Ｋ１５０内に位置する程度の大きさを有し、辺部１５２ａと辺部１５４ａ間の長さＬ１５０は、少なくとも短辺部１０６ｃの前端位置と短辺部１２８ｃの後端位置間の前後方向の長さＬ１０９を有し、辺部１５６ａと辺部１５８ａ間の長さＬ１５１は、第１装着体５と第２装着体７０を足に装着して、短辺部１０６ｃと短辺部１０８ｃ間の長さが伸びた場合や、短辺部１２６ｃと短辺部１２８ｃ間の長さが伸びた場合でも、短辺部１０６ｃ、１０８ｃ、１２６ｃ、１２８ｃが開口部Ｋ１５０内に十分位置する長さに形成されている。なお、長さＬ１５１は、足の横方向の幅が長い場合を考慮して、第２装着体７０の足長に応じて、十分長くしておくことが好ましい。なお、長さＬ１５０や長さＬ１５１の値は、予め計測しておくものとする。長さＬ１５０が予め定められているので、長さＬ１５０の間隔を有する帯状部１５２と帯状部１５４とで、「予め定められた長さを有する部材」が構成され、長さＬ１５１が予め定められているので、長さＬ１５１の間隔を有する帯状部１５６と帯状部１５８とで、「予め定められた長さを有する部材」が構成される。
【０２７２】
第１変形例の足サイズ測定具１’の使用方法については、足サイズ測定具１の場合と同様に、足長に対応した第１装着体５’と第２装着体７０を装着する。なお、足サイズ測定具１の場合と同様に、第１装着体５’の中心表示線３４ａと第２装着体７０の中心表示線９０ａが、図３４に示すように、一致するようにする。
【０２７３】
そして、図３４に示すように、測定用補助具１５０を第２装着体７０の上に配置し、測定用補助具１５０の開口部Ｋ１５０内に短辺部１０６ｃ、１０８ｃ、１２６ｃ、１２８ｃが位置するようにする。そして、測定用補助具１５０を図３４のように配置した状態で、測定用補助具１５０及び開口部Ｋ１５０内の領域を撮影する。
【０２７４】
そして、撮影した画像から短辺部１０６ｃと短辺部１０８ｃ間の長さＬ１０５（左帯状部１０６と右帯状部１０８の曲り形状に沿った長さ）を長さＬ１５０及び長さＬ１５１と比較して計測し、同様に、短辺部１２６ｃと短辺部１２８ｃ間の長さＬ１２５（左帯状部１２６と右帯状部１２８の曲り形状に沿った長さ）を長さＬ１５０及び長さＬ１５１と比較して計測する。なお、長さＬ１０５の計測の方法としては、例えば、左帯状部１０６と右帯状部１０８の曲り形状の曲率を定めておき、短辺部１０６ｃの両側の端部から等距離の中間位置と短辺部１０８ｃの両側の端部から等距離の中間位置間の直線の長さＬ１０５’を長さＬ１５０及び長さＬ１５１と比較して計測し、その後、該曲率に基づき長さＬ１０５を計算する。長さＬ１２５の計測の方法も同様である。
【０２７５】
なお、上記の説明では、測定用補助具１５０は、四角枠状としたが、測定用補助具１５０の他の例としては、方眼紙のように互いに平行な複数の直線からなる第１直線群と、第１直線群の直線と直角をなす互いに平行な直線からなる第２直線群が表示されたシートが考えられ、該シートの上に足サイズ測定具１’を装着した足を乗せて、足サイズ測定具１’を該シートとともに撮影することにより、第１直線群における直線間の長さ及び第２直線群における直線間の長さと比較して、長さＬ１０５と長さＬ１２５を計測してもよい。
【０２７６】
なお、測定用補助具としては、少なくとも測定用の３つの測定対象としての第１撮影ポイントと第２撮影ポイントと第３撮影ポイントが互いに間隔を介して設けられた部材で、足サイズ測定具１とともに撮影する部材であればよく、３つのポイントにおける２組のポイント間の長さと、２組のポイント間の直線の角度が予め分かっていれば、撮影した画像が平面視の方向に対して傾斜していても長さＬ１０５と長さＬ１２５を計測することができる。
【０２７７】
例えば、図３４、図３５に示す測定用補助具１５０において、辺部１５２ａと辺部１５８ａ間の角部（第１撮影ポイント）１５０Ａと、辺部１５８ａと辺部１５４ａ間の角部（第２撮影ポイント）１５０Ｂと、辺部１５４ａと辺部１５６ａ間の角部（第３撮影ポイント）１５０Ｃを３つの撮影ポイントとし、角部１５０Ａと角部１５０Ｂ間の直線を第１角部間直線とし、角部１５０Ｂと角部１５０Ｃ間の直線を第２角部間直線とした場合に、第１角部間直線の長さと、第２角部間直線の長さと、第１角部間直線と第２角部間直線の間の角度（図３５の例では９０度）が予め分かっていれば、撮影した画像を平面視の画像に補正できるので、補正した画像に基づき、長さＬ１０５と長さＬ１２５を計測することができる。
【０２７８】
よって、例えば、第１撮影ポイント〜第３撮影ポイントとしての３つの点が表示されたシートに足サイズ測定具１’を装着した足を乗せて該３つの点とともに撮影することにより、長さＬ１０５と長さＬ１２５を計測することができる。
【０２７９】
なお、足サイズ測定具１’においては、短辺部１０６ｃ、１０８ｃ、１２６ｃ、１２８ｃが開口部７６ａの内側に突出して形成されているとしたが、これらの短辺部は、開口部７６ａの縁部に沿って形成されていてもよく、さらには、撮影に際して、短辺部１０６ｃ、１０８ｃ、１２６ｃ、１２８ｃを撮影することができれば、これらの短辺部は、開口部７６ａの縁部に達していなくてもよい。つまり、短辺部１０６ｃ、１０８ｃ、１２６ｃ、１２８ｃは、開口部７６ａの近傍に設けられていればよい。例えば、図３５の例では、これらの短辺部は、測定用補助部１５０の枠内に入る位置に設けられていればよい。
【０２８０】
以上のように、足サイズ測定具１’においては、目盛り表示部４０、５０の代わりに測定用補助具１５０を用いることにより、足囲と甲回りを得ることができるので、目盛りが表示されたメジャー部を足に巻き付ける必要がなく、容易に足囲と甲回りを測定することができる。また、２つの短辺部間の短い距離（つまり、短辺部１０６ｃと短辺部１０８ｃ間の距離と、短辺部１２６ｃと短辺部１２８ｃ間の距離）を測定するので、測定誤差を小さくすることができる。
【０２８１】
また、足サイズ測定具１’においても、第１装着体５と第２装着体７０を足に装着した状態を上方から撮影することにより、測定用の画像を得ることができるので、測定用の画像の撮影も容易に行なうことができる。
【０２８２】
また、足サイズ測定具１’においても、第１装着体５には、底板部６０が設けられていて、第１装着体５を足に装着した際に足の土踏まずの下方に空間が形成されるので、靴を製造する場合に適した甲回りの測定をすることができる。
【０２８３】
また、上記の説明では、足サイズ測定具１においては、第１装着体５と第２装着体７０が別体であり、足サイズ測定具１の使用に際して、第１装着体５を足に装着した後に第２装着体７０を第１装着体５の外側に装着するとして説明したが、第１装着体５を第２装着体７０に固定した構成としてもよい。すなわち、この場合の足サイズ測定具１においては、図３６、図３７に示すように、底板部６０の下側に足底部７４が位置し、覆い部１２の履き口としての開口部２２が、足サイズ測定具１の平面視において、覆い部７２の履き口としての開口部８２内に視認できる状態で、第１装着体５と第２装着体７０とが固定されている。第１装着体５と第２装着体７０が固定された状態では、中心表示線３４と中心表示線９０が一致した状態となっている。
【０２８４】
第１装着体５と第２装着体７０の固定の方法としては、縫製や接着により行ない、縫製の場合には、例えば、図３６に示すように、開口部２２の辺部に沿った領域と開口部８２の辺部に沿った領域を縫い糸ＮＴ１で縫製することにより、覆い部１２と覆い部７２の履き口の箇所を縫着し、足甲部１６の先端側領域と足甲部７６の先端側領域を縫い糸ＮＴ２により縫製することにより、覆い部１２と覆い部７２の足甲部の先端側の領域を縫着する。また、接着により第１装着体５と第２装着体７０を固定する場合では、例えば、開口部２２の辺部に沿った領域と開口部８２の辺部に沿った領域を接着するとともに、足甲部１６の先端側領域と足甲部７６の先端側領域を接着する。接着に際しては、覆い部１２の接着領域と覆い部７２の接着領域の間に熱可塑性樹脂を配置した状態で加熱して熱溶着することにより接着する方法がある。
【０２８５】
このように第１装着体５と第２装着体７０を固定することにより、足サイズ測定具１を足に装着する動作を１回で済ますことができ、また、中心表示線３４と中心表示線９０を一致させておくことにより、第１装着体５を装着した状態で第２装着体７０を装着した際に、中心表示線３４と中心表示線９０を一致させる操作が不要となり、第１装着体５と第２装着体７０を位置合わせする必要がなくなる。
【０２８６】
また、上記の説明では、足サイズ測定具１’においては、第１装着体５’と第２装着体７０が別体であり、足サイズ測定具１’の使用に際して、第１装着体５’を足に装着した後に第２装着体７０を第１装着体５の外側に装着するとして説明したが、第１装着体５’を第２装着体７０に固定した構成としてもよい。この場合の足サイズ測定具１’においては、足サイズ測定具１において、第１装着体５を第２装着体７０に固定した場合と同様に、底板部６０の下側に足底部７４が位置する状態で、第１装着体５’と第２装着体７０とが固定された構成とする。第１装着体５’と第２装着体７０が固定された状態では、中心表示線３４と中心表示線９０が一致した状態となっている。
【０２８７】
第１装着体５’と第２装着体７０の固定の方法としては、足サイズ測定具１において第１装着体５を第２装着体７０に固定した場合と同様に、縫製や接着により行なう。具体的な縫製や接着の方法は、足サイズ測定具１において第１装着体５を第２装着体７０に固定した場合と同様であるので、詳しい説明を省略する。
【０２８８】
このように第１装着体５’と第２装着体７０を固定することにより、足サイズ測定具１’を足に装着する動作が１回で済ますことができ、また、中心表示線３４と中心表示線９０を一致させておくことにより、第１装着体５’を装着した状態で第２装着体７０を装着した際に、中心表示線３４と中心表示線９０を一致させる操作が不要となり、第１装着体５と第２装着体７０を位置合わせする必要がなくなる。
【０２８９】
なお、第１装着体５（５’）と第２装着体７０を固定する場合でも、覆い部１２と覆い部７２が伸縮する素材で形成されているので、足サイズ測定具１（１’）を足に装着した際に、覆い部１２と覆い部７２が足の形状に合わせて伸びるのに支障はない。
【０２９０】
また、上記の説明では、覆い部１２と覆い部７２の履き口の箇所と、足甲部１６、７６の先端側領域同士を固定するものとしたが、第１装着体５（５’）と第２装着体７０の他の箇所を固定してもよく、例えば、足甲部１６、７６の側面同士を固定したり、底板部６０と覆い部７２の足底部７４を固定してもよい。すなわち、第１装着体５（５’）と第２装着体７０を固定する場合に、目盛り表示部４０が足囲測定部１００及び甲回り測定部１２０と固定されず、かつ、目盛り表示部５０が足囲測定部１００及び甲回り測定部１２０と固定されない構成として、足囲測定部１００の短辺部１０６ｃ、１０８ｃが目盛り表示部４０に対して相対的に移動し、甲回り測定部１２０の短辺部１２６ｃ、１２８ｃが目盛り表示部５０に対して相対的に移動できる構成であればよい。ただし、第１装着体５（５’）の前後左右及び上面・下面が、第２装着体７０の前後左右及び上面・下面と対応していることが必要であり、上記のように、覆い部１２と覆い部７２の履き口の箇所と、足甲部１６、７６の先端側領域同士を固定することにより、前後左右及び上面・下面の対応を保つことができる。
【０２９１】
次に、足サイズ測定具の第２変形例について説明する。上記の足サイズ測定具１や足サイズ測定具１’は、第１装着体５（５’）と、第２装着体７０とを有する構成であるのに対して、第２変形例の足サイズ測定具１’’は、１つの装着体のみから構成される。
【０２９２】
すなわち、足サイズ測定具１’’は、図３８、図３９に示すように、覆い部（足覆い部、袋状部としてもよい）１２’と、覆い部１２’の底面に固定して設けられた底板部６０とを有している。
【０２９３】
覆い部１２’は、足サイズ測定具１の第１装着体５における覆い部１２と略同様の構成であり、覆い部１２’は、足が入る袋状（足を覆う袋状としてもよい）（ソックス形状、靴下形状としてもよい）を呈し、足底部１４と、足底部１４から連設された足甲部１６と、足底部１４と足甲部１６から連設されたつま先部１８と、足底部１４と足甲部１６から連設されたかかと部２０とを有している。この覆い部１２’は、伸縮性及び柔軟性のある素材により全体に一体に形成されている。覆い部１２’を構成する伸縮性及び柔軟性のある素材は、覆い部１２を構成する素材と同様の素材により形成されている。覆い部１２’の足底部１４は、覆い部１２の足底部１４と同様の構成であり、覆い部１２’の足甲部１６は、覆い部１２の足甲部１６と同様の構成であり、覆い部１２’のつま先部１８は、覆い部１２のつま先部と同様の構成であり、覆い部１２’のかかと部２０は、覆い部１２のかかと部２０と同様の構成である。
【０２９４】
また、覆い部１２’には、足囲表示線３０と、甲回り表示線３２と、中心表示線３４が設けられている。なお、足サイズ測定具１’’においては、目盛り表示部４０、５０は設けられていない。
【０２９５】
足囲表示線（足囲用表示部）３０は、足サイズ測定具１の第１装着体５における覆い部１２と同様に、左端点３０Ｐと右端点３０Ｑを結び、覆い部１２’の平面視において前側に湾曲した略円弧状の曲線（第１仮想線）３１Ｇ上に設けられており、覆い部１２’における足囲表示線３０は、左端点３０Ｐから右端点３０Ｑまで連続して曲線３１Ｇに沿って形成されている。足囲表示線３０は、線状（具体的には、実線の線状）の表示線であり、印刷又は手書きにより設けられている。
【０２９６】
この曲線３１Ｇは、足サイズ測定具１における曲線３１Ｇと同様であり、曲線３１Ｇは、覆い部１２’の平面透視において、曲線３１Ｌと一致し（略一致するとしてもよい）、該第１直線の足囲割合と足囲角度は、足サイズ測定具１における場合と同様である。
【０２９７】
足囲表示線３０は、左端点３０Ｐから右端点３０Ｑまで設けられているが、足囲表示線３０は、覆い部１２’における足底部１４を除いた領域（特定領域）における足囲に沿った一方の端部（左端点３０Ｐ）から他方の端部（右端点３０Ｑ）まで設けられているといえる。また、足囲表示線３０は、覆い部１２’における足囲に沿った範囲（つまり、足囲に沿ったループ状の範囲）における左端点３０Ｐから右端点３０Ｑまでの範囲（特定範囲）に設けられ、該特定範囲は、足囲における足の裏側に対応する部分を除いた範囲であるといえる。
【０２９８】
なお、表示線の代わりに、足囲表示線３０の位置に沿って表示部を設けてもよく、例えば、糸による刺繍や、複数の開口部の配列により足囲用表示部を形成してもよい。糸による刺繍の場合、伸縮性を有する糸を用い、複数の開口部の配列による場合には、例えば、円形の開口部を足囲表示線３０の位置に沿って配列する。
【０２９９】
甲回り表示線（甲回り用表示部）３２は、足サイズ測定具１の第１装着体５における覆い部１２と同様に、左端点３２Ｐと右端点３２Ｑとを結び、覆い部１２’の平面視において前側（つま先側）に湾曲した略円弧状の曲線（第２仮想線）３３Ｇ上に設けられており、覆い部１２’における甲回り表示線３２は、左端点３２Ｐから右端点３２Ｑまで連続して曲線３３Ｇに沿って形成されている。甲回り表示線３２は、線状（具体的には、実線の線状）の表示線であり、印刷又は手書きにより設けられている。
【０３００】
この曲線３３Ｇは、足サイズ測定具１における曲線３３Ｇと同様であり、曲線３３Ｇは、覆い部１２’の平面透視において、曲線３３Ｌと一致し（略一致するとしてもよい）、左端点３２Ｐと右端点３２Ｑを結ぶ直線（第２直線）の甲回り割合と甲回り角度は、足サイズ測定具１における場合と同様である。
【０３０１】
甲回り表示線３２は、左端点３２Ｐから右端点３２Ｑまで設けられているが、甲回り表示線３２は、覆い部１２’における足底部１４を除いた領域（特定領域）における甲回りに沿った一方の端部（左端点３２Ｐ）から他方の端部（右端点３２Ｑ）まで設けられているといえる。また、甲回り表示線３２は、覆い部１２’における甲回りに沿った範囲（つまり、甲回りに沿ったループ状の範囲）における左端点３２Ｐから右端点３２Ｑまでの範囲（特定範囲）に設けられ、該特定範囲は、足囲における足の裏側に対応する部分を除いた範囲であるといえる。
【０３０２】
なお、表示線の代わりに、甲回り表示線３２の位置に沿って表示部を設けてもよく、例えば、糸による刺繍や、複数の開口部の配列により甲回り用表示部を形成してもよい。糸による刺繍の場合、伸縮性を有する糸を用い、複数の開口部の配列による場合には、例えば、円形の開口部を甲回り表示線３２の位置に沿って配列する。
【０３０３】
中心表示線３４は、足サイズ測定具１の第１装着体５における覆い部１２と同様に、覆い部１２の先端から開口部２２の前端まで形成された中心表示線３４ａと、覆い部１２の後端から開口部２２の後端まで形成された中心表示線３４ｂとを有し、中心表示線３４ａ、３４ｂは、中心線３４Ｌに対応した位置に形成されている。中心表示線３４は、印刷又は手書きにより設けられている。なお、表示線の代わりに、中心表示線３４の位置に沿って表示部を設けてもよく、例えば、糸による刺繍や、複数の開口部の配列により中心表示部を形成してもよい。糸による刺繍の場合、伸縮性を有する糸を用い、複数の開口部の配列による場合には、例えば、円形の開口部を中心表示線３４の位置に沿って配列する。
【０３０４】
また、底板部６０は、足サイズ測定具１の第１装着体５における底板部６０と同様の構成であり、平板状で、略足型形状を呈し、非柔軟性を有するか、あるいは、足サイズ測定具１’’を足に装着した際に、足の裏の形状に沿って変形することがない程度に低い柔軟性を有している。底板部６０は、足サイズ測定具１の第１装着体５における覆い部１２と同様に、覆い部１２’の足底部１４の下面に接着又は縫製により固定して設けられているが、底板部６０を覆い部１２の内側に設け、足底部１４の上面に接着や縫製等により固定した構成としてもよい。
【０３０５】
なお、底板部６０は平板状であるとしたが、製造する靴の内底面の表面形状や製造する靴の製靴型の底面の表面形状に応じて、底板部６０の上面と下面を曲面状としてもよい。つまり、図１１に示す底板部６０としてもよい。
【０３０６】
なお、上記の説明においては、覆い部１２’は、袋状を呈し、足底部１４と足甲部１６とつま先部１８とかかと部２０とを有しているとしたが、足底部１４の構成を省略して、足甲部１６とつま先部１８とかかと部２０の下端が底板部６０の縁部に沿って固定された構成としてもよい。つまり、覆い部１２’の下方が開口された形状としてもよい。その場合の覆い部１２’と底板部６０の固定の方法は、足サイズ測定具１の第１装着体５における覆い部１２と同様であり、図１０（ａ）や図１０（ｂ）に示す構成となる。
【０３０７】
また、足底部１４の構成が省略される場合には、第１直線と、第２直線と、左端点３０Ｐ及び右端点３０Ｑと、左端点３２Ｐ及び右端点３２Ｑは、上記で説明したように、足底部１４の代わりに底板部６０を基準して決定され、左端点３０Ｐ、右端点３０Ｑ、左端点３２Ｐ、右端点３２Ｑは、覆い部１２’の下端（つまり、底板部６０との接点の位置）となる。よって、足囲表示線は、覆い部１２’における足囲に沿った一方の端部（つまり、左端点３０Ｐ）から他方の端部（つまり、右端点３０Ｑ）まで設けられ、甲回り表示線は、覆い部１２’における甲回りに沿った一方の端部（つまり、左端点３２Ｐ）から他方の端部（つまり、右端点３２Ｑ）まで設けられている。
【０３０８】
以上のように、第２変形例の足サイズ測定具１’’は、図１〜図５に示す第１装着体５において、目盛り表示部４０、５０を省略し、足囲表示線３０を左端点３０Ｐから右端点３０Ｑまで形成し、甲回り表示線３２を左端点３２Ｐから右端点３２Ｑまで形成したものといえる。
【０３０９】
上記構成の足サイズ測定具１’’の使用方法について説明すると、足サイズ測定具１’’は、上記の足サイズ測定具１や足サイズ測定具１’の場合と異なり、３Ｄ測定器を用いて足囲や甲回りを測定する。
【０３１０】
すなわち、足サイズ測定具１’’を足サイズを測定する足に装着する。つまり、複数の足サイズ測定具において、足長方向の長さが異なる足サイズ測定具セットを用意しておき、足サイズ測定具セットの中から測定する足の足長に対応した足サイズ測定具１’’を選び、選んだ足サイズ測定具１’’を靴下を履くようにして装着する。
【０３１１】
足Ｆに装着していない状態の足サイズ測定具１’’の横断面は、図２４（ａ）に示すようになるが、足Ｆに足サイズ測定具１’’を装着した状態の横断面は、図２４（ｂ）に示すようになり、覆い部１２’が足Ｆの外形に合わせて伸びて足Ｆの表面に密着する（ただし、足底部１４は底板部６０に固定されているので、足底部１４が足の裏に密着することはない）。
【０３１２】
なお、土踏まずを有する足に足サイズ測定具１’’を装着した場合に、足Ｆの土踏まずＦａの下方には、空間Ｆｓが設けられる。つまり、覆い部１２’の足底部１４は底板部６０に接着されているので、足底部１４は足Ｆの裏面には密着せず、土踏まずＦａの下方には空間Ｆｓが設けられる。これにより、靴の中底に足が接した状態で靴を履いた際の足の土踏まずＦａと中底間に形成される空間を空間Ｆｓにより再現することができる。
【０３１３】
そして、足サイズ測定具１’’を足に装着した状態で、３Ｄ測定器により、足囲表示線３０に沿った長さ（足囲表示線長さとする）と、甲回り表示線３２に沿った長さ（甲回り表示線長さとする）を測定する。つまり、左端点３０Ｐから右端点３０Ｑまでの足囲表示線３０に沿った長さを計測するとともに、左端点３２Ｐと右端点３２Ｑまでの甲回り表示線３２に沿った長さを計測する。
【０３１４】
そして、左端点３０Ｐと右端点３０Ｑ間の直線距離（第１直線長さとする）も３Ｄ測定器により測定することができるので、３Ｄ測定器により、足囲表示線長さと第１直線長さを加算することにより足囲が測定される。また、左端点３２Ｐと右端点３２Ｑ間の直線距離（第２直線長さとする）も３Ｄ測定器により測定することができるので、３Ｄ測定器により、甲回り表示線長さと第２直線長さを加算することにより甲回りが測定される。
【０３１５】
以上のように、図３８、図３９に示す足サイズ測定具１’’によれば、足の足長に対応する足サイズ測定具１’’を装着して、３Ｄ測定器により足囲表示線３０に沿った長さと甲回り表示線３２に沿った長さを計測することにより足囲と甲回りを得ることができるので、目盛りが表示されたメジャー部を足に巻き付ける必要がなく、容易に足囲と甲回りを測定することができる。
【０３１６】
また、足サイズ測定具１’’には、底板部６０が設けられていて、足サイズ測定具１’’を足に装着した際に足の土踏まずの下方に空間が形成されるので、靴を製造する場合に適した甲回りの測定をすることができる。つまり、靴の製造に際して、製靴型は、土踏まずと靴の中底の間に空間が形成されるように形成されるため、底板部６０を設けることにより、靴の製造に適した甲回りの測定が可能となる。
【０３１７】
なお、図３８、図３９に示す足サイズ測定具１’’では、底板部６０が覆い部１２’の外側に設けられているが、図８の場合と同様に、底板部６０を覆い部１２’の内側に設けてもよい。つまり、図８の構成において、目盛り表示部４０、５０を省略し、足囲表示線３０を左端点３０Ｐから右端点３０Ｑまで形成し、甲回り表示線３２を左端点３２Ｐから右端点３２Ｑまで形成したものとしてもよい。
【０３１８】
つまり、足囲表示線３０は、覆い部１２’の特定領域における足囲に沿った一方の端部（左端点３０Ｐ）から他方の端部（右端点３０Ｑ）まで設けられ、甲回り表示線３２は、覆い部１２’の特定領域における甲回りに沿った一方の端部（左端点３２Ｐ）から他方の端部（右端点３２Ｑ）まで設けられ、覆い部１２’の特定領域は、覆い部１２’における足底部１４の底面から底板部６０の厚み分上方の位置（つまり、左端点３０Ｐ、３２Ｐ、右端点３０Ｑ、３２Ｑの位置）よりも上側の領域である。
【０３１９】
また、足囲用表示部は、覆い部１２’の足囲に沿った範囲における特定範囲の一方の端部から他方の端部にまで設けられ、覆い部１２’の足囲に沿った範囲における特定範囲は、覆い部１２’の足底部１４の底面から底板部６０の厚み分上方の位置よりも上側部分であり、甲回り用表示部は、覆い部１２’の甲回りに沿った範囲における特定範囲の一方の端部から他方の端部にまで設けられ、覆い部１２’の甲回りに沿った範囲における特定範囲は、覆い部１２’の足底部１４の底面から底板部６０の厚み分上方の位置よりも上側部分である。
【０３２０】
このように、底板部６０を覆い部１２’の内側に設ける場合にも、足囲については、左端点３０Ｐから右端点３０Ｑまで足囲表示線３０に沿った長さ（足囲表示線長さ）と、左端点３０Ｐと右端点３０Ｑ間の直線距離（第１直線長さ）を３Ｄ測定器により測定することにより、足囲表示線長さと第１直線長さを加算することにより足囲が測定される。
【０３２１】
同様に、甲回りについては、左端点３２Ｐから右端点３２Ｑまで甲回り表示線３２に沿った長さ（甲回り表示線長さ）と、左端点３２Ｐと右端点３２Ｑ間の直線距離（第２直線長さ）を３Ｄ測定器により測定することにより、甲回り表示線長さと第２直線長さを加算することにより甲回りが測定される。
【０３２２】
なお、上記の足サイズ測定具１’’においては、覆い部１２’のみに足囲表示線３０と甲回り表示線３２が設けられるとしたが、底板部６０にも足囲表示線３０と甲回り表示線３２を設けて、足囲表示線３０と甲回り表示線３２を周状に形成してもよい。
【０３２３】
すなわち、図４０に示すように、足囲表示線３０は、覆い部１２’に設けられた足囲表示線３０−１と、底板部６０の底面に設けられた足囲表示線３０−２と、底板部６０の側面に設けられた足囲表示線３０−３とを有し、足囲表示線３０−１と足囲表示線３０−２と足囲表示線３０−３とで、足囲表示線３０が１つのループ状に形成されている。
【０３２４】
足囲表示線３０−２は、足サイズ測定具１’’の平面透視において、第１直線３０Ｌと略一致する位置に設けられており、足囲表示線３０−２は、底板部６０の底面における内側の端部から外側の端部にまで形成されている。
【０３２５】
また、足囲表示線３０−３は、底板部６０の側面における内側と外側に設けられ、一方の足囲表示線３０−３は、足囲表示線３０−２の一方の端部と左端点３０Ｐを結び、他方の足囲表示線３０−３は、足囲表示線３０−２の他方の端部と右端点３０Ｑを結ぶものである。なお、足囲表示線３０−３の長さは本来測定する足囲には考慮されないので、足囲表示線３０−３の方向は、底板部６０の面に対して鉛直方向（中心線３４Ｌと直角の方向としてもよい）とする。
【０３２６】
また、甲回り表示線３２は、覆い部１２’に設けられた甲回り表示線３２−１と、底板部６０の底面に設けられた甲回り表示線３２−２と、底板部６０の側面に設けられた甲回り表示線３２−３とを有し、甲回り表示線３２−１と甲回り表示線３２−２と甲回り表示線３２−３とで、甲回り表示線３２が１つのループ状に形成されている。
【０３２７】
甲回り表示線３２−２は、足サイズ測定具１’’の平面透視において、第２直線３２Ｌと略一致する位置に設けられており、甲回り表示線３２−２は、底板部６０の底面における内側の端部から外側の端部にまで形成されている。
【０３２８】
また、甲回り表示線３２−３は、底板部６０の側面における内側と外側に設けられ、一方の甲回り表示線３２−３は、甲回り表示線３２−２の一方の端部と左端点３２Ｐを結び、他方の甲回り表示線３２−３は、甲回り表示線３２−２の他方の端部と右端点３２Ｑを結ぶものである。なお、甲回り表示線３２−３の長さは本来測定する甲回りには考慮されないので、甲回り表示線３２−３の方向は、底板部６０の面に対して鉛直方向（中心線３４Ｌと直角の方向としてもよい）とする。
【０３２９】
図４０に示す足サイズ測定具１’’においては、足サイズ測定具１’’を足サイズを測定する足に装着する。つまり、複数の足サイズ測定具において、足長方向の長さが異なる足サイズ測定具セットを用意しておき、足サイズ測定具セットの中から測定する足の足長に対応した足サイズ測定具１’’を選び、選んだ足サイズ測定具１’’を靴下を履くようにして装着する。
【０３３０】
そして、３Ｄ測定器により、足囲表示線３０に沿った長さ（つまり、ループ状の線に沿った長さ）と甲回り表示線３２に沿った長さ（つまり、ループ状の線に沿った長さ）を測定し、足囲表示線３０に沿った長さから足囲表示線３０−３の長さの２倍を減算して、足囲を算出し、甲回り表示線３２に沿った長さから甲回り表示線３２−３の長さの２倍を減算して、甲回りを算出する。
【０３３１】
図４０に示す足サイズ測定具１’’においても、３Ｄ測定器により足囲と甲回りを得ることができるので、目盛りが表示されたメジャー部を足に巻き付ける必要がなく、容易に足囲と甲回りを測定することができる。特に、足囲表示線３０と甲回り表示線３２がループ状に形成されているので、これらの表示線に沿って３Ｄ測定器により測定を行えばよく、容易に足囲と甲回りの測定を行なうことができる。
【０３３２】
また、図４０に示す足サイズ測定具１’’には、底板部６０が設けられていて、足サイズ測定具１’’を足に装着した際に足の土踏まずの下方に空間が形成されるので、靴を製造する場合に適した甲回りの測定をすることができる。
【０３３３】
また、図４０の構成においては、底板部６０を覆い部１２’の外側に設けたが、図８の場合と同様に、底板部６０を覆い部１２’の内側に設け、足囲表示線を覆い部１２’の足底部１４にも形成して、足囲表示線をループ状に形成し、甲回り表示線を覆い部１２’の足底部１４にも形成して甲回り表示線をループ状に形成してもよい。
【０３３４】
つまり、図４１に示すように、足囲表示線３０は、覆い部１２’にループ状に形成されていて、足囲表示線３０は、足甲部１６に設けられた足囲表示線３０−１と、足底部１４に設けられた足囲表示線３０−２と、足甲部１６の下端領域に設けられた一対の足囲表示線３０−３とを有し、足囲表示線３０−１と、足囲表示線３０−２と、２つの足囲表示線３０−３によりループ状に形成されている。なお、一方の足囲表示線３０−３は、足囲表示線３０−２の端部と左端点３０Ｐを結ぶものであり、他方の足囲表示線３０−３は、足囲表示線３０−２の端部と右端点３０Ｑを結ぶものであり、２つの足囲表示線３０−３は、底板部６０の面に対して鉛直方向（中心線３４Ｌと直角の方向としてもよい）に形成されている。なお、左端点３０Ｐと右端点３０Ｑは、図８の場合と同様に、足底部１４の底面から底板部６０の厚み分上側の位置の点であり、足囲表示線３０−３の長さは、底板部６０の厚み分の長さとなっている。足囲表示線３０−２は、第１直線３０Ｌと一致（略一致としてもよい）している。
【０３３５】
同様に、甲回り表示線３２は、覆い部１２’にループ状に形成されていて、甲回り表示線３２は、足甲部１６に設けられた甲回り表示線３２−１と、足底部１４に設けられた甲回り表示線３２−２と、足甲部１６の下端領域に設けられた一対の甲回り表示線３２−３とを有し、足囲表示線３２−１と、足囲表示線３２−２と、２つの足囲表示線３２−３によりループ状に形成されている。なお、一方の甲回り表示線３２−３は、足囲表示線３２−２の端部と左端点３２Ｐを結ぶものであり、他方の甲回り表示線３０−２は、甲回り表示線３２−２の端部と右端点３２Ｑを結ぶものであり、２つの甲回り表示線３２−３は、底板部６０の面に対して鉛直方向（中心線３４Ｌと直角の方向としてもよい）に形成されている。なお、左端点３２Ｐと右端点３２Ｑは、図８の場合と同様に、足底部１４の底面から底板部６０の厚み分上側の位置の点であり、甲回り表示線３２−３の長さは、底板部６０の厚み分の長さとなっている。甲回り表示線３２−２は、第２直線３２Ｌと一致（略一致としてもよい）している。
【０３３６】
この図４１の足サイズ測定具１’’においても、図４０の足サイズ測定具１’’と同様に、３Ｄ測定器により、足囲表示線３０に沿った長さ（つまり、ループ状の線に沿った長さ）と甲回り表示線３２に沿った長さ（つまり、ループ状の線に沿った長さ）を測定し、足囲表示線３０に沿った長さから足囲表示線３０−３の長さの２倍を減算して、足囲を算出し、甲回り表示線３２に沿った長さから甲回り表示線３２−３の長さの２倍を減算して、甲回りを算出する。
【０３３７】
図４０に示す足サイズ測定具１’’においても、３Ｄ測定器により足囲と甲回りを得ることができるので、目盛りが表示されたメジャー部を足に巻き付ける必要がなく、容易に足囲と甲回りを測定することができる。特に、足囲表示線３０と甲回り表示線３２がループ状に形成されているので、これらの表示線に沿って３Ｄ測定器により測定を行えばよく、容易に足囲と甲回りの測定を行なうことができる。
【０３３８】
また、図４１に示す足サイズ測定具１’’には、底板部６０が設けられていて、足サイズ測定具１’’を足に装着した際に足の土踏まずの下方に空間が形成されるので、靴を製造する場合に適した甲回りの測定をすることができる。
【０３３９】
なお、図４１に示す足サイズ測定具１’’において、左端点３０Ｐと右端点３０Ｑを足囲表示線３０−２の端部の位置として、２つの足囲表示線３０−３を省略した構成としてもよく、また、左端点３２Ｐと右端点３２Ｑを足囲表示線３２−２の端部の位置として、２つの足囲表示線３２−３を省略した構成としてもよい。
【０３４０】
また、上記第２変形例の足サイズ測定具１’’において、覆い部１２’が袋状の場合には、覆い部１２’を靴下とみなすことにより、靴下を履いた状態を模して足囲と甲回りを測定するができ、装着した足に適した製靴型を作成することができる。
【０３４１】
なお、第２変形例の足サイズ測定具１’’において、足囲用表示部としての足囲表示線３０と、甲回り用表示部としての甲回り表示線３２は、実線の線状であるとしたが、３Ｄ測定器により測定できるものであれば、線状でなくてもよく、例えば、点線の線状や、足囲や甲回りに沿って設けられたドット柄であってもよい。
【符号の説明】
【０３４２】
１、１’、１’’  足サイズ測定具
５、５’  第１装着体
１０  装着体本体
１２、１２’  覆い部
１２−１  シート
１２−２、１２−３  布地
１４  足底部
１６  足甲部
１６ａ  折曲げ部分
１８  つま先部
１８ａ  折曲げ部分
２０  かかと部
２２  開口部
３０  足囲表示線
３０ａ  左足囲表示線
３０ｂ  右足囲表示線
３０−１、３０−２、３０−３  足囲表示線
３１Ｇ  曲線
３０Ｌ  第１直線
３０Ｐ  左端点
３０Ｑ  右端点
３１Ｌ  曲線
３２  甲回り表示線
３２ａ  左甲回り表示線
３２ｂ  右甲回り表示線
３２−１、３２−２、３２−３  甲回り表示線
３３Ｇ  曲線
３２Ｌ  第２直線
３２Ｐ  左端点
３２Ｑ  右端点
３３Ｌ  曲線
３４、３４ａ、３４ｂ  中心表示線
３４Ｇ  曲線
３４Ｌ  中心線
３４−１  先端
３４−２  後端
４０  目盛り表示部
４０ａ、４０ｄ  長辺部
４０ｂ、４０ｃ  短辺部
５０  目盛り表示部
５０ａ、５０ｄ  長辺部
５０ｂ、５０ｃ  短辺部
６０  底板部
７０  第２装着体
７２  覆い部
７２−１  シート
７２−２、７２−３  布地
７４  足底部
７４Ｌ  中心線
７４−１  先端
７４−２  後端
７６  足甲部
７６ａ  開口部
７６ａ−１  周囲部
７６ｂ−１、７６ｂ−２、７６ｃ−１、７６ｃ−２  穴部
７７  縫い糸
７７’  弾性部材
７８  つま先部
８０  かかと部
８２  開口部
９０、９０ａ、９０ｂ  中心表示線
９０Ｇ  曲線
９０Ｌ  中心線
１００  足囲測定部
１０２  帯状部
１０２−１、１０２−２  折れ線
１０４  底帯状部
１０４ａ、１０４ｂ  長辺部
１０４Ｇ  線
１０４Ｌ  第１直線
１０４−１  交点
１０５Ｇ  曲線
１０６  左帯状部
１０６ａ、１０６ｂ  長辺部
１０６ｃ  短辺部
１０８  右帯状部
１０８ａ、１０８ｂ  長辺部
１０８ｃ  短辺部
１１０、１１２  突状部
１１４  締付け部
１１６  紐部
１１８  留め具
１２０  甲回り測定部
１２２  帯状部
１２２−１、１２２−２  折れ線
１２４  底帯状部
１２４ａ、１２４ｂ  長辺部
１２４Ｇ  線
１２４Ｌ  第２直線
１２４−１  交点
１２５Ｇ、１２５Ｌ  曲線
１２６  左帯状部
１２６ａ、１２６ｂ  長辺部
１２６ｃ  短辺部
１２６Ｌ  曲線
１２８  右帯状部
１２８ａ、１２８ｂ  長辺部
１２８ｃ  短辺部
１３０、１３２  突状部
１３２Ｐ、１３２Ｑ  接点
１３４  締付け部
１３６  紐部
１３８  留め具
１５０  測定用補助具
１５２、１５４、１５６、１５８  帯状部
１５２ａ、１５４ａ、１５６ａ、１５８ａ  辺部
Ｆ  足
Ｆａ  土踏まず
Ｆｓ  空間
Ｌ４０、Ｌ５０、Ｌ７６ｂ、Ｌ７６ｃ、Ｌ１０４、Ｌ１０６、Ｌ１０７、Ｌ１０８、Ｌ１２４、Ｌ１２７、Ｌ１２７’、Ｌ１２６、Ｌ１２８  長さ
ＮＴ１、ＮＴ２  縫い糸
【図１】
2020168323.tif 000003
【図２】
2020168323.tif 000004
【図３】
2020168323.tif 000005
【図４】
2020168323.tif 000006
【図５】
2020168323.tif 000007
【図６】
2020168323.tif 000008
【図７】
2020168323.tif 000009
【図８】
2020168323.tif 000010
【図９】
2020168323.tif 000011
【図１０】
2020168323.tif 000012
【図１１】
2020168323.tif 000013
【図１２】
2020168323.tif 000014
【図１３】
2020168323.tif 000015
【図１４】
2020168323.tif 000016
【図１５】
2020168323.tif 000017
【図１６】
2020168323.tif 000018
【図１７】
2020168323.tif 000019
【図１８】
2020168323.tif 000020
【図１９】
2020168323.tif 000021
【図２０】
2020168323.tif 000022
【図２１】
2020168323.tif 000023
【図２２】
2020168323.tif 000024
【図２３】
2020168323.tif 000025
【図２４】
2020168323.tif 000026
【図２５】
2020168323.tif 000027
【図２６】
2020168323.tif 000028
【図２７】
2020168323.tif 000029
【図２８】
2020168323.tif 000030
【図２９】
2020168323.tif 000031
【図３０】
2020168323.tif 000032
【図３１】
2020168323.tif 000033
【図３２】
2020168323.tif 000034
【図３３】
2020168323.tif 000035
【図３４】
2020168323.tif 000036
【図３５】
2020168323.tif 000037
【図３６】
2020168323.tif 000038
【図３７】
2020168323.tif 000039
【図３８】
2020168323.tif 000040
【図３９】
2020168323.tif 000041
【図４０】
2020168323.tif 000042
【図４１】
2020168323.tif 000043
【手続補正書】
【提出日】令和1年11月22日(2019.11.22)
【手続補正１】
【補正対象書類名】特許請求の範囲
【補正対象項目名】全文
【補正方法】変更
【補正の内容】
【特許請求の範囲】
【請求項１】
足のサイズを測定する足サイズ測定具であって、
第１装着体（５、５’）と第２装着体（７０）を有し、
第１装着体は、第１覆い部（１２）と、略足型形状で板状の底板部（６０）とを有し、
第１覆い部は、伸縮性及び柔軟性のある素材により形成され、少なくとも足の甲を覆う形状で、足を入れるための履き口を有し、
第１装着体を足に装着した状態で底板部が足の裏側に位置するように底板部が第１覆い部に固定され、
第２装着体は、第２覆い部（７２）と、第２覆い部に設けられた足囲用周設部（１０２）と、第２覆い部に設けられた甲回り用周設部（１２２）とを有し、
第２覆い部は、伸縮性及び柔軟性のある素材により形成され、足が入る袋状を呈するとともに、足を入れるための履き口を有し、第２装着体を足に装着した場合に足の甲側に位置する領域である第２覆い部用足甲部（７６）に開口部（７６ａ）が設けられ、
足囲用周設部は、第２覆い部の外側の面又は内側の面において、第２覆い部における第２装着体を足に装着した場合の足の足囲に対応する位置に、足甲部における左右いずれか一方の側の領域から第１装着体を装着した足に第２装着体を装着した場合に底板部の下側に位置する領域である第２覆い部用足底部（７４）を経て足甲部における左右いずれか他方まで細長状に形成され、足囲用周設部の長手方向の両側の端部である一対の第１端辺部（１０６ｃ、１０８ｃ）が、互いに間隔を介して設けられ、
甲回り用周設部は、第２覆い部の外側の面又は内側の面において、第２覆い部における第２装着体を足に装着した場合の足の甲回りに対応する位置に、足甲部における左右いずれか一方の側の領域から第２覆い部用足底部（７４）を経て足甲部における左右いずれか他方まで細長状に形成され、甲回り用周設部の長手方向の両側の端部である一対の第２端辺部（１２６ｃ、１２８ｃ）が、互いに間隔を介して設けられ、
足囲用周設部と甲回り用周設部は、非伸縮性又は難伸縮性の素材により形成され、
足サイズ測定具は、足に装着された第１装着体の外側に第２装着体が装着された状態で使用されることを特徴とする足サイズ測定具。
【請求項２】
第１覆い部は、第１装着体を足に装着した場合に足の裏側に位置する領域である第１覆い部用足底部を有していて、第１覆い部が全体に足が入る袋状を呈し、
底板部は、第１覆い部用足底部の外側の面又は内側の面に設けられていることを特徴とする請求項１に記載の足サイズ測定具。
【請求項３】
底板部が、底板部の少なくとも周囲に沿って第１覆い部用足底部に固定されていることを特徴とする請求項２に記載の足サイズ測定具。
【請求項４】
第１覆い部は、足の甲とつま先とかかとを覆い、下方が開口された形状を有し、第１覆い部の下端が底板部の周囲に沿って固定して設けられていることを特徴とする請求項１に記載の足サイズ測定具。
【請求項５】
第１覆い部には、第１目盛り表示部（４０）と第２目盛り表示部（５０）が設けられ、
第１目盛り表示部は、第１覆い部の外側の面において、第１覆い部における第１装着体を足に装着した場合に足の甲側で足囲に対応する位置に設けられ、第１目盛り表示部には、寸法を測定するための目盛りが足囲に沿った方向に配列され、
第２目盛り表示部は、第１覆い部の外側の面において、第１覆い部における第１装着体を足に装着した場合に足の甲側で甲回りに対応する位置に設けられ、第２目盛り表示部には、寸法を測定するための目盛りが甲回りに沿った方向に配列され、
第１目盛り表示部と第２目盛り表示部は、非伸縮性又は難伸縮性の素材により形成され、
足囲用周設部における一対の第１端辺部は、開口部の縁部から開口部側に突出して設けられるか、あるいは、開口部の縁部に沿って設けられ、
甲回り用周設部における一対の第２端辺部は、開口部の縁部から開口部側に突出して設けられるか、あるいは、開口部の縁部に沿って設けられ、
足に装着された第１装着体の外側に第２装着体が装着された状態で、平面視において、一対の第１端辺部間に第１目盛り表示部が視認され、一対の第２端辺部間に第２目盛り表示部が視認されることを特徴とする請求項１又は２又は３又は４に記載の足サイズ測定具。
【請求項６】
足サイズ測定具が、さらに、第１装着体を足に装着し、装着した第１装着体の外側に第２装着体を装着した状態で、足サイズ測定具とともに撮影するための測定用補助具で、測定用の３つの撮影対象としての第１撮影ポイント（１５０Ａ）と第２撮影ポイント（１５０Ｂ）と第３撮影ポイント（１５０Ｃ）が互いに間隔を介して設けられた測定用補助具（１５０）を有することを特徴とする請求項１又は２又は３又は４に記載の足サイズ測定具。
【請求項７】
足のサイズを測定する足サイズ測定具であって、
第１装着体（５、５’）と第２装着体（７０）を有し、
第１装着体は、装着体本体（１０）と、略足型形状で板状の底板部（６０）とを有し、
装着体本体は、伸縮性及び柔軟性のある素材により形成され、足が入る袋状を呈し足を入れるための履き口を有する第１覆い部（１２）と、第１覆い部の外側の面で、第１覆い部における第１装着体を足に装着した場合に足の甲側で足囲に対応する位置に設けられた第１目盛り表示部（４０）と、第１覆い部の外側の面で、第１覆い部における第１装着体を足に装着した場合に足の甲側で甲回りに対応する位置に設けられた第２目盛り表示部（５０）とを有し、第１目盛り表示部には、寸法を測定するための目盛りが足囲に沿った方向に配列され、第２目盛り表示部には、寸法を測定するための目盛りが甲回りに沿った方向に配列され、第１目盛り表示部と第２目盛り表示部は、非伸縮性又は難伸縮性の素材により形成され、
底板部は、第１覆い部における第１装着体を足に装着した場合に足の裏側に位置する領域である第１覆い部用足底部（１４）の外側の面又は内側に面に固定して設けられ、
第２装着体は、第２覆い部（７２）と、第２覆い部に設けられた足囲用周設部（１０２）と、第２覆い部に設けられた甲回り用周設部（１２２）とを有し、
第２覆い部は、伸縮性及び柔軟性のある素材により形成され、足が入る袋状を呈するとともに、足を入れるための履き口を有し、第２装着体を足に装着した場合の足の甲側に位置する領域である第２覆い部用足甲部（７６）に開口部（７６ａ）が設けられ、
足囲用周設部は、第２覆い部の外側の面又は内側の面において、第２覆い部における第２装着体を足に装着した場合の足の足囲に対応する位置に、足甲部における左右いずれか一方の側の領域から第１装着体を装着した足に第２装着体を装着した場合に底板部の下側に位置する領域である第２覆い部用足底部（７４）を経て足甲部における左右いずれか他方まで細長状に形成され、足囲用周設部の長手方向の両側の端部である一対の第１端辺部（１０６ｃ、１０８ｃ）が、互いに間隔を介して設けられ、該一対の第１端辺部は、開口部の縁部から開口部側に突出して設けられるか、あるいは、開口部の縁部に沿って設けられ、
甲回り用周設部は、第２覆い部の外側の面又は内側の面において、第２覆い部における第２装着体を足に装着した場合の足の甲回りに対応する位置に、足甲部における左右いずれか一方の側の領域から第２覆い部用足底部（７４）を経て足甲部における左右いずれか他方まで細長状に形成され、甲回り用周設部の長手方向の両側の端部である一対の第２端辺部（１２６ｃ、１２８ｃ）が、互いに間隔を介して設けられ、該一対の第２端辺部は、開口部の縁部から開口部側に突出して設けられるか、あるいは、開口部の縁部に沿って設けられ、
足囲用周設部と甲回り用周設部は、非伸縮性又は難伸縮性の素材により形成され、
足に装着された第１装着体の外側に第２装着体が装着された状態で、平面視において、一対の第１端辺部間に第１目盛り表示部が視認され、一対の第２端辺部間に第２目盛り表示部が視認されることを特徴とする足サイズ測定具。
【請求項８】
第１覆い部が、第１装着体を足に装着した場合において、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、
第１目盛り表示部が、第１覆い部用足甲部上の第１仮想線（３１Ｇ）上に設けられ、該第１仮想線は、第１装着体のつま先側の端部からかかと側の端部までの長さに対応する足長の足に第１装着体を装着した状態である第１装着状態において、第１装着体の平面視で、第１装着体のつま先側の端部からかかと側の端部までの直線である第１仮想中心線（３４Ｌ）の長さ（Ｈ１）に対するかかと側の端部からの長さ（Ｈ２）の割合である第１足囲割合が６１．５〜７１．５％の位置を通る第１仮想直線で、該第１仮想中心線のつま先側の方向と該第１仮想直線における第１装着体の左右方向における内側の方向とがなす角度である第１足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した曲線である第１仮想曲線（３１Ｌ）と平面透視において略一致し、
第２目盛り表示部が、第１覆い部用足甲部上の第２仮想線（３３Ｇ）上に設けられ、該第２仮想線は、第１装着状態において、第１装着体の平面視で、該第１仮想中心線の長さ（Ｈ１）に対するかかと側の端部からの長さの割合である第１甲回り割合が５１．０〜６１．０％の位置を通る第２仮想直線で、該第１仮想中心線のつま先側の方向と該第２仮想直線における第１装着体の左右方向における内側の方向とがなす角度である第１甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した曲線である第２仮想曲線（３３Ｌ）と平面透視において略一致し、
第２覆い部が、該第２覆い部用足底部と、該第２覆い部用足甲部と、足に装着された第１装着体の外側に第２装着体が装着された状態で、足のつま先側の領域である第２覆い部用つま先部（７８）と、足のかかと側の領域である第２覆い部用かかと部（８０）とを有し、
足囲用周設部は、第２覆い部用足底部に設けられた足囲用底構成部（１０４）と、足囲用底構成部の一方の端部から設けられ、第２覆い部用足甲部に設けられた足囲用第１横構成部（１０６）と、足囲用底構成部の他方の端部から設けられ、第２覆い部用足甲部に設けられた足囲用第２横構成部（１０８）とを有し、
足囲用底構成部は、第２覆い部用足底部における第３仮想線（１０４Ｇ）上に設けられ、第３仮想線は、第２装着体のつま先側の端部からかかと側の端部までの長さが第１仮想中心線の長さに対応する第２装着体が足に装着された第１装着体の外側に装着された状態である第２装着状態において、第１仮想直線（３０Ｌ）と平面透視において略一致し、
足囲用第１横構成部と足囲用第２横構成部は、第２覆い部用足甲部における第４仮想線（１０５Ｇ）上に設けられ、第４仮想線は、第２装着状態において、第２装着体の平面透視において、該第１仮想曲線（３１Ｌ）と略一致し、
甲回り用周設部は、第２覆い部用足底部に設けられた甲回り用底構成部（１２４）と、甲回り用底構成部の一方の端部から設けられ、第２覆い部用足甲部に設けられた甲回り用第１横構成部（１２６）と、甲回り用底構成部の他方の端部から設けられ、第２覆い部用足甲部に設けられた甲回り用第２横構成部（１２８）とを有し、
甲回り用底構成部は、第２覆い部用足底部における第５仮想線（１２４Ｇ）上に設けられ、第５仮想線は、第２装着状態において、第２仮想直線（３２Ｌ）と平面透視において略一致し、
甲回り用第１横構成部と甲回り用第２横構成部は、第２覆い部用足甲部における第６仮想線（１２５Ｇ）上に設けられ、第６仮想線は、第２装着状態において、第２装着体の平面透視において、該第２仮想曲線（３３Ｌ）と略一致することを特徴とする請求項５又は７に記載の足サイズ測定具。
【請求項９】
足囲用底構成部と、足囲用第１横構成部と、足囲用第２横構成部におけるそれぞれは、互いに平行な長手辺を有する帯状を呈し、
甲回り用底構成部と、甲回り用第１横構成部と、甲回り用第２横構成部におけるそれぞれは、互いに平行な長手辺を有する帯状を呈することを特徴とする請求項８に記載の足サイズ測定具。
【請求項１０】
足囲用周設部の展開状態において、足囲用底構成部の長手辺の方向と、足囲用第１横構成部の長手辺の方向がなす角度で、つま先側の角度が１８５〜１９１度であるとともに、足囲用底構成部の長手辺の方向と、足囲用第２横構成部の長手辺の方向がなす角度で、つま先側の角度が１５１〜１５７度であり、
足囲用底構成部と足囲用第１横構成部の境界線（１０２−１）の方向と、足囲用第１横構成部の長手辺の方向がなす角度で、つま先側で、かつ、足囲用第１横構成部側の角度が７３〜７９度であり、
足囲用底構成部と足囲用第２横構成部の境界線（１０２−２）の方向と、足囲用第２横構成部の長手辺の方向がなす角度で、つま先側で、かつ、足囲用第２横構成部側の角度が６７〜７３度であり、
甲回り用周設部の展開状態において、甲回り用底構成部の長手辺の方向と、甲回り用第１横構成部の長手辺の方向がなす角度で、つま先側の角度が１８８〜１９４度であるとともに、甲回り用底構成部の長手辺の方向と、甲回り用第２横構成部の長手辺の方向がなす角度で、つま先側の角度が１７２〜１７８度であり、
甲回り用底構成部と甲回り用第１横構成部の境界線（１２２−１）の方向と、甲回り用第１横構成部の長手辺の方向がなす角度で、つま先側で、かつ、甲回り用第１横構成部側の角度が６４〜７０度であり、
甲回り用底構成部と甲回り用第２横構成部の境界線（１２２−２）の方向と、甲回り用第２横構成部の長手辺の方向がなす角度で、つま先側で、かつ、甲回り用第２横構成部側の角度が７７〜８３度であることを特徴とする請求項９に記載の足サイズ測定具。
【請求項１１】
第１目盛り表示部と第２目盛り表示部は、少なくとも目盛りの配列方向に非伸縮性又は難伸縮性を有することを特徴とする請求項５又は７又は８又は９又は１０に記載の足サイズ測定具。
【請求項１２】
第１覆い部における第１装着体を足に装着した場合の足の甲側の領域に、第１中心表示部（３４ａ）が、第１装着体のつま先側の端部からかかと側の端部への方向である足長方向に、第１装着体の平面視において、第１装着体のつま先側の端部からかかと側の端部までの直線である第１仮想中心線（３４Ｌ）に沿って設けられ、
第２装着体における第２覆い部用足甲部に、第２中心表示部（９０ａ）が、第２装着体のつま先側の端部からかかと側の端部への方向である足長方向に、第２装着体の平面視において、第２装着体のつま先側の端部からかかと側の端部までの直線である第２仮想中心線（９０Ｌ）に沿って設けられていることを特徴とする請求項１又は２又は３又は４又は５又は６又は７又は８又は９又は１０又は１１に記載の足サイズ測定具。
【請求項１３】
足囲用周設部の一方の端部領域からつま先側又はかかと側に突出する第１突状部（１１０）が第２覆い部における開口部の縁部に隣接する領域に設けられ、足囲用周設部の他方の端部領域からつま先側又はかかと側に突出する第２突状部（１１２）が第２覆い部における開口部の縁部に隣接する領域に設けられ、
第１突状部と第２覆い部における第１突状部が設けられた領域のそれぞれには、第１紐部（１１６）を挿通するための穴部である第１穴部（１１０−１、７６ｂ−１）が設けられ、第２突状部と第２覆い部における第２突状部が設けられた領域のそれぞれには、第１紐部（１１６）を挿通するための穴部である第２穴部（１１２−１、７６ｂ−２）が設けられ、
甲回り用周設部の一方の端部領域からつま先側又はかかと側に突出する第３突状部（１３０）が第２覆い部における開口部の縁部に隣接する領域に設けられ、甲回り用周設部の他方の端部領域からつま先側又はかかと側に突出する第４突状部（１３２）が第２覆い部における開口部の縁部に隣接する領域に設けられ、
第３突状部と第２覆い部における第３突状部が設けられた領域のそれぞれには、第２紐部（１３６）を挿通するための穴部である第３穴部（１３０−１、７６ｃ−１）が設けられ、第４突状部と第２覆い部における第４突状部が設けられた領域のそれぞれには、第２紐部（１３６）を挿通するための穴部である第４穴部（１３２−１、７６ｃ−２）が設けられ、
第１穴部と第２穴部に挿通された第１紐部と、第３穴部と第４穴部に挿通された第２紐部が設けられ、
第１紐部により第１突状部と第２突状部間の締付け度合いが調整され、第２紐部により第３突状部と第４突状部間の締付け度合いが調整されることを特徴とする請求項１又は２又は３又は４又は５又は６又は７又は８又は９又は１０又は１１又は１２に記載の足サイズ測定具。
【請求項１４】
第２覆い部の足甲部には、開口部の縁部に沿って、伸縮性を有する弾性部材（７７、７７’）が設けられていることを特徴とする請求項１又は２又は３又は４又は５又は６又は７又は８又は９又は１０又は１１又は１２又は１３に記載の足サイズ測定具。
【請求項１５】
足囲用周設部は、少なくとも長手方向に非伸縮性又は難伸縮性を有し、甲回り用周設部は、少なくとも長手方向に非伸縮性又は難伸縮性を有し、
第１装着体の第１覆い部は、少なくとも、第１装着体のつま先側の端部からかかと側の端部への方向である足長方向と直角方向に伸縮性を有し、
第２装着体の第２覆い部は、少なくとも、第２装着体のつま先側の端部からかかと側の端部への方向である足長方向と直角方向に伸縮性を有することを特徴とする請求項１又は２又は３又は４又は５又は６又は７又は８又は９又は１０又は１１又は１２又は１３又は１４に記載の足サイズ測定具。
【請求項１６】
底板部は、非柔軟性又は第１装着体を足に装着した際に足の裏の形状に沿って変形することがない程度の低柔軟性の素材により形成されていることを特徴とする請求項１又は２又は３又は４又は５又は６又は７又は８又は９又は１０又は１１又は１２又は１３又は１４又は１５に記載の足サイズ測定具。
【請求項１７】
第１装着体と第２装着体に別体に構成され、足サイズ測定具の使用に際しては、第１装着体を足に装着し、装着した第１装着体の外側に第２装着体を装着することを特徴とする請求項１又は２又は３又は４又は５又は６又は７又は８又は９又は１０又は１１又は１２又は１３又は１４又は１５又は１６に記載の足サイズ測定具。
【請求項１８】
第１装着体は、第２装着体の内側に設けられ、底板部の下側に第２覆い部用足底部が位置し、第１覆い部の履き口が、足サイズ測定具の平面視において、第２覆い部の履き口内に視認できる状態で、第１装着体が第２装着体に固定されていることを特徴とする請求項１又は２又は３又は４又は５又は６又は７又は８又は９又は１０又は１１又は１２又は１３又は１４又は１５又は１６に記載の足サイズ測定具。
【請求項１９】
請求項１又は２又は３又は４又は５又は６又は７又は８又は９又は１０又は１１又は１２又は１３又は１４又は１５又は１６又は１７又は１８に記載の足サイズ測定具を複数備えた足サイズ測定具セットであって、
複数の足サイズ測定具における第１装着体においては、第１装着体のつま先側の端部からかかと側の端部までの長さが異なり、
複数の足サイズ測定具における第２装着体においては、第２装着体のつま先側の端部からかかと側の端部までの長さが異なることを特徴とする足サイズ測定具セット。
【請求項２０】
足のサイズを測定する足サイズ測定具であって、
覆い部（１２）と、覆い部に固定され、略足型形状で板状の底板部（６０）とを有し、
覆い部は、伸縮性及び柔軟性のある素材により形成され、足の表面領域における足の裏側を除く領域である足の甲とつま先とかかとの領域を少なくとも覆う形状で、足を入れるための履き口を有し、
足サイズ測定具を足に装着した状態で底板部が足の裏側に位置するように、底板部が、底板部の少なくとも周囲に沿って覆い部に固定され、
覆い部の外側の面において、足サイズ測定具を足に装着した場合の足の足囲に対応する位置に足囲用表示部（３０）が設けられ、
覆い部の外側の面において、足サイズ測定具を足に装着した場合の足の甲回りに対応する位置に甲回り用表示部（３２）が設けられ、
土踏まずを有する足に足サイズ測定具が装着された状態では、底板部により土踏まずの下方に空間が形成されることを特徴とする足サイズ測定具。
【請求項２１】
覆い部は、足サイズ測定具を足に装着した場合に足の裏側に位置する領域である足底部（１４）を有していて、覆い部が全体に足が入る袋状を呈し、
底板部は、足底部の外側の面に設けられ、
該足囲用表示部は、少なくとも、覆い部の特定領域における足囲に沿った一方の端部から他方の端部にまで設けられ、
該甲回り用表示部は、少なくとも、覆い部の特定領域における甲回りに沿った一方の端部から他方の端部にまで設けられ、
該覆い部の特定領域は、覆い部における足底部を除いた領域であることを特徴とする請求項２０に記載の足サイズ測定具。
【請求項２２】
覆い部は、下方が開口された形状を有し、覆い部の下端が底板部の周囲に沿って固定して設けられ、
該足囲用表示部は、少なくとも、覆い部における足囲に沿った一方の端部から他方の端部にまで設けられ、
該甲回り表示部は、少なくとも、覆い部における甲回りに沿った一方の端部から他方の端部にまで設けられていることを特徴とする請求項２０に記載の足サイズ測定具。
【請求項２３】
足囲用表示部は、底板部の底面における足囲に対応する位置に設けられ、甲回り用表示部は、底板部の底面における甲回りに対応する位置に設けられていることを特徴とする請求項２１又は２２に記載の足サイズ測定具。
【請求項２４】
足のサイズを測定する足サイズ測定具であって、
覆い部（１２）と、覆い部に固定され、略足型形状で板状の底板部（６０）とを有し、
覆い部は、伸縮性及び柔軟性のある素材により形成され、足サイズ測定具を足に装着した場合に足の裏側に位置する領域である足底部（１４）を有していて、覆い部が全体に足が入る袋状を呈し、
底板部は、足底部の内側の面に設けられ、
覆い部の外側の面において、足サイズ測定具を足に装着した場合の足の足囲に対応する位置に足囲用表示部（３０）が設けられ、該足囲用表示部は、少なくとも、覆い部の特定領域における足囲に沿った一方の端部から他方の端部にまで設けられ、
覆い部の外側の面において、足サイズ測定具を足に装着した場合の足の甲回りに対応する位置に甲回り用表示部（３２）が設けられ、該甲回り用表示部は、少なくとも、覆い部の特定領域における甲回りに沿った一方の端部から他方の端部にまで設けられ、
該覆い部の特定領域は、覆い部における足底部の底面から底板部の厚み分上方の位置よりも上側の領域であり、
土踏まずを有する足に足サイズ測定具が装着された状態では、底板部により土踏まずの下方に空間が形成されることを特徴とする足サイズ測定具。
【請求項２５】
足囲用表示部は、覆い部においてループ状に設けられ、甲回り用表示部は、覆い部においてループ状に設けられていることを特徴とする請求項２４に記載の足サイズ測定具。
【請求項２６】
足囲用表示部は、足囲に沿って設けられた線状の表示部であり、甲回り表示部は、甲回りに沿って設けられた線状の表示部であることを特徴とする請求項２０又は２１又は２２又は２３又は２４又は２５に記載の足サイズ測定具。
【請求項２７】
覆い部が、足サイズ測定具を足に装着した場合において、足の甲側に位置する領域である足甲部（１６）と、足のつま先側に位置する領域であるつま先部（１８）と、足のかかと側に位置する領域であるかかと部（２０）とを有し、
足囲用表示部が、足甲部上の第１仮想線（３１Ｇ）上に設けられ、該第１仮想線は、足サイズ測定具のつま先側の端部からかかと側の端部までの長さに対応する足長の足に足サイズ測定具を装着した状態である装着状態において、足サイズ測定具の平面視で、足サイズ測定具のつま先側の端部からかかと側の端部までの直線である仮想中心線（３４Ｌ）の長さ（Ｈ１）に対するかかと側の端部からの長さ（Ｈ２）の割合である足囲割合が６１．５〜７１．５％の位置を通る第１仮想直線で、該仮想中心線のつま先側の方向と該第１仮想直線における足サイズ測定具の左右方向における内側の方向とがなす角度である足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した曲線である第１仮想曲線（３１Ｌ）と平面透視において略一致し、
甲回り用表示部が、足甲部上の第２仮想線（３３Ｇ）上に設けられ、該第２仮想線は、該装着状態において、足サイズ測定具の平面視で、該仮想中心線の長さ（Ｈ１）に対するかかと側の端部からの長さの割合である甲回り割合が５１．０〜６１．０％の位置を通る第２仮想直線で、該仮想中心線のつま先側の方向と該第２仮想直線における足サイズ測定具の左右方向における内側の方向とがなす角度である甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した曲線である第２仮想曲線（３３Ｌ）と平面透視において略一致することを特徴とする請求項２０又は２１又は２２又は２３又は２４又は２５又は２６に記載の足サイズ測定具。
【請求項２８】
覆い部は、少なくとも、足サイズ測定具のつま先側の端部からかかと側の端部への方向である足長方向と直角方向に伸縮性を有することを特徴とする請求項２０又は２１又は２２又は２３又は２４又は２５又は２６又は２７に記載の足サイズ測定具。
【請求項２９】
底板部は、非柔軟性又は足サイズ測定具を足に装着した際に足の裏の形状に沿って変形することがない程度の低柔軟性の素材により形成されていることを特徴とする請求項２０又は２１又は２２又は２３又は２４又は２５又は２６又は２７又は２８に記載の足サイズ測定具。
【請求項３０】
底板部が平板状であることを特徴とする請求項１又は２又は３又は４又は５又は６又は７又は８又は９又は１０又は１１又は１２又は１３又は１４又は１５又は１６又は１７又は１９又は２０又は２１又は２２又は２３又は２４又は２５又は２６又は２７又は２８又は２９に記載の足サイズ測定具。
【請求項３１】
底板部が、製造する靴の内底面の曲面形状又は靴製造用の製靴型の底面の曲面形状に応じた曲面を有する板状であることを特徴とする請求項１又は２又は３又は４又は５又は６又は７又は８又は９又は１０又は１１又は１２又は１３又は１４又は１５又は１６又は１７又は１９又は２０又は２１又は２２又は２３又は２４又は２５又は２６又は２７又は２８又は２９に記載の足サイズ測定具。
【請求項３２】
請求項２０又は２１又は２２又は２３又は２４又は２５又は２６又は２７又は２８又は２９又は３０又は３１に記載の足サイズ測定具を複数備えた足サイズ測定具セットであって、
複数の足サイズ測定具においては、足サイズ測定具のつま先側の端部からかかと側の端部までの長さが異なることを特徴とする足サイズ測定具セット。
【手続補正２】
【補正対象書類名】明細書
【補正対象項目名】００１２
【補正方法】変更
【補正の内容】
【００１２】
また、第２には、上記第１の構成において、第１覆い部は、第１装着体を足に装着した場合に足の裏側に位置する領域である第１覆い部用足底部を有していて、第１覆い部が全体に足が入る袋状を呈し、底板部は、第１覆い部用足底部の外側の面又は内側の面に固定して設けられていることを特徴とする。よって、第１覆い部が袋状を呈するので、第１覆い部を靴下とみなすことにより、靴下を履いた状態を模して足囲と甲回りを測定するができ、装着した足に適した製靴型を作成することができる。
【手続補正３】
【補正対象書類名】明細書
【補正対象項目名】００１３
【補正方法】変更
【補正の内容】
【００１３】
また、第３には、上記第２の構成において、底板部が、底板部の少なくとも周囲に沿って第１覆い部用足底部に固定されていることを特徴とする。
【手続補正４】
【補正対象書類名】明細書
【補正対象項目名】００１４
【補正方法】変更
【補正の内容】
【００１４】
また、第４には、上記第１の構成において、第１覆い部は、足の甲とつま先とかかとを覆い、下方が開口された形状を有し、第１覆い部の下端が底板部の周囲に沿って固定して設けられていることを特徴とする。
【手続補正５】
【補正対象書類名】明細書
【補正対象項目名】００１５
【補正方法】変更
【補正の内容】
【００１５】
また、第５には、上記第１から第４までのいずれかの構成において、第１覆い部には、第１目盛り表示部（４０）と第２目盛り表示部（５０）が設けられ、第１目盛り表示部は、第１覆い部の外側の面において、第１覆い部における第１装着体を足に装着した場合に足の甲側で足囲に対応する位置に設けられ、第１目盛り表示部には、寸法を測定するための目盛りが足囲に沿った方向に配列され、第２目盛り表示部は、第１覆い部の外側の面において、第１覆い部における第１装着体を足に装着した場合に足の甲側で甲回りに対応する位置に設けられ、第２目盛り表示部には、寸法を測定するための目盛りが甲回りに沿った方向に配列され、第１目盛り表示部と第２目盛り表示部は、非伸縮性又は難伸縮性の素材により形成され、足に装着された第１装着体の外側に第２装着体が装着された状態で、平面視において、一対の第１端辺部間に第１目盛り表示部が視認され、一対の第２端辺部間に第２目盛り表示部が視認されることを特徴とする。
【手続補正６】
【補正対象書類名】明細書
【補正対象項目名】００１７
【補正方法】変更
【補正の内容】
【００１７】
また、第６には、上記第１から第４までのいずれかの構成において、足サイズ測定具が、さらに、第１装着体を足に装着し、装着した第１装着体の外側に第２装着体を装着した状態で、足サイズ測定具とともに撮影するための測定用補助具で、測定用の３つの撮影対象としての第１撮影ポイント（１５０Ａ）と第２撮影ポイント（１５０Ｂ）と第３撮影ポイント（１５０Ｃ）が互いに間隔を介して設けられた測定用補助具（１５０）を有することを特徴とする。
【手続補正７】
【補正対象書類名】明細書
【補正対象項目名】００１９
【補正方法】変更
【補正の内容】
【００１９】
なお、上記第６の構成において、測定用補助具は、寸法を測定するための目盛り、又は、予め定められた長さを有する部材を有することを特徴とするものとしてもよい。
【手続補正８】
【補正対象書類名】明細書
【補正対象項目名】００２０
【補正方法】変更
【補正の内容】
【００２０】
また、第７には、足のサイズを測定する足サイズ測定具であって、第１装着体（５、５’）と第２装着体（７０）を有し、第１装着体は、被覆体本体（１０）と、略足型形状で板状の底板部（６０）とを有し、被覆体本体は、伸縮性及び柔軟性のある素材により形成され、足が入る袋状を呈し足を入れるための履き口を有する第１覆い部（１２）と、第１覆い部の外側の面で、第１覆い部における第１装着体を足に装着した場合に足の甲側で足囲に対応する位置に設けられた第１目盛り表示部（４０）と、第１覆い部の外側の面で、第１覆い部における第１装着体を足に装着した場合に足の甲側で甲回りに対応する位置に設けられた第２目盛り表示部（５０）とを有し、第１目盛り表示部には、寸法を測定するための目盛りが足囲に沿った方向に配列され、第２目盛り表示部には、寸法を測定するための目盛りが甲回りに沿った方向に配列され、第１目盛り表示部と第２目盛り表示部は、非伸縮性又は難伸縮性の素材により形成され、底板部は、第１覆い部における第１装着体を足に装着した場合に足の裏側に位置する領域である第１覆い部用足底部（１４）の外側の面又は内側に面に固定して設けられ、第２装着体は、第２覆い部（７２）と、第２覆い部に設けられた足囲用周設部（１０２）と、第２覆い部に設けられた甲回り用周設部（１２２）とを有し、第２覆い部は、伸縮性及び柔軟性のある素材により形成され、足が入る袋状を呈するとともに、足を入れるための履き口を有し、第２装着体を足に装着した場合の足の甲側に位置する領域である第２覆い部用足甲部（７６）に開口部（７６ａ）が設けられ、足囲用周設部は、第２覆い部の外側の面又は内側の面において、第２覆い部における第２装着体を足に装着した場合の足の足囲に対応する位置に、足甲部における左右いずれか一方の側の領域から第１装着体を装着した足に第２装着体を装着した場合に底板部の下側に位置する領域である第２覆い部用足底部（７４）を経て足甲部における左右いずれか他方まで細長状に形成され、足囲用周設部の長手方向の両側の端部である一対の第１端辺部（１０６ｃ、１０８ｃ）が、互いに間隔を介して設けられ、該一対の第１端辺部は、開口部の縁部から開口部側に突出して設けられるか、あるいは、開口部の縁部に沿って設けられ、甲回り用周設部は、第２覆い部の外側の面又は内側の面において、第２覆い部における第２装着体を足に装着した場合の足の甲回りに対応する位置に、足甲部における左右いずれか一方の側の領域から第２覆い部用足底部（７４）を経て足甲部における左右いずれか他方まで細長状に形成され、甲回り用周設部の長手方向の両側の端部である一対の第２端辺部（１２６ｃ、１２８ｃ）が、互いに間隔を介して設けられ、該一対の第２端辺部は、開口部の縁部から開口部側に突出して設けられるか、あるいは、開口部の縁部に沿って設けられ、足囲用周設部と甲回り用周設部は、非伸縮性又は難伸縮性の素材により形成され、足に装着された第１装着体の外側に第２装着体が装着された状態で、平面視において、一対の第１端辺部間に第１目盛り表示部が視認され、一対の第２端辺部間に第２目盛り表示部が視認されることを特徴とする。
【手続補正９】
【補正対象書類名】明細書
【補正対象項目名】００２１
【補正方法】変更
【補正の内容】
【００２１】
第７の構成の足サイズ測定具においては、第１装着体と第２装着体を装着した状態で、上方から足サイズ測定具を視認することにより、一対の第１端辺部間に第１目盛り表示部が位置し、一対の第２端辺部間に第２目盛り表示部が位置するので、一対の第１端辺部間の長さを第１目盛り表示部により測定し、一対の第２端辺部間の長さを第２目盛り表示部により測定する。そして、足囲用周設部の長さに第１端辺部間の長さを加算した値に従い足囲を得ることができ、甲回り用周設部の長さに第２端辺部間の長さを加算した値に従い甲回りを得ることができる。
【手続補正１０】
【補正対象書類名】明細書
【補正対象項目名】００２５
【補正方法】変更
【補正の内容】
【００２５】
なお、第７の構成において、土踏まずを有する足に第１装着体を装着した場合に、底板部により土踏まずの下方に空間が形成されることを特徴とするものとしてもよい。
【手続補正１１】
【補正対象書類名】明細書
【補正対象項目名】００２６
【補正方法】変更
【補正の内容】
【００２６】
また、第２又は第７の構成において、第１覆い部が、該第１覆い部用足底部（１４）と、第１装着体を足に装着した場合において、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、第２覆い部が、該第２覆い部用足底部（７４）と、第２装着体を足に装着した場合において、足の甲側に位置する領域である第２覆い部用足甲部（７６）と、足のつま先側に位置する領域である第２覆い部用つま先部（７８）と、足のかかと側に位置する領域である第２覆い部用かかと部（８０）とをすることを特徴とするものとしてもよい。
【手続補正１２】
【補正対象書類名】明細書
【補正対象項目名】００２７
【補正方法】変更
【補正の内容】
【００２７】
また、第５又は第７の構成において、「足に装着された第１装着体の外側に第２装着体が装着された状態で、平面視において、一対の第１端辺部間に第１目盛り表示部が視認され、一対の第２端辺部間に第２目盛り表示部が視認されることを特徴とする。」を「足に装着された第１装着体の外側に第２装着体が装着された状態で、第２装着体の第２覆い部用足底部側とは反対側である上方から足サイズ測定具を視認した場合に、一対の第１端辺部間に第１目盛り表示部が位置し、一対の第２端辺部間に第２目盛り表示部が位置することを特徴とする。」としてもよい。
【手続補正１３】
【補正対象書類名】明細書
【補正対象項目名】００２８
【補正方法】変更
【補正の内容】
【００２８】
また、第８には、上記第５又は第７の構成において、第１覆い部が、第１装着体を足に装着した場合において、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、第１目盛り表示部が、第１覆い部用足甲部上の第１仮想線（３１Ｇ）上に設けられ、該第１仮想線は、第１装着体のつま先側の端部からかかと側の端部までの長さに対応する足長の足に第１装着体を装着した状態である第１装着状態において、第１装着体の平面視で、第１装着体のつま先側の端部からかかと側の端部までの直線である第１仮想中心線（３４Ｌ）の長さ（Ｈ１）に対するかかと側の端部からの長さ（Ｈ２）の割合である第１足囲割合が６１．５〜７１．５％の位置を通る第１仮想直線で、該第１仮想中心線のつま先側の方向と該第１仮想直線における第１装着体の左右方向における内側の方向とがなす角度である第１足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した曲線である第１仮想曲線（３１Ｌ）と平面透視において略一致し、第２目盛り表示部が、第１覆い部用足甲部上の第２仮想線（３３Ｇ）上に設けられ、該第２仮想線は、第１装着状態において、第１装着体の平面視で、該第１仮想中心線の長さ（Ｈ１）に対するかかと側の端部からの長さの割合である第１甲回り割合が５１．０〜６１．０％の位置を通る第２仮想直線で、該第１仮想中心線のつま先側の方向と該第２仮想直線における第１装着体の左右方向における内側の方向とがなす角度である第１甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した曲線である第２仮想曲線（３３Ｌ）と平面透視において略一致し、第２覆い部が、該第２覆い部用足底部と、該第２覆い部用足甲部と、足に装着された第１装着体の外側に第２装着体が装着された状態で、足のつま先側の領域である第２覆い部用つま先部（７８）と、足のかかと側の領域である第２覆い部用かかと部（８０）とを有し、足囲用周設部は、第２覆い部用足底部に設けられた足囲用底構成部（１０４）と、足囲用底構成部の一方の端部から設けられ、第２覆い部用足甲部に設けられた足囲用第１横構成部（１０６）と、足囲用底構成部の他方の端部から設けられ、第２覆い部用足甲部に設けられた足囲用第２横構成部（１０８）とを有し、足囲用底構成部は、第２覆い部用足底部における第３仮想線（１０４Ｇ）上に設けられ、第３仮想線は、第２装着体のつま先側の端部からかかと側の端部までの長さが第１仮想中心線の長さに対応する第２装着体が足に装着された第１装着体の外側に装着された状態である第２装着状態において、第１仮想直線（３０Ｌ）と平面透視において略一致し、足囲用第１横構成部と足囲用第２横構成部は、第２覆い部用足甲部における第４仮想線（１０５Ｇ）上に設けられ、第４��想線は、第２装着状態において、第２装着体の平面透視において、該第１仮想曲線（３１Ｌ）と略一致し、甲回り用周設部は、第２覆い部用足底部に設けられた甲回り用底構成部（１２４）と、甲回り用底構成部の一方の端部から設けられ、第２覆い部用足甲部に設けられた甲回り用第１横構成部（１２６）と、甲回り用底構成部の他方の端部から設けられ、第２覆い部用足甲部に設けられた甲回り用第２横構成部（１２８）とを有し、甲回り用底構成部は、第２覆い部用足底部における第５仮想線（１２４Ｇ）上に設けられ、第５仮想線は、第２装着状態において、第２仮想直線（３２Ｌ）と平面透視において略一致し、甲回り用第１横構成部と甲回り用第２横構成部は、第２覆い部用足甲部における第６仮想線（１２５Ｇ）上に設けられ、第６仮想線は、第２装着状態において、第２装着体の平面透視において、該第２仮想曲線（３３Ｌ）と略一致することを特徴とする。
【手続補正１４】
【補正対象書類名】明細書
【補正対象項目名】００３０
【補正方法】変更
【補正の内容】
【００３０】
なお、上記第８の構成を以下のようにしてもよい。すなわち、上記第８の構成における「第１覆い部が、第１装着体を足に装着した場合において、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、」を「第１覆い部が、第１装着体を足に装着した場合において、足の裏側に位置する領域である第１覆い部用足底部（１４）と、足の甲側に位置する領域である第１覆い部用足甲部（１６）と、足のつま先側に位置する領域である第１覆い部用つま先部（１８）と、足のかかと側に位置する領域である第１覆い部用かかと部（２０）とを有し、」とし、「第１目盛り表示部が、第１覆い部用足甲部上の第１仮想線（３０Ｇ）上に設けられ、該第１仮想線は、第１装着体のつま先側の端部からかかと側の端部までの長さに対応する足長の足に第１装着体を装着した状態である第１装着状態において、第１装着体の平面視で、第１装着体のつま先側の端部からかかと側の端部までの直線である第１仮想中心線（３４Ｌ）の長さ（Ｈ１）に対するかかと側の端部からの長さ（Ｈ２）の割合である第１足囲割合が６１．５〜７１．５％の位置を通る第１仮想直線で、該第１仮想中心線のつま先側の方向と該第１仮想直線における第１装着体の左右方向における内側の方向とがなす角度である第１足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した第１仮想曲線（３１Ｌ）と平面透視において略一致し、」における「底板部」を「第１覆い部用足底部」とし、「第２目盛り表示部が、第１覆い部用足甲部上の第２仮想線（３２Ｇ）上に設けられ、該第２仮想線は、第１装着状態において、第１装着体の平面視で、該第１仮想中心線の長さ（Ｈ１）に対するかかと側の端部からの長さの割合である第１甲回り割合が５１．０〜６１．０％の位置を通る第２仮想直線で、該第１仮想中心線のつま先側の方向と該第２仮想直線における第１装着体の左右方向における内側の方向とがなす角度である第１甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した第２仮想曲線（３３Ｌ）と平面透視において略一致し、」における「底板部」を「第１覆い部用足底部」としてもよい。
【手続補正１５】
【補正対象書類名】明細書
【補正対象項目名】００３１
【補正方法】変更
【補正の内容】
【００３１】
また、上記第８の構成における「足囲用底構成部は、第２覆い部用足底部における第３仮想線（１０４Ｇ）上に設けられ、第３仮想線は、第２装着体のつま先側の端部からかかと側の端部までの長さが第１仮想中心線の長さに対応する第２装着体が足に装着された第１装着体の外側に装着された状態である第２装着状態において、第１仮想直線（３０Ｌ）と平面透視において略一致し、」を「足囲用底構成部は、第２覆い部用足底部における第３仮想線（１０４Ｇ）上に設けられ、第３仮想線は、第２装着体のつま先側の端部からかかと側の端部までの長さが第１仮想中心線の長さに対応する第２装着体が足に装着された第１装着体の外側に装着された状態である第２装着状態において、第２装着体の平面視で、第２装着体のつま先側の端部からかかと側の端部までの直線である第２仮想中心線（９０Ｌ）の長さ（Ｈ１１）に対するかかと側の端部からの長さの割合である第２足囲割合が上記第１足囲割合と略同一の位置を通る第３仮想直線で、該第２仮想中心線のつま先側の方向と該第３仮想直線における第２装着体の左右方向における内側の方向とがなす角度である第２足囲角度（β１）が第１足囲角度と略同一となる第３仮想直線（１０４Ｌ）と平面透視において略一致し、」としてもよい。
【手続補正１６】
【補正対象書類名】明細書
【補正対象項目名】００３２
【補正方法】変更
【補正の内容】
【００３２】
また、上記第８の構成における「甲回り用底構成部は、第２覆い部用足底部における第５仮想線（１２４Ｇ）上に設けられ、第５仮想線は、第２装着状態において、第２仮想直線（３２Ｌ）と平面透視において略一致し、」を「甲回り用底構成部は、第２覆い部用足底部における第５仮想線（１２４Ｇ）上に設けられ、第５仮想線は、第２装着状態において、第２装着体の平面視で、第２装着体のつま先側の端部からかかと側の端部までの第２仮想中心線の長さ（Ｈ１１）に対するかかと側の端部からの長さの割合である第２甲回り割合が上記第１甲回り割合と略同一の位置を通る第４仮想直線で、該第２仮想中心線のつま先側の方向と該第４仮想直線における第２装着体の左右方向における内側の方向とがなす角度である第２甲回り角度（β２）が第１甲回り角度と略同一となる第４仮想直線（１２４Ｌ）と平面透視において略一致し、」としてもよい。
【手続補正１７】
【補正対象書類名】明細書
【補正対象項目名】００３３
【補正方法】変更
【補正の内容】
【００３３】
また、第９には、上記第８の構成において、足囲用底構成部と、足囲用第１横構成部と、足囲用第２横構成部におけるそれぞれは、互いに平行な長手辺を有する帯状を呈し、
甲回り用底構成部と、甲回り用第１横構成部と、甲回り用第２横構成部におけるそれぞれは、互いに平行な長手辺を有する帯状を呈することを特徴とする。
【手続補正１８】
【補正対象書類名】明細書
【補正対象項目名】００３４
【補正方法】変更
【補正の内容】
【００３４】
また、第１０には、上記第９の構成において、足囲用周設部の展開状態において、足囲用底構成部の長手辺の方向と、足囲用第１横構成部の長手辺の方向がなす角度で、つま先側の角度が１８５〜１９１度であるとともに、足囲用底構成部の長手辺の方向と、足囲用第２横構成部の長手辺の方向がなす角度で、つま先側の角度が１５１〜１５７度であり、足囲用底構成部と足囲用第１横構成部の境界線（１０２−１）の方向と、足囲用第１横構成部の長手辺の方向がなす角度で、つま先側で、かつ、足囲用第１横構成部側の角度が７３〜７９度であり、足囲用底構成部と足囲用第２横構成部の境界線（１０２−２）の方向と、足囲用第２横構成部の長手辺の方向がなす角度で、つま先側で、かつ、足囲用第２横構成部側の角度が６７〜７３度であり、甲回り用周設部の展開状態において、甲回り用底構成部の長手辺の方向と、甲回り用第１横構成部の長手辺の方向がなす角度で、つま先側の角度が１８８〜１９４度であるとともに、甲回り用底構成部の長手辺の方向と、甲回り用第２横構成部の長手辺の方向がなす角度で、つま先側の角度が１７２〜１７８度であり、甲回り用底構成部と甲回り用第１横構成部の境界線（１２２−１）の方向と、甲回り用第１横構成部の長手辺の方向がなす角度で、つま先側で、かつ、甲回り用第１横構成部側の角度が６４〜７０度であり、甲回り用底構成部と甲回り用第２横構成部の境界線（１２２−２）の方向と、甲回り用第２横構成部の長手辺の方向がなす角度で、つま先側で、かつ、甲回り用第２横構成部側の角度が７７〜８３度であることを特徴とする。
【手続補正１９】
【補正対象書類名】明細書
【補正対象項目名】００３６
【補正方法】変更
【補正の内容】
【００３６】
また、第１１には、上記第５又は第７又は第８又は第９又は第１０の構成において、第１目盛り表示部と第２目盛り表示部は、少なくとも目盛りの配列方向に非伸縮性又は難伸縮性を有することを特徴とする。
【手続補正２０】
【補正対象書類名】明細書
【補正対象項目名】００３７
【補正方法】変更
【補正の内容】
【００３７】
また、第１２には、上記第１から第１１までのいずれかの構成において、第１覆い部における第１装着体を足に装着した場合の足の甲側の領域に、第１中心表示部（３４ａ）が、第１装着体のつま先側の端部からかかと側の端部への方向である足長方向に、第１装着体の平面視において、第１装着体のつま先側の端部からかかと側の端部までの直線である第１仮想中心線（３４Ｌ）に沿って設けられ、第２装着体における第２覆い部用足甲部に、第２中心表示部（９０ａ）が、第２装着体のつま先側の端部からかかと側の端部への方向である足長方向に、第２装着体の平面視において、第２装着体のつま先側の端部からかかと側の端部までの直線である第２仮想中心線（９０Ｌ）に沿って設けられていることを特徴とする。
【手続補正２１】
【補正対象書類名】明細書
【補正対象項目名】００３９
【補正方法】変更
【補正の内容】
【００３９】
また、第１３には、上記第１から第１２までのいずれかの構成において、足囲用周設部の一方の端部領域からつま先側又はかかと側に突出する第１突状部（１１０）が第２覆い部における開口部の縁部に隣接する領域に設けられ、足囲用周設部の他方の端部領域からつま先側又はかかと側に突出する第２突状部（１１２）が第２覆い部における開口部の縁部に隣接する領域に設けられ、第１突状部と第２覆い部における第１突状部が設けられた領域のそれぞれには、第１紐部（１１６）を挿通するための穴部である第１穴部（１１０−１、７６ｂ−１）が設けられ、第２突状部と第２覆い部における第２突状部が設けられた領域のそれぞれには、第１紐部（１１６）を挿通するための穴部である第２穴部（１１２−１、７６ｂ−２）が設けられ、甲回り用周設部の一方の端部領域からつま先側又はかかと側に突出する第３突状部（１３０）が第２覆い部における開口部の縁部に隣接する領域に設けられ、甲回り用周設部の他方の端部領域からつま先側又はかかと側に突出する第４突状部（１３２）が第２覆い部における開口部の縁部に隣接する領域に設けられ、
第３突状部と第２覆い部における第３突状部が設けられた領域のそれぞれには、第２紐部（１３６）を挿通するための穴部である第３穴部（１３０−１、７６ｃ−１）が設けられ、第４突状部と第２覆い部における第４突状部が設けられた領域のそれぞれには、第２紐部（１３６）を挿通するための穴部である第４穴部（１３２−１、７６ｃ−２）が設けられ、第１穴部と第２穴部に挿通された第１紐部と、第３穴部と第４穴部に挿通された第２紐部が設けられ、第１紐部により第１突状部と第２突状部間の締付け度合いが調整され、第２紐部により第３突状部と第４突状部間の締付け度合いが調整されることを特徴とする。
【手続補正２２】
【補正対象書類名】明細書
【補正対象項目名】００４１
【補正方法】変更
【補正の内容】
【００４１】
なお、上記第１３の構成において、第１紐部に着脱可能な第１留め具で、第１紐部の両側の端部が挿通された状態で第１紐部に固定することにより、第１紐部の締付け度合いを調整する第１留め具（１１８）と、第２紐部に着脱可能な第２留め具で、第２紐部の両側の端部が挿通された状態で第２紐部に固定することにより、第２紐部の締付け度合いを調整する第２留め具（１３８）と、を有することを特徴とするものとしてもよい。
【手続補正２３】
【補正対象書類名】明細書
【補正対象項目名】００４２
【補正方法】変更
【補正の内容】
【００４２】
また、上記第１３の構成において、第１突状部と第２突状部は、つま先側に突出して形成され、第３突状部と第４突状部は、かかと側に突出して形成されていることを特徴とするものとしてもよい。
【手続補正２４】
【補正対象書類名】明細書
【補正対象項目名】００４３
【補正方法】変更
【補正の内容】
【００４３】
また、第１４には、上記第１から第１３までのいずれかの構成において、第２覆い部の足甲部には、開口部の縁部に沿って、伸縮性を有する弾性部材（７７、７７’）が設けられていることを特徴とする。
【手続補正２５】
【補正対象書類名】明細書
【補正対象項目名】００４５
【補正方法】変更
【補正の内容】
【００４５】
また、第１５には、上記第１から第１４までのいずれかの構成において、足囲用周設部は、少なくとも長手方向に非伸縮性又は難伸縮性を有し、甲回り用周設部は、少なくとも長手方向に非伸縮性又は難伸縮性を有し、第１装着体の第１覆い部は、少なくとも、第１装着体のつま先側の端部からかかと側の端部への方向である足長方向と直角方向に伸縮性を有し、第２装着体の第２覆い部は、少なくとも、第２装着体のつま先側の端部からかかと側の端部への方向である足長方向と直角方向に伸縮性を有することを特徴とする。
【手続補正２６】
【補正対象書類名】明細書
【補正対象項目名】００４６
【補正方法】変更
【補正の内容】
【００４６】
また、第１６には、上記第１から第１５までのいずれかの構成において、底板部は、非柔軟性又は第１装着体を足に装着した際に足の裏の形状に沿って変形することがない程度の低柔軟性の素材により形成されていることを特徴とする。
【手続補正２７】
【補正対象書類名】明細書
【補正対象項目名】００４７
【補正方法】変更
【補正の内容】
【００４７】
また、第１７には、上記第１から第１６までのいずれかの構成において、第１装着体と第２装着体に別体に構成され、足サイズ測定具の使用に際しては、第１装着体を足に装着し、装着した第１装着体の外側に第２装着体を装着することを特徴とする。
【手続補正２８】
【補正対象書類名】明細書
【補正対象項目名】００４８
【補正方法】変更
【補正の内容】
【００４８】
また、第１８には、上記第１から第１６までのいずれかの構成において、第１装着体は、第２装着体の内側に設けられ、底板部の下側に第２覆い部用足底部が位置し、第１覆い部の履き口が、足サイズ測定具の平面視において、第２覆い部の履き口内に視認できる状態で、第１装着体が第２装着体に固定されていることを特徴とする。
【手続補正２９】
【補正対象書類名】明細書
【補正対象項目名】００５０
【補正方法】変更
【補正の内容】
【００５０】
また、第１９には、第１から第１８までのいずれかの構成の足サイズ測定具を複数備えた足サイズ測定具セットであって、複数の足サイズ測定具における第１装着体においては、第１装着体のつま先側の端部からかかと側の端部までの長さが異なり（「第１装着体の平面視において、第１装着体のつま先側の端部からかかと側の端部までの直線である第１仮想中心線の長さ（Ｈ１）が異なり」としてもよい）、複数の足サイズ測定具における第２装着体においては、第２装着体のつま先側の端部からかかと側の端部までの長さが異なる（「第２装着体のつま先側の端部からかかと側の端部までの直線である第２仮想中心線の長さ（Ｈ１１）が異なる」としてもよい）ことを特徴とする。
【手続補正３０】
【補正対象書類名】明細書
【補正対象項目名】００５１
【補正方法】変更
【補正の内容】
【００５１】
第１９の構成の足サイズ測定具セットにおいては、第１仮想中心線の長さが異なる複数の複数の第１装着体が設けられ、第２仮想中心線の長さが異なる複数の複数の第２装着体が設けられているので、測定対象の足の足長に対応した第１装着体と第２装着体を選択し、それらを足に装着して測定することにより、足囲と甲回りを正確に測定することができる。
【手続補正３１】
【補正対象書類名】明細書
【補正対象項目名】００５２
【補正方法】変更
【補正の内容】
【００５２】
また、第２０には、足のサイズを測定する足サイズ測定具であって、覆い部（１２）と、覆い部に固定され、略足型形状で板状の底板部（６０）とを有し、覆い部は、伸縮性及び柔軟性のある素材により形成され、足の表面領域における足の裏側を除く領域である足の甲とつま先とかかとの領域を少なくとも覆う形状で、足を入れるための履き口を有し、足サイズ測定具を足に装着した状態で底板部が足の裏側に位置するように、底板部が、底板部の少なくとも周囲に沿って覆い部に固定され、覆い部の外側の面において、足サイズ測定具を足に装着した場合の足の足囲に対応する位置に足囲用表示部（３０）が設けられ、覆い部の外側の面において、足サイズ測定具を足に装着した場合の足の甲回りに対応する位置に甲回り用表示部（３２）が設けられ、土踏まずを有する足に足サイズ測定具が装着された状態では、底板部により土踏まずの下方に空間が形成されることを特徴とする。
【手続補正３２】
【補正対象書類名】明細書
【補正対象項目名】００５３
【補正方法】変更
【補正の内容】
【００５３】
第２０の構成の足サイズ測定具によれば、足に足サイズ測定具を装着して、３Ｄ測定器により足囲用表示部に沿った長さと甲回り用表示部に沿った長さを計測することにより足囲と甲回りを得ることができるので、目盛りが表示されたメジャー部を足に巻き付ける必要がなく、容易に足囲と甲回りを測定することができる。
【手続補正３３】
【補正対象書類名】明細書
【補正対象項目名】００５５
【補正方法】削除
【補正の内容】
【手続補正３４】
【補正対象書類名】明細書
【補正対象項目名】００５６
【補正方法】削除
【補正の内容】
【手続補正３５】
【補正対象書類名】明細書
【補正対象項目名】００５７
【補正方法】変更
【補正の内容】
【００５７】
また、第２１には、上記第２０の構成において、覆い部は、足サイズ測定具を足に装着した場合に足の裏側に位置する領域である足底部（１４）を有していて、覆い部が全体に足が入る袋状を呈し、底板部は、足底部の外側の面に設けられ、該足囲用表示部は、少なくとも、覆い部の特定領域における足囲に沿った一方の端部から他方の端部にまで設けられ、該甲回り用表示部は、少なくとも、覆い部の特定領域における甲回りに沿った一方の端部から他方の端部にまで設けられ、該覆い部の特定領域は、覆い部における足底部を除いた領域であることを特徴とする。
【手続補正３６】
【補正対象書類名】明細書
【補正対象項目名】００５８
【補正方法】変更
【補正の内容】
【００５８】
また、上記第２０又は第２１の構成において、覆い部が、足サイズ測定具を足に装着した場合に、足の甲側に位置する領域である足甲部（１６）と、足のつま先側に位置する領域であるつま先部（１８）と、足のかかと側に位置する領域であるかかと部（２０）とを有することを特徴とするものとしてもよい。
【手続補正３７】
【補正対象書類名】明細書
【補正対象項目名】００５９
【補正方法】変更
【補正の内容】
【００５９】
また、第２２には、上記第２０の構成において、覆い部は、下方が開口された形状を有し、覆い部の下端が底板部の周囲に沿って固定して設けられ、該足囲用表示部は、少なくとも、覆い部における足囲に沿った一方の端部から他方の端部にまで設けられ、該甲回り表示部は、少なくとも、覆い部における甲回りに沿った一方の端部から他方の端部にまで設けられていることを特徴とする。
【手続補正３８】
【補正対象書類名】明細書
【補正対象項目名】００６１
【補正方法】変更
【補正の内容】
【００６１】
また、第２４には、足のサイズを測定する足サイズ測定具であって、覆い部（１２）と、覆い部に固定され、略足型形状で板状の底板部（６０）とを有し、覆い部は、伸縮性及び柔軟性のある素材により形成され、足サイズ測定具を足に装着した場合に足の裏側に位置する領域である足底部（１４）を有していて、覆い部が全体に足が入る袋状を呈し、底板部は、足底部の内側の面に設けられ、覆い部の外側の面において、足サイズ測定具を足に装着した場合の足の足囲に対応する位置に足囲用表示部（３０）が設けられ、該足囲用表示部は、少なくとも、覆い部の特定領域における足囲に沿った一方の端部から他方の端部にまで設けられ、覆い部の外側の面において、足サイズ測定具を足に装着した場合の足の甲回りに対応する位置に甲回り用表示部（３２）が設けられ、該甲回り用表示部は、少なくとも、覆い部の特定領域における甲回りに沿った一方の端部から他方の端部にまで設けられ、該覆い部の特定領域は、覆い部における足底部の底面から底板部の厚み分上方の位置よりも上側の領域であり、土踏まずを有する足に足サイズ測定具が装着された状態では、底板部により土踏まずの下方に空間が形成されることを特徴とする。
【手続補正３９】
【補正対象書類名】明細書
【補正対象項目名】００６２
【補正方法】変更
【補正の内容】
【００６２】
また、第２５には、上記第２４の構成において、足囲用表示部は、覆い部においてループ状に設けられ、甲回り用表示部は、覆い部においてループ状に設けられていることを特徴とする。また、第２６には、上記第２０から第２５までのいずれかの構成において、足囲用表示部は、足囲に沿って設けられた線状の表示部であり、甲回り表示部は、甲回りに沿って設けられた線状の表示部であることを特徴とする。
【手続補正４０】
【補正対象書類名】明細書
【補正対象項目名】００６３
【補正方法】変更
【補正の内容】
【００６３】
また、第２７には、上記第２０から第２６までのいずれかの構成において、覆い部が、足サイズ測定具を足に装着した場合において、足の甲側に位置する領域である足甲部（１６）と、足のつま先側に位置する領域であるつま先部（１８）と、足のかかと側に位置する領域であるかかと部（２０）とを有し、足囲用表示部が、足甲部上の第１仮想線（３１Ｇ）上に設けられ、該第１仮想線は、足サイズ測定具のつま先側の端部からかかと側の端部までの長さに対応する足長の足に足サイズ測定具を装着した状態である装着状態において、足サイズ測定具の平面視で、足サイズ測定具のつま先側の端部からかかと側の端部までの直線である仮想中心線（３４Ｌ）の長さ（Ｈ１）に対するかかと側の端部からの長さ（Ｈ２）の割合である足囲割合が６１．５〜７１．５％の位置を通る第１仮想直線で、該仮想中心線のつま先側の方向と該第１仮想直線における足サイズ測定具の左右方向における内側の方向とがなす角度である足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した曲線である第１仮想曲線（３１Ｌ）と平面透視において略一致し、甲回り用表示部が、足甲部上の第２仮想線（３３Ｇ）上に設けられ、該第２仮想線は、該装着状態において、足サイズ測定具の平面視で、該仮想中心線の長さ（Ｈ１）に対するかかと側の端部からの長さの割合である甲回り割合が５１．０〜６１．０％の位置を通る第２仮想直線で、該仮想中心線のつま先側の方向と該第２仮想直線における足サイズ測定具の左右方向における内側の方向とがなす角度である甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した曲線である第２仮想曲線（３３Ｌ）と平面透視において略一致することを特徴とする。
【手続補正４１】
【補正対象書類名】明細書
【補正対象項目名】００６５
【補正方法】変更
【補正の内容】
【００６５】
なお、上記第２７の構成を以下のようにしてもよい。すなわち、上記第２７の構成における「覆い部が、足サイズ測定具を足に装着した場合において、足の甲側に位置する領域である足甲部（１６）と、足のつま先側に位置する領域であるつま先部（１８）と、足のかかと側に位置する領域であるかかと部（２０）とを有し、」を「覆い部が、足サイズ測定具を足に装着した場合において、足の裏側に位置する領域である足底部（１４）と、足の甲側に位置する領域である足甲部（１６）と、足のつま先側に位置する領域であるつま先部（１８）と、足のかかと側に位置する領域であるかかと部（２０）とを有し、」とし、「足囲用表示部が、足甲部上の第１仮想線（３０Ｇ）上に設けられ、該第１仮想線は、足サイズ測定具のつま先側の端部からかかと側の端部までの長さに対応する足長の足に足サイズ測定具を装着した状態である装着状態において、足サイズ測定具の平面視で、足サイズ測定具のつま先側の端部からかかと側の端部までの直線である仮想中心線（３４Ｌ）の長さ（Ｈ１）に対するかかと側の端部からの長さ（Ｈ２）の割合である足囲割合が６１．５〜７１．５％の位置を通る第１仮想直線で、該仮想中心線のつま先側の方向と該第１仮想直線における足サイズ測定具の左右方向における内側の方向とがなす角度である足囲角度（α１）が、男性用の場合は６９．０〜７９．０度で、女性用の場合は６８．０〜７８．０度となる第１仮想直線（３０Ｌ）と底板部の平面視における輪郭との２つの接点（３０Ｐ、３０Ｑ）を結びつま先側に湾曲した第１仮想曲線（３１Ｌ）と平面透視において略一致し、」における「底板部」を「足底部」とし、「甲回り用表示部が、足甲部上の第２仮想線（３２Ｇ）上に設けられ、該第２仮想線は、該装着状態において、足サイズ測定具の平面視で、該仮想中心線の長さ（Ｈ１）に対するかかと側の端部からの長さの割合である甲回り割合が５１．０〜６１．０％の位置を通る第２仮想直線で、該仮想中心線のつま先側の方向と該第２仮想直線における足サイズ測定具の左右方向における内側の方向とがなす角度である甲回り角度（α２）が、男性用の場合は７５．５〜８５．５度で、女性用の場合は７４．５〜８４．５度となる第２仮想直線（３２Ｌ）と底板部の平面視における輪郭との２つの接点（３２Ｐ、３２Ｑ）を結びつま先側に湾曲した第２仮想曲線（３３Ｌ）と平面透視において略一致する」における「底板部」を「足底部」としてもよい。
【手続補正４２】
【補正対象書類名】明細書
【補正対象項目名】００６６
【補正方法】変更
【補正の内容】
【００６６】
また、第２８には、上記第２０から第２７までのいずれかの構成において、覆い部は、少なくとも、足サイズ測定具のつま先側の端部からかかと側の端部への方向である足長方向と直角方向に伸縮性を有することを特徴とする。
【手続補正４３】
【補正対象書類名】明細書
【補正対象項目名】００６７
【補正方法】変更
【補正の内容】
【００６７】
また、第２９には、上記第２０から第２８までのいずれかの構成において、底板部は、非柔軟性又は足サイズ測定具を足に装着した際に足の裏の形状に沿って変形することがない程度の低柔軟性の素材により形成されていることを特徴とする。
【手続補正４４】
【補正対象書類名】明細書
【補正対象項目名】００６８
【補正方法】変更
【補正の内容】
【００６８】
また、第３０には、上記第１から第２９までのいずれかの構成において、底板部が平板状であることを特徴とする。
【手続補正４５】
【補正対象書類名】明細書
【補正対象項目名】００６９
【補正方法】変更
【補正の内容】
【００６９】
また、第３１には、上記第１から第２９までのいずれかの構成において、底板部が、製造する靴の内底面の曲面形状又は靴製造用の製靴型の底面の曲面形状に応じた曲面を有する板状であることを特徴とする。
【手続補正４６】
【補正対象書類名】明細書
【補正対象項目名】００７０
【補正方法】変更
【補正の内容】
【００７０】
なお、上記第３１の構成において、底板部において、第１構成部（６０−１）と第２構成部（６０−２）と第３構成部（６０−３）が、つま先側からかかと側に向けて、第１構成部、第２構成部、第３構成部の順に連設され、第１構成部は、つま先側からかかと側に向けて下方に傾斜した板状であり、第２構成部は、つま先側からかかと側に向けて上方に傾斜した板状であり、第３構成部は、つま先側からかかと側に向けて下方に傾斜した板状であり、第２装着状態において、足囲用底構成部と甲回り用底構成部が、第２構成部の領域の下方に位置するとしてもよい。
【手続補正４７】
【補正対象書類名】明細書
【補正対象項目名】００７１
【補正方法】変更
【補正の内容】
【００７１】
また、第３２には、第２０から第３１までのいずれかの構成の足サイズ測定具を複数備えた足サイズ測定具セットであって、複数の足サイズ測定具においては、足サイズ測定具のつま先側の端部からかかと側の端部までの長さが異なる（「足サイズ測定具のつま先側の端部からかかと側の端部までの直線である仮想中心線の長さ（Ｈ１）が異なる」としてもよい）ことを特徴とする。
【手続補正４８】
【補正対象書類名】明細書
【補正対象項目名】００７２
【補正方法】変更
【補正の内容】
【００７２】
第３２の構成の足サイズ測定具セットにおいては、つま先側の端部からかかと側の端部までの長さが異なる複数の足サイズ測定具が設けられているので、測定対象の足の足長に対応した足サイズ測定具を選択し、選択した足サイズ測定具を足に装着して測定することにより、足囲と甲回りを正確に測定することができる。
【手続補正４９】
【補正対象書類名】明細書
【補正対象項目名】００７４
【補正方法】変更
【補正の内容】
【００７４】
本発明に基づく請求項１、請求項７及びこれらに従属する請求項の足サイズ測定具によれば、足の足長に対応する第１装着体と第２装着体を足に装着した状態で、一対の第１端辺部間の長さと一対の第２端辺部間の長さを読み取り、読み取った値に基づき足囲と甲回りを得ることができるので、目盛りが表示されたメジャー部を足に巻き付ける必要がなく、容易に足囲と甲回りを測定することができる。
【手続補正５０】
【補正対象書類名】明細書
【補正対象項目名】００７６
【補正方法】変更
【補正の内容】
【００７６】
また、請求項２０、請求項２４及びこれらに従属する請求項の足サイズ測定具によれば、足に足サイズ測定具を装着して、３Ｄ測定器により足囲用表示部に沿った長さと甲回り用表示部に沿った長さを計測することにより足囲と甲回りを得ることができるので、目盛りが表示されたメジャー部を足に巻き付ける必要がなく、容易に足囲と甲回りを測定することができる。